(57)【要約】  この出願の実施例は、情報送信方法、端末、及びネットワークデバイスを提供する。この出願における情報送信方法は、端末により、同期信号に対応するサブキャリア間隔を決定するステップであり、同期信号に対応するサブキャリア間隔は、同期信号を搬送するサービングセルに対応するサブキャリア間隔セット内の最も大きいサブキャリア間隔である、ステップと、端末により、同期信号に対応するサブキャリア間隔に基づいて同期信号を検出するステップとを含む。この出願の実施例は異なる適用シナリオに柔軟に適用できる。
2019530287.tif 000002
【特許請求の範囲】
【請求項１】
情報送信方法であって、
端末により、同期信号に対応するサブキャリア間隔を決定するステップであり、前記同期信号に対応する前記サブキャリア間隔は、前記同期信号を搬送するサービングセルに対応するサブキャリア間隔セット内の最も大きいサブキャリア間隔である、ステップと、
前記端末により、前記同期信号に対応する前記サブキャリア間隔に基づいて前記同期信号を検出するステップと、
を含む方法。
【請求項２】
前記同期信号を搬送するシンボルに対応するサイクリックプレフィックスが、前記同期信号に対応する前記サブキャリア間隔に対応するサイクリックプレフィックスにおいて最も長いサイクリックプレフィックスである、請求項１に記載の方法。
【請求項３】
当該方法は、
前記端末により、前記同期信号に対応する系列に基づいて、システム情報を搬送する時間周波数リソースを決定するステップをさらに含む、請求項１又は２に記載の方法。
【請求項４】
前記端末により、前記同期信号に対応する系列に基づいて、システム情報を搬送する時間周波数リソースを決定するステップは、
前記同期信号に対応する前記系列が第１の系列である場合、前記端末により、前記システム情報を搬送する前記時間周波数リソースが第１の時間周波数リソースであると決定するステップ、又は、
前記同期信号に対応する前記系列が第２の系列である場合、前記端末により、前記システム情報を搬送する前記時間周波数リソースが第２の時間周波数リソースであると決定するステップを含み、
前記第１の時間周波数リソースの周波数ドメイン位置が、前記同期信号を搬送する時間周波数リソースの周波数ドメイン位置と同じであり、あるいは、前記第１の時間周波数リソースに対応する周波数ドメイン位置が、前記同期信号を搬送する時間周波数リソースに対応する周波数ドメイン位置を含み、
前記第２の時間周波数リソースの周波数ドメイン位置が、前記同期信号を搬送する前記時間周波数リソースの前記周波数ドメイン位置に隣接し、あるいは、前記第２の時間周波数リソースに対応する周波数ドメイン位置と前記同期信号を搬送する前記時間周波数リソースに対応する前記周波数ドメイン位置とが、固定の周波数シフトにより離される、請求項３に記載の方法。
【請求項５】
前記第１の時間周波数リソースの開始シンボルが、前記同期信号を搬送する最後のシンボルに隣接し、あるいは、前記第１の時間周波数リソースの開始シンボルが、前記同期信号を搬送する最後のシンボルの次のシンボルであり、あるいは、前記同期信号を搬送する最後のシンボルがシンボルｌである場合、前記第１の時間周波数リソースの開始シンボルはシンボル（ｌ＋１）又はシンボル（ｌ＋１）ｍｏｄ  Ｌであり、ｌ＝０，１，・・・Ｌ−１であり、Ｌは正の整数であり、
前記第２の時間周波数リソースのシンボルが、前記同期信号を搬送する前記シンボルと同じであり、あるいは、前記第２の時間周波数リソースの開始シンボルが、前記同期信号に含まれるプライマリ同期信号を搬送する開始シンボルと同じである、
請求項４に記載の方法。
【請求項６】
前記第２の時間周波数リソースの周波数ドメイン位置が、前記同期信号を搬送する前記時間周波数リソースの前記周波数ドメイン位置に隣接することは、
前記第２の時間周波数リソースの前記周波数ドメイン位置が、前記同期信号を搬送する前記時間周波数リソースの前記周波数ドメイン位置に隣接し、前記同期信号を搬送する前記時間周波数リソースの前記周波数ドメイン位置の両側に分散されることを含む、請求項４又は５に記載の方法。
【請求項７】
前記第１の系列は、２つの３１長系列を使用することにより第１の組み合わせ方式で生成され、前記第２の系列は、前記２つの３１長系列を使用することにより第２の組み合わせ方式で生成され、前記第１の組み合わせ方式は前記第２の組み合わせ方式と異なる、請求項４乃至６のうちいずれか１項に記載の方法。
【請求項８】
前記システム情報は、シンボル位置インジケータフィールドを含み、
前記シンボル位置インジケータフィールドは、前記同期信号を搬送する開始シンボルの位置を示すために使用され、あるいは、前記シンボル位置インジケータフィールドは、前記同期信号を搬送する開始シンボルのインデックスを示すために使用され、あるいは、前記シンボル位置インジケータフィールドは、前記同期信号を搬送する開始シンボルと前記同期信号を搬送するサブフレームの第１のシンボルとの間の時間ドメインシフトを示すために使用され、あるいは、前記位置インジケータフィールドは、前記プライマリ同期信号を搬送する前記開始シンボルの位置を示すために使用され、あるいは、前記シンボル位置インジケータフィールドは、前記プライマリ同期信号を搬送する前記開始シンボルのインデックスを示すために使用され、あるいは、前記シンボル位置インジケータフィールドは、前記プライマリ同期信号を搬送する前記開始シンボルと前記プライマリ同期信号を搬送するサブフレームの第１のシンボルとの間の時間ドメインシフトを示すために使用される、
請求項３乃至７のうちいずれか１項に記載の方法。
【請求項９】
前記システム情報に対応するスクランブリングコードが、前記システム情報を搬送するサブフレームを示すために使用される、請求項３乃至８のうちいずれか１項に記載の方法。
【請求項１０】
前記同期信号はセカンダリ同期信号である、請求項１乃至９のうちいずれか１項に記載の方法。
【請求項１１】
情報送信方法であって、
端末により、同期信号に対応する系列を決定するステップと、
前記端末により、前記同期信号に対応する前記系列に基づいて、システム情報を搬送する時間周波数リソースを決定するステップと、
を含む方法。
【請求項１２】
前記端末により、前記同期信号に対応する前記系列に基づいて、システム情報を搬送する時間周波数リソースを決定するステップは、
前記同期信号に対応する前記系列が第１の系列である場合、前記端末により、前記システム情報を搬送する前記時間周波数リソースが第１の時間周波数リソースであると決定するステップ、又は、
前記同期信号に対応する前記系列が第２の系列である場合、前記端末により、前記システム情報を搬送する前記時間周波数リソースが第２の時間周波数リソースであると決定するステップを含み、
前記第１の時間周波数リソースの周波数ドメイン位置が、前記同期信号を搬送する時間周波数リソースの周波数ドメイン位置と同じであり、あるいは、前記第１の時間周波数リソースに対応する周波数ドメイン位置が、前記同期信号を搬送する時間周波数リソースに対応する周波数ドメイン位置を含み、
前記第２の時間周波数リソースの周波数ドメイン位置が、前記同期信号を搬送する前記時間周波数リソースの前記周波数ドメイン位置に隣接し、あるいは、前記第２の時間周波数リソースに対応する周波数ドメイン位置と前記同期信号を搬送する前記時間周波数リソースに対応する前記周波数ドメイン位置とが、固定の周波数シフトにより離される、請求項１１に記載の方法。
【請求項１３】
前記第１の時間周波数リソースの開始シンボルが、前記同期信号を搬送する最後のシンボルに隣接し、あるいは、前記第１の時間周波数リソースの開始シンボルが、前記同期信号を搬送する最後のシンボルの次のシンボルであり、あるいは、前記同期信号を搬送する最後のシンボルがシンボルｌである場合、前記第１の時間周波数リソースの開始シンボルはシンボル（ｌ＋１）又はシンボル（ｌ＋１）ｍｏｄ  Ｌであり、ｌ＝０，１，・・・Ｌ−１であり、Ｌは正の整数であり、
前記第２の時間周波数リソースのシンボルが、前記同期信号を搬送するシンボルと同じであり、あるいは、前記第２の時間周波数リソースの開始シンボルが、前記同期信号に含まれるプライマリ同期信号を搬送する開始シンボルと同じである、
請求項１２に記載の方法。
【請求項１４】
前記第１の系列は、２つの３１長系列を使用することにより第１の組み合わせ方式で生成され、前記第２の系列は、前記２つの３１長系列を使用することにより第２の組み合わせ方式で生成され、前記第１の組み合わせ方式は前記第２の組み合わせ方式と異なる、請求項１１乃至１３のうちいずれか１項に記載の方法。
【請求項１５】
情報送信方法であって、
ネットワークデバイスにより、同期信号に対応するサブキャリア間隔を決定するステップであり、前記同期信号に対応する前記サブキャリア間隔は、前記同期信号を搬送するサービングセルに対応するサブキャリア間隔セット内の最も大きいサブキャリア間隔である、ステップと、
前記ネットワークデバイスにより、前記同期信号に対応する前記サブキャリア間隔に基づいて前記同期信号を送出するステップと、
を含む方法。
【請求項１６】
前記ネットワークデバイスにより、前記同期信号に対応する前記サブキャリア間隔に基づいて前記同期信号を送出する前に、当該方法は、
前記ネットワークデバイスにより、前記同期信号に対応する前記サブキャリア間隔に基づいて、前記サブキャリア間隔に対応するサイクリックプレフィックスセットを決定するステップと、
前記ネットワークデバイスにより、前記サイクリックプレフィックスセットに基づいて、前記同期信号を搬送するシンボルに対応するサイクリックプレフィックスが前記サイクリックプレフィックスセット内の最も長いサイクリックプレフィックスであると決定するステップと、
をさらに含む、請求項１５に記載の方法。
【請求項１７】
前記ネットワークデバイスにより、前記同期信号に対応する前記サブキャリア間隔に基づいて前記同期信号を送出するステップは、
前記ネットワークデバイスにより、前記同期信号に対応する前記サブキャリア間隔と前記同期信号を搬送する前記シンボルに対応する前記サイクリックプレフィックスとに基づいて前記同期信号を送出するステップを含む、請求項１６に記載の方法。
【請求項１８】
当該方法は、
前記ネットワークデバイスにより、システム情報を搬送する時間周波数リソースを決定するステップと、
前記ネットワークデバイスにより、前記システム情報を搬送する前記時間周波数リソースに基づいて、前記同期信号に対応する系列を決定するステップと、
をさらに含む、請求項１５乃至１７のうちいずれか１項に記載の方法。
【請求項１９】
前記ネットワークデバイスにより、前記システム情報を搬送する前記時間周波数リソースに基づいて、前記同期信号に対応する系列を決定するステップは、
前記システム情報を搬送する前記時間周波数リソースが第１の時間周波数リソースである場合、前記ネットワークデバイスにより、前記同期信号に対応する前記系列が第１の系列であると決定するステップ、又は、
前記システム情報を搬送する前記時間周波数リソースが第２の時間周波数リソースである場合、前記ネットワークデバイスにより、前記同期信号に対応する前記系列が第２の系列であると決定するステップを含み、
前記第１の時間周波数リソースの周波数ドメイン位置が、前記同期信号を搬送する時間周波数リソースの周波数ドメイン位置と同じであり、あるいは、前記第１の時間周波数リソースの周波数ドメイン位置が、前記同期信号を搬送する時間周波数リソースの周波数ドメイン位置を含み、
前記第２の時間周波数リソースの周波数ドメイン位置が、前記同期信号を搬送する前記時間周波数リソースの前記周波数ドメイン位置に隣接し、あるいは、前記第２の時間周波数リソースの周波数ドメイン位置と前記同期信号を搬送する前記時間周波数リソースの前記周波数ドメイン位置とが、固定の周波数シフトにより離される、
請求項１８に記載の方法。
【請求項２０】
前記第１の時間周波数リソースの開始シンボルが、前記同期信号を搬送する最後のシンボルに隣接し、あるいは、前記第１の時間周波数リソースの開始シンボルが、前記同期信号を搬送する最後のシンボルの次のシンボルであり、あるいは、前記同期信号を搬送する最後のシンボルがシンボルｌである場合、前記第１の時間周波数リソースの開始シンボルはシンボル（ｌ＋１）又はシンボル（ｌ＋１）ｍｏｄ  Ｌであり、ｌ＝０，１，・・・Ｌ−１であり、Ｌは正の整数であり、
前記第２の時間周波数リソースのシンボルが、前記同期信号を搬送する前記シンボルと同じであり、あるいは、前記第２の時間周波数リソースの開始シンボルが、前記同期信号に含まれるプライマリ同期信号を搬送する開始シンボルと同じである、
請求項１９に記載の方法。
【請求項２１】
前記第２の時間周波数リソースの周波数ドメイン位置が、前記同期信号を搬送する前記時間周波数リソースの前記周波数ドメイン位置に隣接することは、
前記第２の時間周波数リソースの前記周波数ドメイン位置が、前記同期信号を搬送する前記時間周波数リソースの前記周波数ドメイン位置に隣接し、前記同期信号を搬送する前記時間周波数リソースの前記周波数ドメイン位置の両側に分散されることを含む、請求項１９又は２０に記載の方法。
【請求項２２】
前記ネットワークデバイスにより、前記システム情報を搬送する前記時間周波数リソースに基づいて、前記同期信号に対応する系列を決定するステップは、
前記システム情報を搬送する前記時間周波数リソースが第１の時間周波数リソースである場合、前記ネットワークデバイスにより、前記同期信号に対応する前記系列が第１の系列であると決定するステップ、又は、
前記システム情報を搬送する前記時間周波数リソースが第２の時間周波数リソースである場合、前記ネットワークデバイスにより、前記同期信号に対応する前記系列が第２の系列であると決定するステップを含み、
前記第１の時間周波数リソースと前記同期信号を搬送する時間周波数リソースとは、時分割多重の対象であり、前記第２の時間周波数リソースと前記同期信号を搬送する前記時間周波数リソースとは、周波数分割多重の対象である、請求項１８に記載の方法。
【請求項２３】
前記第１の系列は、２つの３１長系列を使用することにより第１の組み合わせ方式で生成され、前記第２の系列は、前記２つの３１長系列を使用することにより第２の組み合わせ方式で生成され、前記第１の組み合わせ方式は前記第２の組み合わせ方式と異なる、請求項１９又は２２に記載の方法。
【請求項２４】
前記システム情報は、シンボル位置インジケータフィールドを含み、
前記シンボル位置インジケータフィールドは、前記同期信号を搬送する開始シンボルの位置を示すために使用され、あるいは、前記シンボル位置インジケータフィールドは、前記同期信号を搬送する開始シンボルのインデックスを示すために使用され、あるいは、前記シンボル位置インジケータフィールドは、前記同期信号を搬送する開始シンボルと前記同期信号を搬送するサブフレームの第１のシンボルとの間の時間ドメインシフトを示すために使用され、あるいは、前記位置インジケータフィールドは、前記プライマリ同期信号を搬送する前記開始シンボルの位置を示すために使用され、あるいは、前記シンボル位置インジケータフィールドは、前記プライマリ同期信号を搬送する前記開始シンボルのインデックスを示すために使用され、あるいは、前記シンボル位置インジケータフィールドは、前記プライマリ同期信号を搬送する前記開始シンボルと前記プライマリ同期信号を搬送するサブフレームの第１のシンボルとの間の時間ドメインシフトを示すために使用される、
請求項１８乃至２３のうちいずれか１項に記載の方法。
【請求項２５】
前記システム情報に対応するスクランブリングコードが、前記システム情報を搬送するサブフレームを示すために使用される、請求項１８乃至２４のうちいずれか１項に記載の方法。
【請求項２６】
前記同期信号はセカンダリ同期信号である、請求項１５乃至２５のうちいずれか１項に記載の方法。
【請求項２７】
情報送信方法であって、
ネットワークデバイスにより、システム情報を搬送する時間周波数リソースを決定するステップと、
前記ネットワークデバイスにより、前記システム情報を搬送する前記時間周波数リソースに基づいて、前記同期信号に対応する系列を決定するステップと、
を含む方法。
【請求項２８】
前記ネットワークデバイスにより、前記システム情報を搬送する前記時間周波数リソースに基づいて、前記同期信号に対応する系列を決定するステップは、
前記システム情報を搬送する前記時間周波数リソースが第１の時間周波数リソースである場合、前記ネットワークデバイスにより、前記同期信号に対応する前記系列が第１の系列であると決定するステップ、又は、
前記システム情報を搬送する前記時間周波数リソースが第２の時間周波数リソースである場合、前記ネットワークデバイスにより、前記同期信号に対応する前記系列が第２の系列であると決定するステップを含み、
前記第１の時間周波数リソースの周波数ドメイン位置が、前記同期信号を搬送する時間周波数リソースの周波数ドメイン位置と同じであり、あるいは、前記第１の時間周波数リソースの周波数ドメイン位置が、前記同期信号を搬送する時間周波数リソースの周波数ドメイン位置を含み、
前記第２の時間周波数リソースの周波数ドメイン位置が、前記同期信号を搬送する前記時間周波数リソースの前記周波数ドメイン位置に隣接し、あるいは、前記第２の時間周波数リソースの周波数ドメイン位置と前記同期信号を搬送する前記時間周波数リソースの前記周波数ドメイン位置とが、固定の周波数シフトにより離される、
請求項２７に記載の方法。
【請求項２９】
前記第１の時間周波数リソースの開始シンボルが、前記同期信号を搬送する最後のシンボルに隣接し、あるいは、前記第１の時間周波数リソースの開始シンボルが、前記同期信号を搬送する最後のシンボルの次のシンボルであり、あるいは、前記同期信号を搬送する最後のシンボルがシンボルｌである場合、前記第１の時間周波数リソースの開始シンボルはシンボル（ｌ＋１）又はシンボル（ｌ＋１）ｍｏｄ  Ｌであり、ｌ＝０，１，・・・Ｌ−１であり、Ｌは正の整数であり、
前記第２の時間周波数リソースのシンボルが、前記同期信号を搬送するシンボルと同じであり、あるいは、前記第２の時間周波数リソースの開始シンボルが、前記同期信号に含まれるプライマリ同期信号を搬送する開始シンボルと同じである、
請求項２８に記載の方法。
【請求項３０】
前記ネットワークデバイスにより、前記システム情報を搬送する前記時間周波数リソースに基づいて、前記同期信号に対応する系列を決定するステップは、
前記システム情報を搬送する前記時間周波数リソースが第１の時間周波数リソースである場合、前記ネットワークデバイスにより、前記同期信号に対応する前記系列が第１の系列であると決定するステップ、又は、
前記システム情報を搬送する前記時間周波数リソースが第２の時間周波数リソースである場合、前記ネットワークデバイスにより、前記同期信号に対応する前記系列が第２の系列であると決定するステップを含み、
前記第１の時間周波数リソースと前記同期信号を搬送する時間周波数リソースとは、時分割多重の対象であり、前記第２の時間周波数リソースと前記同期信号を搬送する前記時間周波数リソースとは、周波数分割多重の対象である、請求項２７に記載の方法。
【請求項３１】
前記第１の系列は、２つの３１長系列を使用することにより第１の組み合わせ方式で生成され、前記第２の系列は、前記２つの３１長系列を使用することにより第２の組み合わせ方式で生成され、前記第１の組み合わせ方式は前記第２の組み合わせ方式と異なる、請求項２８又は３０に記載の方法。
【請求項３２】
ネットワークデバイスにより送出された情報を受信するように構成された受信ユニットと、
同期信号に対応するサブキャリア間隔を決定し、前記同期信号に対応する前記サブキャリア間隔は、前記同期信号を搬送するサービングセルに対応するサブキャリア間隔セット内の最も大きいサブキャリア間隔であり；前記同期信号に対応する前記サブキャリア間隔と前記ネットワークデバイスにより送出された前記受信した信号とに基づいて前記同期信号を検出するように構成された処理ユニットと、
を含む端末。
【請求項３３】
前記処理ユニットは、前記同期信号に対応する系列に基づいて、システム情報を搬送する時間周波数リソースを決定するようにさらに構成される、
請求項３２に記載の端末。
【請求項３４】
前記処理ユニットは、前記同期信号に対応する前記系列が第１の系列である場合、前記システム情報を搬送する前記時間周波数リソースが第１の時間周波数リソースであると決定し、あるいは、前記同期信号に対応する前記系列が第２の系列である場合、前記システム情報を搬送する前記時間周波数リソースが第２の時間周波数リソースであると決定するように具体的に構成され、
前記第１の時間周波数リソースの周波数ドメイン位置が、前記同期信号を搬送する時間周波数リソースの周波数ドメイン位置と同じであり、あるいは、前記第１の時間周波数リソースに対応する周波数ドメイン位置が、前記同期信号を搬送する時間周波数リソースに対応する周波数ドメイン位置を含み、前記第２の時間周波数リソースの周波数ドメイン位置が、前記同期信号を搬送する前記時間周波数リソースの前記周波数ドメイン位置に隣接し、あるいは、前記第２の時間周波数リソースに対応する周波数ドメイン位置と前記同期信号を搬送する前記時間周波数リソースに対応する前記周波数ドメイン位置とが、固定の周波数シフトにより離される、
請求項３３に記載の端末。
【請求項３５】
ネットワークデバイスにより送出された同期信号を受信するように構成された受信ユニットと、
前記ネットワークデバイスにより送出された前記受信した同期信号に基づいて前記同期信号に対応する系列を決定し、前記同期信号に対応する前記系列に基づいて、システム情報を搬送する時間周波数リソースを決定するように構成された処理ユニットと、
を含む端末。
【請求項３６】
前記処理ユニットは、前記同期信号に対応する前記系列が第１の系列である場合、前記システム情報を搬送する前記時間周波数リソースが第１の時間周波数リソースであると決定し、あるいは、前記同期信号に対応する前記系列が第２の系列である場合、前記システム情報を搬送する前記時間周波数リソースが第２の時間周波数リソースであると決定するように具体的に構成され、
前記第１の時間周波数リソースの周波数ドメイン位置が、前記同期信号を搬送する時間周波数リソースの周波数ドメイン位置と同じであり、あるいは、前記第１の時間周波数リソースに対応する周波数ドメイン位置が、前記同期信号を搬送する時間周波数リソースに対応する周波数ドメイン位置を含み、
前記第２の時間周波数リソースの周波数ドメイン位置が、前記同期信号を搬送する前記時間周波数リソースの前記周波数ドメイン位置に隣接し、あるいは、前記第２の時間周波数リソースに対応する周波数ドメイン位置と前記同期信号を搬送する前記時間周波数リソースに対応する前記周波数ドメイン位置とが、固定の周波数シフトにより離される、
請求項３５に記載の端末。
【請求項３７】
同期信号に対応するサブキャリア間隔を決定するように構成された処理ユニットであり、前記同期信号に対応する前記サブキャリア間隔は、前記同期信号を搬送するサービングセルに対応するサブキャリア間隔セット内の最も大きいサブキャリア間隔である、処理ユニットと、
前記同期信号に対応する前記サブキャリア間隔に基づいて前記同期信号を送出するように構成された送出ユニットと、
を含むネットワークデバイス。
【請求項３８】
前記処理ユニットは、前記同期信号に対応する前記サブキャリア間隔に基づいて、前記サブキャリア間隔に対応するサイクリックプレフィックスセットを決定し、前記サイクリックプレフィックスセットに基づいて、前記同期信号を搬送するシンボルに対応するサイクリックプレフィックスが前記サイクリックプレフィックスセット内の最も長いサイクリックプレフィックスであると決定するようにさらに構成される、
請求項３７に記載のネットワークデバイス。
【請求項３９】
前記送出ユニットは、前記同期信号に対応する前記サブキャリア間隔と前記同期信号を搬送する前記シンボルに対応する前記サイクリックプレフィックスとに基づいて前記同期信号を送出するように具体的に構成される、
請求項３８に記載のネットワークデバイス。
【請求項４０】
前記処理ユニットは、システム情報を搬送する時間周波数リソースを決定し、前記システム情報を搬送する前記時間周波数リソースに基づいて、前記同期信号に対応する系列を決定するようにさらに構成される、請求項３７乃至３９のうちいずれか１項に記載のネットワークデバイス。
【請求項４１】
前記処理ユニットは、前記システム情報を搬送する前記時間周波数リソースが第１の時間周波数リソースである場合、前記同期信号に対応する前記系列が第１の系列であると決定し、あるいは、前記システム情報を搬送する前記時間周波数リソースが第２の時間周波数リソースである場合、前記同期信号に対応する前記系列が第２の系列であると決定するように具体的に構成され、
前記第１の時間周波数リソースの周波数ドメイン位置が、前記同期信号を搬送する時間周波数リソースの周波数ドメイン位置と同じであり、あるいは、前記第１の時間周波数リソースの周波数ドメイン位置が、前記同期信号を搬送する時間周波数リソースの周波数ドメイン位置を含み、
前記第２の時間周波数リソースの周波数ドメイン位置が、前記同期信号を搬送する前記時間周波数リソースの前記周波数ドメイン位置に隣接し、あるいは、前記第２の時間周波数リソースの周波数ドメイン位置と前記同期信号を搬送する前記時間周波数リソースの前記周波数ドメイン位置とが、固定の周波数シフトにより離される、
請求項４０に記載のネットワークデバイス。
【請求項４２】
前記処理ユニットは、前記システム情報を搬送する前記時間周波数リソースが第１の時間周波数リソースである場合、前記同期信号に対応する前記系列が第１の系列であると決定し、あるいは、前記システム情報を搬送する前記時間周波数リソースが第２の時間周波数リソースである場合、前記同期信号に対応する前記系列が第２の系列であると決定するように具体的に構成され、
前記第１の時間周波数リソースと前記同期信号を搬送する時間周波数リソースとは、時分割多重の対象であり、前記第２の時間周波数リソースと前記同期信号を搬送する前記時間周波数リソースとは、周波数分割多重の対象である、
請求項４０に記載のネットワークデバイス。
【請求項４３】
システム情報を搬送する時間周波数リソースを決定し、前記システム情報を搬送する前記時間周波数リソースに基づいて、前記同期信号に対応する系列を決定するように構成された処理ユニットと、
前記同期信号を送出するように構成された送出ユニットと、
を含むネットワークデバイス。
【請求項４４】
前記処理ユニットは、前記システム情報を搬送する前記時間周波数リソースが第１の時間周波数リソースである場合、前記同期信号に対応する前記系列が第１の系列であると決定し、あるいは、前記システム情報を搬送する前記時間周波数リソースが第２の時間周波数リソースである場合、前記同期信号に対応する前記系列が第２の系列であると決定するように具体的に構成され、
前記第１の時間周波数リソースの周波数ドメイン位置が、前記同期信号を搬送する時間周波数リソースの周波数ドメイン位置と同じであり、あるいは、前記第１の時間周波数リソースの周波数ドメイン位置が、前記同期信号を搬送する時間周波数リソースの周波数ドメイン位置を含み、
前記第２の時間周波数リソースの周波数ドメイン位置が、前記同期信号を搬送する前記時間周波数リソースの前記周波数ドメイン位置に隣接し、あるいは、前記第２の時間周波数リソースの周波数ドメイン位置と前記同期信号を搬送する前記時間周波数リソースの前記周波数ドメイン位置とが、固定の周波数シフトにより離される、
請求項４３に記載のネットワークデバイス。
【請求項４５】
前記処理ユニットは、前記システム情報を搬送する前記時間周波数リソースが第１の時間周波数リソースである場合、前記同期信号に対応する前記系列が第１の系列であると決定し、あるいは、前記システム情報を搬送する前記時間周波数リソースが第２の時間周波数リソースである場合、前記同期信号に対応する前記系列が第２の系列であると決定するように具体的に構成され、
前記第１の時間周波数リソースと前記同期信号を搬送する時間周波数リソースとは、時分割多重の対象であり、前記第２の時間周波数リソースと前記同期信号を搬送する前記時間周波数リソースとは、周波数分割多重の対象である、
請求項４３に記載のネットワークデバイス。
【発明の詳細な説明】
【技術分野】
【０００１】
この出願は、2016年8月11日に中国特許庁に出願され「INFORMATION  TRANSMISSION  METHOD,  TERMINAL,  AND  NETWORK  DEVICE」と題された中国特許出願第201610658865.6号に対する優先権を主張し、該出願はその全体をここで参照により援用される。
【０００２】
この出願の実施例は通信技術に関し、詳細には情報送信方法、端末、及びネットワークデバイスに関する。
【背景技術】
【０００３】
第５世代（5th  Generation、５Ｇ）通信システム又はニューラジオ（New  Radio、ＮＲ）通信システムは、より高いシステム性能をサポートし、異なるサービス、異なる展開シナリオ、及び異なるスペクトルをサポートする目的で構築されている。サービスは、例えば、エンハンストモバイルブロードバンド（enhanced  Mobile  Broadband、ｅＭＢＢ）サービス、マシンタイプ通信（Machine  Type  Communication、ＭＴＣ）サービス、超高信頼性及び低遅延通信（Ultra-reliable  and  low  latency  communications、ＵＲＬＬＣ）サービス、マルチメディアブロードキャストマルチキャストサービス（Multimedia  Broadcast  Multicast  Service、ＭＢＭＳ）、及び測位サービスでもよい。展開シナリオは、例えば、屋内ホットスポット（Indoor  hotspot）シナリオ、密集都市部（dense  urban）シナリオ、郊外（suburban）シナリオ、都市部マクロ（Urban  Macro）シナリオ、及び高速鉄道シナリオでもよい。スペクトルは、例えば、１００ＧＨｚ以内の任意の周波数範囲でもよい。
【０００４】
現在の通信システムにおいて、異なる端末が同じ処理帯域幅を有し、同じ処理能力を有する。結果として、現在の通信システムは、異なるサービス、異なる展開シナリオ、及び異なるスペクトルリソースに対応するシナリオをサポートすることが困難である。
【０００５】
通信システムが、異なるサービス、異なる展開シナリオ、及び異なるスペクトルリソースシナリオのような異なる適用シナリオをサポートすることを可能にする方法が、さらに探求される必要がある。
【発明の概要】
【０００６】
この出願の実施例は、複数の異なる適用シナリオを柔軟にサポートするための情報送信方法、端末、及びネットワークデバイスを提供する。
【０００７】
第１の態様によれば、この出願の実施例は情報送信方法を提供する。当該方法は、
端末により、同期信号を搬送するサービングセルに対応するサブキャリア間隔セット内の最も大きいサブキャリア間隔を、同期信号に対応するサブキャリア間隔として決定するステップと、
端末により、同期信号に対応するサブキャリア間隔に基づいて同期信号を検出するステップとを含み得る。
【０００８】
当該方法において、サービングセルに対応するサブキャリア間隔セット内の異なるサブキャリア間隔が異なる適用シナリオに対応してもよく、それにより、端末とネットワークデバイスとの間の情報送信方法は異なる適用シナリオに柔軟に適用できる。
【０００９】
サービングセルに対応するサブキャリア間隔セット内のどのサブキャリア間隔がサービングセルにおける別のチャネル又は信号に使用されるかにかかわらず、端末は、同じサブキャリア間隔を使用することにより同期信号を検出し、それにより、端末は、同期信号に使用されたサブキャリア間隔を識別するために、同期信号に対してブラインド検出を実行する必要がない。これは、同期信号を検出するために端末により使用される時間を短縮し、サービングセルと同期するために端末により使用される時間を短縮し、すなわち、サービングセルにアクセスするために端末により使用される時間を短縮する。
【００１０】
サービングセルに対応するサブキャリア間隔セット内の最も大きいサブキャリア間隔に基づいて同期信号が検出されたと決定されたとき、同期信号は、同期信号検出成功率を上げるために、高速シナリオによりもたらされるドップラーシフトに抵抗することができる。
【００１１】
第１の態様の実現方式において、同期信号を搬送するシンボルに対応するサイクリックプレフィックスが、同期信号に対応するサブキャリア間隔に対応するサイクリックプレフィックスにおいて最も長いサイクリックプレフィックスである。
【００１２】
この方式において、サービングセルにおける同期信号のカバレッジエリア、及びサービングセルにおけるブロードキャストチャネルのカバレッジエリアが拡大でき、サービングセルにおける同期信号のロバスト性、及びサービングセルにおけるブロードキャストチャネルのロバスト性が改善できる。
【００１３】
第１の態様の別の実現方式において、当該方法は、
端末により、同期信号に対応する系列に基づいて、システム情報を搬送する時間周波数リソースを決定するステップをさらに含んでもよい。
【００１４】
第１の態様のさらに別の実現方式において、端末により、同期信号に対応する系列に基づいて、システム情報を搬送する時間周波数リソースを決定するステップは、
同期信号に対応する系列が第１の系列である場合、端末により、システム情報を搬送する時間周波数リソースが第１の時間周波数リソースであると決定するステップ、又は、
同期信号に対応する系列が第２の系列である場合、端末により、システム情報を搬送する時間周波数リソースが第２の時間周波数リソースであると決定するステップを含み、
第１の時間周波数リソースの周波数ドメイン位置が、同期信号を搬送する時間周波数リソースの周波数ドメイン位置と同じであり、あるいは、第１の時間周波数リソースに対応する周波数ドメイン位置が、同期信号を搬送する時間周波数リソースに対応する周波数ドメイン位置を含み、
第２の時間周波数リソースの周波数ドメイン位置が、同期信号を搬送する時間周波数リソースの周波数ドメイン位置に隣接し、あるいは、第２の時間周波数リソースに対応する周波数ドメイン位置と同期信号を搬送する時間周波数リソースに対応する周波数ドメイン位置とが、固定の周波数シフトにより離される。
【００１５】
当該方法において、同期信号に対応する系列に基づいて、システム情報を搬送する時間周波数リソースが第１の時間周波数リソース又は第２の時間周波数リソースであると決定されてもよく、それにより、システムは、実際の適用シナリオ及び実際の要件に依存して、システム情報を搬送するために第１の時間周波数リソース及び／又は第２の時間周波数リソースを柔軟に使用して、動的なＴＤＤをより良くサポートし、前方互換性をより良くサポートし、マルチビーム送信をより良くサポートすることができる。
【００１６】
第１の態様のさらに別の実現方式において、第１の時間周波数リソースの開始シンボルが、同期信号を搬送する最後のシンボルに隣接し、あるいは、
第１の時間周波数リソースの開始シンボルが、同期信号を搬送する最後のシンボルの次のシンボルであり、あるいは、
同期信号を搬送する最後のシンボルがシンボルｌである場合、第１の時間周波数リソースの開始シンボルはシンボル（ｌ＋１）又はシンボル（ｌ＋１）ｍｏｄ  Ｌであり、ｌ＝０，１，・・・Ｌ−１であり、Ｌは正の整数であり、
第２の時間周波数リソースのシンボルが、同期信号を搬送するシンボルと同じであり、あるいは、
第２の時間周波数リソースの開始シンボルが、同期信号に含まれるプライマリ同期信号を搬送する開始シンボルと同じである。
【００１７】
第１の態様のさらに別の実現方式において、第２の時間周波数リソースの周波数ドメイン位置が、同期信号を搬送する時間周波数リソースの周波数ドメイン位置に隣接し、同期信号を搬送する時間周波数リソースの周波数ドメイン位置の両側に分散される。
【００１８】
第１の態様のさらに別の実現方式において、第１の系列は、２つの３１長系列を使用することにより第１の組み合わせ方式で生成され、第２の系列は、２つの３１長系列を使用することにより第２の組み合わせ方式で生成され、第１の組み合わせ方式は第２の組み合わせ方式と異なる。
【００１９】
第１の態様のさらに別の実現方式において、システム情報は、シンボル位置インジケータフィールドを含み、
シンボル位置インジケータフィールドは、同期信号を搬送する開始シンボルの位置を示すために使用され、あるいは、
シンボル位置インジケータフィールドは、同期信号を搬送する開始シンボルのインデックスを示すために使用され、あるいは、
シンボル位置インジケータフィールドは、同期信号を搬送する開始シンボルと同期信号を搬送するサブフレームの第１のシンボルとの間の時間ドメインシフトを示すために使用され、あるいは、
位置インジケータフィールドは、プライマリ同期信号を搬送する開始シンボルの位置を示すために使用され、あるいは、
シンボル位置インジケータフィールドは、プライマリ同期信号を搬送する開始シンボルのインデックスを示すために使用され、あるいは、
シンボル位置インジケータフィールドは、プライマリ同期信号を搬送する開始シンボルとプライマリ同期信号を搬送するサブフレームの第１のシンボルとの間の時間ドメインシフトを示すために使用される。
【００２０】
当該方法において、端末は、無線フレーム内で同期信号を搬送する時間ドメイン位置を決定し、それにより、端末は、マルチビーム送信の間にフレームタイミングを実行することにおいてサポートされることができる。
【００２１】
第１の態様のさらに別の実現方式において、システム情報に対応するスクランブリングコードが、システム情報を搬送するサブフレームを示すために使用される。
【００２２】
第１の態様のさらに別の実現方式において、同期信号はセカンダリ同期信号である。
【００２３】
第２の態様によれば、この出願の実施例は情報送信方法をさらに提供する。当該方法は、
端末により、同期信号に対応する系列を決定するステップと、
端末により、同期信号に対応する系列に基づいて、システム情報を搬送する時間周波数リソースを決定するステップとを含み得る。
【００２４】
当該情報送信方法において、システム情報を搬送する異なる時間周波数リソースが異なる適用シナリオに対応してもよく、それにより、同期信号に対応する異なる系列が異なる適用シナリオに対応してもよく、ゆえに、端末とネットワークデバイスとの間の情報送信方法は異なる適用シナリオに柔軟に適用できる。
【００２５】
第２の態様の実現方式において、端末により、同期信号に対応する系列に基づいて、システム情報を搬送する時間周波数リソースを決定するステップは、
同期信号に対応する系列が第１の系列である場合、端末により、システム情報を搬送する時間周波数リソースが第１の時間周波数リソースであると決定するステップ、又は、
同期信号に対応する系列が第２の系列である場合、端末により、システム情報を搬送する時間周波数リソースが第２の時間周波数リソースであると決定するステップを含み、
第１の時間周波数リソースの周波数ドメイン位置が、同期信号を搬送する時間周波数リソースの周波数ドメイン位置と同じであり、あるいは、第１の時間周波数リソースに対応する周波数ドメイン位置が、同期信号を搬送する時間周波数リソースに対応する周波数ドメイン位置を含み、
第２の時間周波数リソースの周波数ドメイン位置が、同期信号を搬送する時間周波数リソースの周波数ドメイン位置に隣接し、あるいは、第２の時間周波数リソースに対応する周波数ドメイン位置と同期信号を搬送する時間周波数リソースに対応する周波数ドメイン位置とが、固定の周波数シフトにより離される。
【００２６】
第２の態様の別の実現方式において、第１の時間周波数リソースの開始シンボルが、同期信号を搬送する最後のシンボルに隣接し、あるいは、
第１の時間周波数リソースの開始シンボルが、同期信号を搬送する最後のシンボルの次のシンボルであり、あるいは、
同期信号を搬送する最後のシンボルがシンボルｌである場合、第１の時間周波数リソースの開始シンボルはシンボル（ｌ＋１）又はシンボル（ｌ＋１）ｍｏｄ  Ｌであり、ｌ＝０，１，・・・Ｌ−１であり、Ｌは正の整数であり、
第２の時間周波数リソースのシンボルが、同期信号を搬送するシンボルと同じであり、あるいは、第２の時間周波数リソースの開始シンボルが、同期信号に含まれるプライマリ同期信号を搬送する開始シンボルと同じである。
【００２７】
第２の態様のさらに別の実現方式において、第１の系列は、２つの３１長系列を使用することにより第１の組み合わせ方式で生成され、第２の系列は、２つの３１長系列を使用することにより第２の組み合わせ方式で生成され、第１の組み合わせ方式は第２の組み合わせ方式と異なる。
【００２８】
第３の態様によれば、この出願の実施例は情報送信方法をさらに提供でき、当該方法は、
ネットワークデバイスにより、同期信号を搬送するサービングセルに対応するサブキャリア間隔セット内の最も大きいサブキャリア間隔を、同期信号に対応するサブキャリア間隔として決定するステップと、
ネットワークデバイスにより、同期信号に対応するサブキャリア間隔に基づいて同期信号を送出するステップとを含む。
【００２９】
当該方法において、サービングセルに対応するサブキャリア間隔セット内の異なるサブキャリア間隔が異なる適用シナリオに対応してもよく、それにより、端末とネットワークデバイスとの間の情報送信方法は異なる適用シナリオに柔軟に適用できる。
【００３０】
第３の態様の別の実現方式において、ネットワークデバイスにより、同期信号に対応するサブキャリア間隔に基づいて同期信号を送出する前に、当該方法は、
ネットワークデバイスにより、同期信号に対応するサブキャリア間隔に基づいて、サブキャリア間隔に対応するサイクリックプレフィックスセットを決定するステップと、
ネットワークデバイスにより、サイクリックプレフィックスセットに基づいて、同期信号を搬送するシンボルに対応するサイクリックプレフィックスがサイクリックプレフィックスセット内の最も長いサイクリックプレフィックスであると決定するステップとをさらに含む。
【００３１】
第３の態様のさらに別の実現方式において、ネットワークデバイスにより、同期信号に対応するサブキャリア間隔に基づいて同期信号を送出するステップは、
ネットワークデバイスにより、同期信号に対応するサブキャリア間隔と同期信号を搬送するシンボルに対応するサイクリックプレフィックスとに基づいて同期信号を送出するステップを含む。
【００３２】
第３の態様のさらに別の実現方式において、当該方法は、
ネットワークデバイスにより、システム情報を搬送する時間周波数リソースを決定するステップと、
ネットワークデバイスにより、システム情報を搬送する時間周波数リソースに基づいて、同期信号に対応する系列を決定するステップとをさらに含んでもよい。
【００３３】
当該情報送信方法において、システム情報を搬送する異なる時間周波数リソースが異なる適用シナリオに対応してもよく、それにより、同期信号に対応する異なる系列が異なる適用シナリオに対応してもよく、ゆえに、端末とネットワークデバイスとの間の情報送信方法は異なる適用シナリオに柔軟に適用できる。
【００３４】
第３の態様のさらに別の実現方式において、ネットワークデバイスにより、システム情報を搬送する時間周波数リソースに基づいて、同期信号に対応する系列を決定するステップは、
システム情報を搬送する時間周波数リソースが第１の時間周波数リソースである場合、ネットワークデバイスにより、同期信号に対応する系列が第１の系列であると決定するステップ、又は、
システム情報を搬送する時間周波数リソースが第２の時間周波数リソースである場合、ネットワークデバイスにより、同期信号に対応する系列が第２の系列であると決定するステップを含んでもよく、
第１の時間周波数リソースの周波数ドメイン位置が、同期信号を搬送する時間周波数リソースの周波数ドメイン位置と同じであり、あるいは、第１の時間周波数リソースの周波数ドメイン位置が、同期信号を搬送する時間周波数リソースの周波数ドメイン位置を含み、
第２の時間周波数リソースの周波数ドメイン位置が、同期信号を搬送する時間周波数リソースの周波数ドメイン位置に隣接し、あるいは、第２の時間周波数リソースの周波数ドメイン位置と同期信号を搬送する時間周波数リソースの周波数ドメイン位置とが、固定の周波数シフトにより離される。
【００３５】
第３の態様のさらに別の実現方式において、第１の時間周波数リソースの開始シンボルが、同期信号を搬送する最後のシンボルに隣接し、あるいは、
第１の時間周波数リソースの開始シンボルが、同期信号を搬送する最後のシンボルの次のシンボルであり、あるいは、
同期信号を搬送する最後のシンボルがシンボルｌである場合、第１の時間周波数リソースの開始シンボルはシンボル（ｌ＋１）又はシンボル（ｌ＋１）ｍｏｄ  Ｌであり、ｌ＝０，１，・・・Ｌ−１であり、Ｌは正の整数であり、
第２の時間周波数リソースのシンボルが、同期信号を搬送するシンボルと同じであり、あるいは、第２の時間周波数リソースの開始シンボルが、同期信号に含まれるプライマリ同期信号を搬送する開始シンボルと同じである。
【００３６】
第３の態様のさらに別の実現方式において、第２の時間周波数リソースの周波数ドメイン位置が、同期信号を搬送する時間周波数リソースの周波数ドメイン位置に隣接し、同期信号を搬送する時間周波数リソースの周波数ドメイン位置の両側に分散される。
【００３７】
第３の態様のさらに別の実現方式において、ネットワークデバイスにより、システム情報を搬送する時間周波数リソースに基づいて、同期信号に対応する系列を決定するステップは、
システム情報を搬送する時間周波数リソースが第１の時間周波数リソースである場合、ネットワークデバイスにより、同期信号に対応する系列が第１の系列であると決定するステップ、又は、
システム情報を搬送する時間周波数リソースが第２の時間周波数リソースである場合、ネットワークデバイスにより、同期信号に対応する系列が第２の系列であると決定するステップを含み、
第１の時間周波数リソースと同期信号を搬送する時間周波数リソースとは、時分割多重の対象であり、第２の時間周波数リソースと同期信号を搬送する時間周波数リソースとは、周波数分割多重の対象である。
【００３８】
第３の態様のさらに別の実現方式において、第１の系列は、２つの３１長系列を使用することにより第１の組み合わせ方式で生成され、第２の系列は、２つの３１長系列を使用することにより第２の組み合わせ方式で生成され、第１の組み合わせ方式は第２の組み合わせ方式と異なる。
【００３９】
第３の態様のさらに別の実現方式において、システム情報は、シンボル位置インジケータフィールドを含み、
シンボル位置インジケータフィールドは、同期信号を搬送する開始シンボルの位置を示すために使用され、あるいは、
シンボル位置インジケータフィールドは、同期信号を搬送する開始シンボルのインデックスを示すために使用され、あるいは、
シンボル位置インジケータフィールドは、同期信号を搬送する開始シンボルと同期信号を搬送するサブフレームの第１のシンボルとの間の時間ドメインシフトを示すために使用され、あるいは、
位置インジケータフィールドは、プライマリ同期信号を搬送する開始シンボルの位置を示すために使用され、あるいは、
シンボル位置インジケータフィールドは、プライマリ同期信号を搬送する開始シンボルのインデックスを示すために使用され、あるいは、
シンボル位置インジケータフィールドは、プライマリ同期信号を搬送する開始シンボルとプライマリ同期信号を搬送するサブフレームの第１のシンボルとの間の時間ドメインシフトを示すために使用される。
【００４０】
第３の態様のさらに別の実現方式において、システム情報に対応するスクランブリングコードが、システム情報を搬送するサブフレームを示すために使用される。
【００４１】
第３の態様のさらに別の実現方式において、同期信号はセカンダリ同期信号である。
【００４２】
第４の態様によれば、情報送信方法が、
ネットワークデバイスにより、システム情報を搬送する時間周波数リソースを決定するステップと、
ネットワークデバイスにより、システム情報を搬送する時間周波数リソースに基づいて、同期信号に対応する系列を決定するステップとを含む。
【００４３】
第４の態様の実現方式において、ネットワークデバイスにより、システム情報を搬送する時間周波数リソースに基づいて、同期信号に対応する系列を決定するステップは、
システム情報を搬送する時間周波数リソースが第１の時間周波数リソースである場合、ネットワークデバイスにより、同期信号に対応する系列が第１の系列であると決定するステップ、又は、
システム情報を搬送する時間周波数リソースが第２の時間周波数リソースである場合、ネットワークデバイスにより、同期信号に対応する系列が第２の系列であると決定するステップを含み、
第１の時間周波数リソースの周波数ドメイン位置が、同期信号を搬送する時間周波数リソースの周波数ドメイン位置と同じであり、あるいは、第１の時間周波数リソースの周波数ドメイン位置が、同期信号を搬送する時間周波数リソースの周波数ドメイン位置を含み、
第２の時間周波数リソースの周波数ドメイン位置が、同期信号を搬送する時間周波数リソースの周波数ドメイン位置に隣接し、あるいは、第２の時間周波数リソースの周波数ドメイン位置と同期信号を搬送する時間周波数リソースの周波数ドメイン位置とが、固定の周波数シフトにより離される。
【００４４】
第４の態様の別の実現方式において、第１の時間周波数リソースの開始シンボルが、同期信号を搬送する最後のシンボルに隣接し、あるいは、第１の時間周波数リソースの開始シンボルが、同期信号を搬送する最後のシンボルの次のシンボルであり、あるいは、同期信号を搬送する最後のシンボルがシンボルｌである場合、第１の時間周波数リソースの開始シンボルはシンボル（ｌ＋１）又はシンボル（ｌ＋１）ｍｏｄ  Ｌであり、ｌ＝０，１，・・・Ｌ−１であり、Ｌは正の整数であり、
第２の時間周波数リソースのシンボルが、同期信号を搬送するシンボルと同じであり、あるいは、第２の時間周波数リソースの開始シンボルが、同期信号に含まれるプライマリ同期信号を搬送する開始シンボルと同じである。
【００４５】
第４の態様のさらに別の実現方式において、ネットワークデバイスにより、システム情報を搬送する時間周波数リソースに基づいて、同期信号に対応する系列を決定するステップは、
システム情報を搬送する時間周波数リソースが第１の時間周波数リソースである場合、ネットワークデバイスにより、同期信号に対応する系列が第１の系列であると決定するステップ、又は、
システム情報を搬送する時間周波数リソースが第２の時間周波数リソースである場合、ネットワークデバイスにより、同期信号に対応する系列が第２の系列であると決定するステップを含み、
第１の時間周波数リソースと同期信号を搬送する時間周波数リソースとは、時分割多重の対象であり、第２の時間周波数リソースと同期信号を搬送する時間周波数リソースとは、周波数分割多重の対象である。
【００４６】
第４の態様のさらに別の実現方式において、第１の系列は、２つの３１長系列を使用することにより第１の組み合わせ方式で生成され、第２の系列は、２つの３１長系列を使用することにより第２の組み合わせ方式で生成され、第１の組み合わせ方式は第２の組み合わせ方式と異なる。
【００４７】
第５の態様によれば、この出願の実施例は端末をさらに提供し、当該端末は、
ネットワークデバイスにより送出された情報を受信するように構成された受信ユニットと、
同期信号に対応するサブキャリア間隔を決定し、同期信号に対応するサブキャリア間隔は、同期信号を搬送するサービングセルに対応するサブキャリア間隔セット内の最も大きいサブキャリア間隔であり；同期信号に対応するサブキャリア間隔とネットワークデバイスにより送出された受信した信号とに基づいて同期信号を検出するように構成された処理ユニットとを含む。
【００４８】
第５の態様の実現方式において、同期信号を搬送するシンボルに対応するサイクリックプレフィックスが、同期信号に対応するサブキャリア間隔に対応するサイクリックプレフィックスにおいて最も長いサイクリックプレフィックスである。
【００４９】
第５の態様の別の実現方式において、処理ユニットは、同期信号に対応する系列に基づいて、システム情報を搬送する時間周波数リソースを決定するようにさらに構成される。
【００５０】
第５の態様のさらに別の実現方式において、処理ユニットは、同期信号に対応する系列が第１の系列である場合、システム情報を搬送する時間周波数リソースが第１の時間周波数リソースであると決定し、あるいは、同期信号に対応する系列が第２の系列である場合、システム情報を搬送する時間周波数リソースが第２の時間周波数リソースであると決定するように具体的に構成され、
第１の時間周波数リソースの周波数ドメイン位置が、同期信号を搬送する時間周波数リソースの周波数ドメイン位置と同じであり、あるいは、第１の時間周波数リソースに対応する周波数ドメイン位置が、同期信号を搬送する時間周波数リソースに対応する周波数ドメイン位置を含み、第２の時間周波数リソースの周波数ドメイン位置が、同期信号を搬送する時間周波数リソースの周波数ドメイン位置に隣接し、あるいは、第２の時間周波数リソースに対応する周波数ドメイン位置と同期信号を搬送する時間周波数リソースに対応する周波数ドメイン位置とが、固定の周波数シフトにより離される。
【００５１】
第５の態様のさらに別の実現方式において、第１の時間周波数リソースの開始シンボルが、同期信号を搬送する最後のシンボルに隣接し、あるいは、
第１の時間周波数リソースの開始シンボルが、同期信号を搬送する最後のシンボルの次のシンボルであり、あるいは、
同期信号を搬送する最後のシンボルがシンボルｌである場合、第１の時間周波数リソースの開始シンボルはシンボル（ｌ＋１）又はシンボル（ｌ＋１）ｍｏｄ  Ｌであり、ｌ＝０，１，・・・Ｌ−１であり、Ｌは正の整数であり、
第２の時間周波数リソースのシンボルが、同期信号を搬送するシンボルと同じであり、あるいは、第２の時間周波数リソースの開始シンボルが、同期信号に含まれるプライマリ同期信号を搬送する開始シンボルと同じである。
【００５２】
第５の態様のさらに別の実現方式において、第２の時間周波数リソースの周波数ドメイン位置が、同期信号を搬送する時間周波数リソースの周波数ドメイン位置に隣接し、同期信号を搬送する時間周波数リソースの周波数ドメイン位置の両側に分散される。
【００５３】
第５の態様のさらに別の実現方式において、第１の系列は、２つの３１長系列を使用することにより第１の組み合わせ方式で生成され、第２の系列は、２つの３１長系列を使用することにより第２の組み合わせ方式で生成され、第１の組み合わせ方式は第２の組み合わせ方式と異なる。
【００５４】
第５の態様のさらに別の実現方式において、システム情報は、シンボル位置インジケータフィールドを含み、
シンボル位置インジケータフィールドは、同期信号を搬送する開始シンボルの位置を示すために使用され、あるいは、
シンボル位置インジケータフィールドは、同期信号を搬送する開始シンボルのインデックスを示すために使用され、あるいは、
シンボル位置インジケータフィールドは、同期信号を搬送する開始シンボルと同期信号を搬送するサブフレームの第１のシンボルとの間の時間ドメインシフトを示すために使用され、あるいは、
位置インジケータフィールドは、プライマリ同期信号を搬送する開始シンボルの位置を示すために使用され、あるいは、
シンボル位置インジケータフィールドは、プライマリ同期信号を搬送する開始シンボルのインデックスを示すために使用され、あるいは、
シンボル位置インジケータフィールドは、プライマリ同期信号を搬送する開始シンボルとプライマリ同期信号を搬送するサブフレームの第１のシンボルとの間の時間ドメインシフトを示すために使用される。
【００５５】
第５の態様のさらに別の実現方式において、システム情報に対応するスクランブリングコードが、システム情報を搬送するサブフレームを示すために使用される。
【００５６】
第５の態様のさらに別の実現方式において、同期信号はセカンダリ同期信号である。
【００５７】
第６の態様によれば、この出願の実施例は端末をさらに提供し、当該端末は、
ネットワークデバイスにより送出された同期信号を受信するように構成された受信ユニットと、
ネットワークデバイスにより送出された受信した同期信号に基づいて同期信号に対応する系列を決定し、同期信号に対応する系列に基づいて、システム情報を搬送する時間周波数リソースを決定するように構成された処理ユニットとを含む。
【００５８】
第６の態様の実現方式において、処理ユニットは、同期信号に対応する系列が第１の系列である場合、システム情報を搬送する時間周波数リソースが第１の時間周波数リソースであると決定し、あるいは、同期信号に対応する系列が第２の系列である場合、システム情報を搬送する時間周波数リソースが第２の時間周波数リソースであると決定するように具体的に構成され、
第１の時間周波数リソースの周波数ドメイン位置が、同期信号を搬送する時間周波数リソースの周波数ドメイン位置と同じであり、あるいは、第１の時間周波数リソースに対応する周波数ドメイン位置が、同期信号を搬送する時間周波数リソースに対応する周波数ドメイン位置を含み、
第２の時間周波数リソースの周波数ドメイン位置が、同期信号を搬送する時間周波数リソースの周波数ドメイン位置に隣接し、あるいは、第２の時間周波数リソースに対応する周波数ドメイン位置と同期信号を搬送する時間周波数リソースに対応する周波数ドメイン位置とが、固定の周波数シフトにより離される。
【００５９】
第６の態様の別の実現方式において、第１の時間周波数リソースの開始シンボルが、同期信号を搬送する最後のシンボルに隣接し、あるいは、
第１の時間周波数リソースの開始シンボルが、同期信号を搬送する最後のシンボルの次のシンボルであり、あるいは、
同期信号を搬送する最後のシンボルがシンボルｌである場合、第１の時間周波数リソースの開始シンボルはシンボル（ｌ＋１）又はシンボル（ｌ＋１）ｍｏｄ  Ｌであり、ｌ＝０，１，・・・Ｌ−１であり、Ｌは正の整数であり、
第２の時間周波数リソースのシンボルが、同期信号を搬送するシンボルと同じであり、あるいは、第２の時間周波数リソースの開始シンボルが、同期信号に含まれるプライマリ同期信号を搬送する開始シンボルと同じである。
【００６０】
第６の態様のさらに別の実現方式において、第１の系列は、２つの３１長系列を使用することにより第１の組み合わせ方式で生成され、第２の系列は、２つの３１長系列を使用することにより第２の組み合わせ方式で生成され、第１の組み合わせ方式は第２の組み合わせ方式と異なる。
【００６１】
第７の態様によれば、この出願の実施例はネットワークデバイスをさらに提供し、当該ネットワークデバイスは、
同期信号に対応するサブキャリア間隔を決定するように構成された処理ユニットであり、同期信号に対応するサブキャリア間隔は、同期信号を搬送するサービングセルに対応するサブキャリア間隔セット内の最も大きいサブキャリア間隔である、処理ユニットと、
同期信号に対応するサブキャリア間隔に基づいて同期信号を送出するように構成された送出ユニットとを含む。
【００６２】
第７の態様の実現方式において、処理ユニットは、同期信号に対応するサブキャリア間隔に基づいて、サブキャリア間隔に対応するサイクリックプレフィックスセットを決定し、サイクリックプレフィックスセットに基づいて、同期信号を搬送するシンボルに対応するサイクリックプレフィックスがサイクリックプレフィックスセット内の最も長いサイクリックプレフィックスであると決定するようにさらに構成される。
【００６３】
第７の態様の別の実現方式において、送出ユニットは、同期信号に対応するサブキャリア間隔と同期信号を搬送するシンボルに対応するサイクリックプレフィックスとに基づいて同期信号を送出するように具体的に構成される。
【００６４】
第７の態様のさらに別の実現方式において、処理ユニットは、システム情報を搬送する時間周波数リソースを決定し、システム情報を搬送する時間周波数リソースに基づいて、同期信号に対応する系列を決定するようにさらに構成される。
【００６５】
第７の態様のさらに別の実現方式において、処理ユニットは、システム情報を搬送する時間周波数リソースが第１の時間周波数リソースである場合、同期信号に対応する系列が第１の系列であると決定し、あるいは、システム情報を搬送する時間周波数リソースが第２の時間周波数リソースである場合、同期信号に対応する系列が第２の系列であると決定するように具体的に構成され、
第１の時間周波数リソースの周波数ドメイン位置が、同期信号を搬送する時間周波数リソースの周波数ドメイン位置と同じであり、あるいは、第１の時間周波数リソースの周波数ドメイン位置が、同期信号を搬送する時間周波数リソースの周波数ドメイン位置を含み、
第２の時間周波数リソースの周波数ドメイン位置が、同期信号を搬送する時間周波数リソースの周波数ドメイン位置に隣接し、あるいは、第２の時間周波数リソースの周波数ドメイン位置と同期信号を搬送する時間周波数リソースの周波数ドメイン位置とが、固定の周波数シフトにより離される。
【００６６】
第７の態様のさらに別の実現方式において、第１の時間周波数リソースの開始シンボルが、同期信号を搬送する最後のシンボルに隣接し、あるいは、
第１の時間周波数リソースの開始シンボルが、同期信号を搬送する最後のシンボルの次のシンボルであり、あるいは、
同期信号を搬送する最後のシンボルがシンボルｌである場合、第１の時間周波数リソースの開始シンボルはシンボル（ｌ＋１）又はシンボル（ｌ＋１）ｍｏｄ  Ｌであり、ｌ＝０，１，・・・Ｌ−１であり、Ｌは正の整数であり、
第２の時間周波数リソースのシンボルが、同期信号を搬送するシンボルと同じであり、あるいは、第２の時間周波数リソースの開始シンボルが、同期信号に含まれるプライマリ同期信号を搬送する開始シンボルと同じである。
【００６７】
第７の態様のさらに別の実現方式において、第２の時間周波数リソースの周波数ドメイン位置が、同期信号を搬送する時間周波数リソースの周波数ドメイン位置に隣接し、同期信号を搬送する時間周波数リソースの周波数ドメイン位置の両側に分散される。
【００６８】
第７の態様のさらに別の実現方式において、処理ユニットは、システム情報を搬送する時間周波数リソースが第１の時間周波数リソースである場合、同期信号に対応する系列が第１の系列であると決定し、あるいは、システム情報を搬送する時間周波数リソースが第２の時間周波数リソースである場合、同期信号に対応する系列が第２の系列であると決定するように具体的に構成され、
第１の時間周波数リソースと同期信号を搬送する時間周波数リソースとは、時分割多重の対象であり、第２の時間周波数リソースと同期信号を搬送する時間周波数リソースとは、周波数分割多重の対象である。
【００６９】
第７の態様のさらに別の実現方式において、第１の系列は、２つの３１長系列を使用することにより第１の組み合わせ方式で生成され、第２の系列は、２つの３１長系列を使用することにより第２の組み合わせ方式で生成され、第１の組み合わせ方式は第２の組み合わせ方式と異なる。
【００７０】
第７の態様のさらに別の実現方式において、システム情報は、シンボル位置インジケータフィールドを含み、
シンボル位置インジケータフィールドは、同期信号を搬送する開始シンボルの位置を示すために使用され、あるいは、
シンボル位置インジケータフィールドは、同期信号を搬送する開始シンボルのインデックスを示すために使用され、あるいは、
シンボル位置インジケータフィールドは、同期信号を搬送する開始シンボルと同期信号を搬送するサブフレームの第１のシンボルとの間の時間ドメインシフトを示すために使用され、あるいは、
位置インジケータフィールドは、プライマリ同期信号を搬送する開始シンボルの位置を示すために使用され、あるいは、
シンボル位置インジケータフィールドは、プライマリ同期信号を搬送する開始シンボルのインデックスを示すために使用され、あるいは、
シンボル位置インジケータフィールドは、プライマリ同期信号を搬送する開始シンボルとプライマリ同期信号を搬送するサブフレームの第１のシンボルとの間の時間ドメインシフトを示すために使用される。
【００７１】
第７の態様のさらに別の実現方式において、システム情報に対応するスクランブリングコードが、システム情報を搬送するサブフレームを示すために使用される。
【００７２】
第７の態様のさらに別の実現方式において、同期信号はセカンダリ同期信号である。
【００７３】
第８の態様によれば、この出願の実施例はネットワークデバイスをさらに提供し、当該ネットワークデバイスは、
システム情報を搬送する時間周波数リソースを決定し、システム情報を搬送する時間周波数リソースに基づいて、同期信号に対応する系列を決定するように構成された処理ユニットと、
同期信号を送出するように構成された送出ユニットとを含む。
【００７４】
第８の態様の実現方式において、処理ユニットは、システム情報を搬送する時間周波数リソースが第１の時間周波数リソースである場合、同期信号に対応する系列が第１の系列であると決定し、あるいは、システム情報を搬送する時間周波数リソースが第２の時間周波数リソースである場合、同期信号に対応する系列が第２の系列であると決定するように具体的に構成され、
第１の時間周波数リソースの周波数ドメイン位置が、同期信号を搬送する時間周波数リソースの周波数ドメイン位置と同じであり、あるいは、第１の時間周波数リソースの周波数ドメイン位置が、同期信号を搬送する時間周波数リソースの周波数ドメイン位置を含み、
第２の時間周波数リソースの周波数ドメイン位置が、同期信号を搬送する時間周波数リソースの周波数ドメイン位置に隣接し、あるいは、第２の時間周波数リソースの周波数ドメイン位置と同期信号を搬送する時間周波数リソースの周波数ドメイン位置とが、固定の周波数シフトにより離される。
【００７５】
第８の態様の別の実現方式において、第１の時間周波数リソースの開始シンボルが、同期信号を搬送する最後のシンボルに隣接し、あるいは、
第１の時間周波数リソースの開始シンボルが、同期信号を搬送する最後のシンボルの次のシンボルであり、あるいは、
同期信号を搬送する最後のシンボルがシンボルｌである場合、第１の時間周波数リソースの開始シンボルはシンボル（ｌ＋１）又はシンボル（ｌ＋１）ｍｏｄ  Ｌであり、ｌ＝０，１，・・・Ｌ−１であり、Ｌは正の整数であり、
第２の時間周波数リソースのシンボルが、同期信号を搬送するシンボルと同じであり、あるいは、第２の時間周波数リソースの開始シンボルが、同期信号に含まれるプライマリ同期信号を搬送する開始シンボルと同じである。
【００７６】
第８の態様のさらに別の実現方式において、処理ユニットは、システム情報を搬送する時間周波数リソースが第１の時間周波数リソースである場合、同期信号に対応する系列が第１の系列であると決定し、あるいは、システム情報を搬送する時間周波数リソースが第２の時間周波数リソースである場合、同期信号に対応する系列が第２の系列であると決定するように具体的に構成され、
第１の時間周波数リソースと同期信号を搬送する時間周波数リソースとは、時分割多重の対象であり、第２の時間周波数リソースと同期信号を搬送する時間周波数リソースとは、周波数分割多重の対象である。
【００７７】
第８の態様のさらに別の実現方式において、第１の系列は、２つの３１長系列を使用することにより第１の組み合わせ方式で生成され、第２の系列は、２つの３１長系列を使用することにより第２の組み合わせ方式で生成され、第１の組み合わせ方式は第２の組み合わせ方式と異なる。
【００７８】
この出願の実施例で提供される情報送信方法、端末、及びネットワークデバイスによれば、ネットワークデバイスは、同期信号を搬送するサービングセルに対応するサブキャリア間隔セット内の最も大きいサブキャリア間隔を、同期信号に対応するサブキャリア間隔として決定し、同期信号に対応するサブキャリア間隔に基づいて同期信号を送出してもよく、端末は、同期信号を搬送するサービングセルに対応するサブキャリア間隔セット内の最も大きいサブキャリア間隔を、同期信号に対応するサブキャリア間隔として決定し、同期信号に対応するサブキャリア間隔に基づいて同期信号を検出する。サービングセルに対応するサブキャリア間隔セット内の異なるサブキャリア間隔が異なる適用シナリオに対応してもよく、それにより、端末とネットワークデバイスとの間の情報送信方法は異なる適用シナリオに柔軟に適用できる。
【図面の簡単な説明】
【００７９】
【図１】この出願の実施例１による情報送信方法のフローチャートである。
【図２】この出願の実施例２による情報送信方法のフローチャートである。
【図３】第１の時間周波数リソースと同期信号を搬送する時間周波数リソースとの間の対応関係の図である。
【図４】第２の時間周波数リソースと同期信号を搬送する時間周波数リソースとの間の対応関係の図である。
【図５】この出願の実施例２による別の情報送信方法のフローチャートである。
【図６】この出願の実施例２によるさらに別の情報送信方法のフローチャートである。
【図７】この出願の実施例３による情報送信方法のフローチャートである。
【図８】この出願の実施例３による別の情報送信方法のフローチャートである。
【図９】この出願の実施例４による端末の概略構成図である。
【図１０】この出願の実施例５による端末の概略構成図である。
【図１１】この出願の実施例６によるネットワークデバイスの概略構成図である。
【図１２】この出願の実施例７によるネットワークデバイスの概略構成図である。
【発明を実施するための形態】
【００８０】
この出願の実施例で提供される情報送信方法及び装置、端末、及びネットワークデバイスは、複数の異なる適用シナリオをサポートするために、５Ｇ通信システム、ＮＲ通信システム、及びこれらに基づき進化したより高度な通信システムに適用できる。
【００８１】
この出願の以下の実施例において、端末は、５Ｇ通信技術、ＮＲ通信技術、又は将来のより高度な通信技術を使用する端末でもよく、各ネットワークデバイスは、５Ｇ通信技術、ＮＲ通信技術、又は将来のより高度な通信技術を使用するネットワークデバイスでもよい。
【００８２】
端末は無線端末でもよく、あるいは有線端末でもよい。無線端末は、ユーザに音声及び／又はデータ接続性を提供するデバイス、無線接続機能を有するハンドヘルドデバイス、又は無線モデムに接続された他の処理デバイスでもよい。無線端末は、無線アクセスネットワーク（Radio  Access  Network、ＲＡＮ）を使用することにより１つ以上のコアネットワークと通信してもよい。無線端末は、モバイル端末、例えば、モバイルフォン（「セルラー」フォンとも呼ばれる）、又はモバイル端末を有するコンピュータでもよい。例えば、無線端末は、ポータブルモバイル装置、ポケットサイズのモバイル装置、ハンドヘルドモバイル装置、コンピュータビルトインモバイル装置、又は無線アクセスネットワークと音声及び／又はデータを交換する車載モバイル装置でもよい。例えば、無線端末は、パーソナル通信サービス（Personal  Communications  Service、ＰＣＳ）フォン、コードレス電話セット、セッションイニシエーションプロトコル（Session  Initiation  Protocol、ＳＩＰ）フォン、無線ローカルループ（Wireless  Local  Loop、ＷＬＬ）局、又はパーソナルデジタルアシスタント（Personal  Digital  Assistant、ＰＤＡ）のようなデバイスでもよい。無線端末は、加入者ユニット（Subscriber  Unit）、加入者局（Subscriber  Station）、モバイル局（Mobile  Station）、モバイルコンソール（Mobile）、リモート局（Remote  Station）、アクセスポイント（Access  Point）、リモート端末（Remote  Terminal）、アクセス端末（Access  Terminal）、ユーザ端末（User  Terminal）、ユーザエージェント（User  Agent）、ユーザデバイス（User  Device）、又はユーザ装置（User  Equipment）とも呼ばれ得る。
【００８３】
ネットワークデバイスは、アクセスネットワークデバイス、例えば、基地局でもよく、アクセスポイント（Access  Point、ＡＰ）と呼ばれてもよい。この出願で説明される基地局は、無線局の形式であり、移動通信交換局（mobile  switching  center）を使用することにより特定の無線カバレッジエリア内のモバイルフォン端末と情報を交換する無線送受信局でもよく、あるいは１つ以上のセクタを使用することによりアクセスネットワークにおけるエアインターフェースを通じて無線端末と通信するデバイスでもよい。基地局は、受信したオーバー・ジ・エア（over-the-air）フレームとインターネットプロトコル（Internet  Protocol、ＩＰ）パケットとの間の変換を実行し、無線端末とアクセスネットワークの残りの部分との間のルータの役割を果たすように構成されてもよい。アクセスネットワークの残りの部分は、インターネットプロトコル（ＩＰ）ネットワークを含んでもよい。基地局は、エアインターフェース上の属性管理をさらに協調させてもよい。例えば、基地局は、基地送受信局（Base  Transceiver  Station、ＢＴＳ）、ノードベース（Node  Base、ＮｏｄｅＢ）、進化型ノードＢ（evolved  Node  B、ｅＮＢ）などのうち任意の１つでもよい。これはこの出願で限定されない。
【００８４】
この出願の以下の実施例で提供される情報送信方法において、ネットワークデバイスは、同期信号を搬送するサービングセルに対応するサブキャリア間隔セット内の最も大きいサブキャリア間隔を、同期信号に対応するサブキャリア間隔として決定し、同期信号に対応するサブキャリア間隔に基づいて同期信号を送出してもよく、端末は、同期信号を搬送するサービングセルに対応するサブキャリア間隔セット内の最も大きいサブキャリア間隔を、同期信号に対応するサブキャリア間隔として決定し、同期信号に対応するサブキャリア間隔に基づいて同期信号を検出する。サービングセルに対応するサブキャリア間隔セット内の異なるサブキャリア間隔が異なる適用シナリオに対応してもよく、それにより、端末とネットワークデバイスとの間の情報送信方法は異なる適用シナリオに柔軟に適用できる。
【００８５】
情報送信方法は、複数の例を使用することによりこの出願の以下の実施例で例示される。この出願のすべての実施例において、別段示されない限り、実施例中のステップのシーケンスもステップ間の相互依存も限定されないことが留意されるべきである。
【００８６】
図１は、この出願の実施例１による情報送信方法のフローチャートである。図１に示されるように、方法は以下のステップを含み得る。
【００８７】
Ｓ１０１．ネットワークデバイスが、同期信号に対応するサブキャリア間隔を決定する。
【００８８】
ステップＳ１０１において、ネットワークデバイスは、同期信号に対応するサブキャリア間隔を決定し、同期信号に対応するサブキャリア間隔は、同期信号を搬送するサービングセルに対応するサブキャリア間隔セット内の最も大きいサブキャリア間隔でもよい。
【００８９】
具体的に、ネットワークデバイスは、同期信号を搬送するサービングセルに対応するサブキャリア間隔セットに基づいて、サブキャリア間隔セット内の最も大きいサブキャリア間隔を、同期信号に対応するサブキャリア間隔として決定してもよい。
【００９０】
サービングセルは、端末のプライマリサービングセル（Primary  serving  cell）でもよく、あるいは端末のセカンダリサービングセル（Secondary  serving  cell）でもよい。この出願の実現方式において、サービングセル（serving  cell）はキャリア（carrier）と呼ばれてもよい。換言すると、１つのサービングセルは１つのキャリアである。
【００９１】
例えば、同期信号を搬送するサービングセルに対応するサブキャリア間隔セットが１５ｋＨｚサブキャリア間隔及び３０ｋＨｚサブキャリア間隔を含む場合、ネットワークデバイスは、サブキャリア間隔セット内の最も大きいサブキャリア間隔、すなわち３０ｋＨｚサブキャリア間隔を、同期信号に対応するサブキャリア間隔として決定してもよい。
【００９２】
別の実施例において、ステップＳ１０１において、ネットワークデバイスは、同期信号に対応するサブキャリア間隔を決定し、同期信号に対応するサブキャリア間隔は、同期信号を搬送するサービングセルに対応するサブキャリア間隔セット内の最も小さいサブキャリア間隔でもよい。
【００９３】
具体的に、ネットワークデバイスは、同期信号を搬送するサービングセルに対応するサブキャリア間隔セットに基づいて、サブキャリア間隔セット内の最も小さいサブキャリア間隔を、同期信号に対応するサブキャリア間隔として決定してもよい。
【００９４】
例えば、同期信号を搬送するサービングセルに対応するサブキャリア間隔セットが１５ｋＨｚサブキャリア間隔及び３０ｋＨｚサブキャリア間隔を含む場合、ネットワークデバイスは、サブキャリア間隔セット内の最も大きいサブキャリア間隔、すなわち１５ｋＨｚサブキャリア間隔を、同期信号に対応するサブキャリア間隔として決定してもよい。
【００９５】
さらに別の実施例において、ステップＳ１０１において、ネットワークデバイスは、同期信号に対応するサブキャリア間隔を決定し、同期信号に対応するサブキャリア間隔は、同期信号を搬送するサービングセルに対応するサブキャリア間隔セット内の第１のサブキャリア間隔でもよい。第１のサブキャリア間隔は、サブキャリア間隔セット内の最も小さいサブキャリア間隔でもサブキャリア間隔セット内の最も大きいサブキャリア間隔でもなく、例えば、サブキャリア間隔セット内の２番目に大きいサブキャリア間隔でもよい。例えば、同期信号を搬送するサービングセルに対応するサブキャリア間隔セットが１５ｋＨｚサブキャリア間隔、３０ｋＨｚサブキャリア間隔、及び６０ｋＨｚサブキャリア間隔を含む場合、ネットワークデバイスは、サブキャリア間隔セット内の最も大きいサブキャリア間隔、すなわち３０ｋＨｚサブキャリア間隔を、同期信号に対応するサブキャリア間隔として決定してもよい。
【００９６】
この実施例において、サービングセルに対応するサブキャリア間隔セット内のどのサブキャリア間隔がサービングセルにおける別のチャネル又は信号に使用されるかにかかわらず、ネットワークデバイスは、同じサブキャリア間隔を使用することにより同期信号を送出し、それにより、端末は、同期信号に使用されたサブキャリア間隔を識別するために同期信号に対してブラインド検出を実行する必要がない。これは、同期信号を検出するために端末により使用される時間を短縮し、サービングセルと同期するために端末により使用される時間を短縮し、すなわち、サービングセルにアクセスするために端末により使用される時間を短縮し、端末の同期信号検出成功率を上げ、端末のセルアクセス成功率を上げる。
【００９７】
サービングセルに対応するサブキャリア間隔セット内の異なるサブキャリア間隔は、一般に、異なるシナリオに適用されてもよい。例えば、大きいサブキャリア間隔が、高周波数低遅延サービスと高速送信とのうち少なくとも１つのシナリオで使用され、小さいサブキャリア間隔が、低周波数シナリオとラージカバレッジシナリオとのうち少なくとも１つのシナリオで使用される。ゆえに、この出願のこの実施例における情報送信方法では、サービングセルに対応するサブキャリア間隔セット内の異なるサブキャリア間隔について、同期信号及び／又はブロードキャストチャネルを送出するために同じサブキャリア間隔が使用でき、それにより、一様な同期信号及びシステム情報送信方法が異なるシナリオで使用できる。
【００９８】
さらに、同期信号が、サービングセルに対応するサブキャリア間隔セット内の最も大きいサブキャリア間隔に基づいて送出されるとき、同期信号は、高速シナリオによりもたらされるドップラーシフトに抵抗し（resist）、同期信号検出成功率を上げることができる。
【００９９】
ステップＳ１０１は、ネットワークデバイスがブロードキャストチャネルに対応するサブキャリア間隔を決定し、ブロードキャストチャネルに対応するサブキャリア間隔は同期信号に対応するサブキャリア間隔と同じであることをさらに含んでもよい。例えば、ブロードキャストチャネルに対応するサブキャリア間隔は、サービングセルに対応するサブキャリア間隔セット内の最も大きいサブキャリア間隔でもよい。他の説明は前述の説明と同じであり、詳細はここで再度説明されない。
【０１００】
Ｓ１０２．ネットワークデバイスが、同期信号に対応するサブキャリア間隔に基づいて同期信号を送出する。
【０１０１】
具体的に、例えば、ネットワークデバイスは、同期信号に対応するサブキャリア間隔に基づいて、同期信号に対応するシンボル（例えば、ＯＦＤＭシンボル）を生成し、同期信号に対応するシンボルに基づいて同期信号を端末に送出してもよい。
【０１０２】
別の実施例において、ステップＳ１０２は、
ネットワークデバイスが、同期信号を搬送するシンボルに対応するサイクリックプレフィックスを決定し、サイクリックプレフィックスは、同期信号に対応するサブキャリア間隔に対応するサイクリックプレフィックス（Cyclic  Prefix、ＣＰ）において最も長いサイクリックプレフィックスでもよく、
ネットワークデバイスが、同期信号を搬送するシンボルに対応するサイクリックプレフィックスと、同期信号に対応するサブキャリア間隔とに基づいて、同期信号を送出することをさらに含んでもよい。
【０１０３】
この出願の実施例における同期信号は、例えば、プライマリ同期信号及びセカンダリ同期信号を含んでもよいことが留意されるべきである。この出願の実施例で言及されるシンボルは、例えば、シングルキャリア周波数分割多元接続（Single  carrier  Frequency  Division  Multiple  Access、ＳＣ‐ＦＤＭＡ）シンボル、又は直交周波数分割多重（Orthogonal  Frequency  Division  Multiplexing、ＯＦＤＭ）シンボルでもよい。
【０１０４】
Ｓ１０３．端末が、同期信号に対応するサブキャリア間隔を決定する。
【０１０５】
ステップＳ１０３において、端末は、同期信号に対応するサブキャリア間隔を決定し、同期信号に対応するサブキャリア間隔は、同期信号を搬送するサービングセルに対応するサブキャリア間隔セット内の最も大きいサブキャリア間隔でもよい。
【０１０６】
具体的に、端末は、同期信号を搬送するサービングセルに対応するサブキャリア間隔セットに基づいて、サブキャリア間隔セット内の最も大きいサブキャリア間隔を、同期信号に対応するサブキャリア間隔として決定してもよい。
【０１０７】
例えば、同期信号を搬送するサービングセルに対応するサブキャリア間隔セットが１５ｋＨｚサブキャリア間隔及び３０ｋＨｚサブキャリア間隔を含み得る場合、端末は、サブキャリア間隔セット内の最も大きいサブキャリア間隔、すなわち３０ｋＨｚサブキャリア間隔を、同期信号に対応するサブキャリア間隔として決定してもよい。
【０１０８】
別の実施例において、ステップＳ１０３において、端末は、同期信号に対応するサブキャリア間隔を決定し、同期信号に対応するサブキャリア間隔は、同期信号を搬送するサービングセルに対応するサブキャリア間隔セット内の最も小さいサブキャリア間隔でもよい。
【０１０９】
具体的に、端末は、同期信号を搬送するサービングセルに対応するサブキャリア間隔セットに基づいて、サブキャリア間隔セット内の最も小さいサブキャリア間隔を、同期信号に対応するサブキャリア間隔として決定してもよい。
【０１１０】
例えば、同期信号を搬送するサービングセルに対応するサブキャリア間隔セットが１５ｋＨｚサブキャリア間隔及び３０ｋＨｚサブキャリア間隔を含む場合、ネットワークデバイスは、サブキャリア間隔セット内の最も大きいサブキャリア間隔、すなわち１５ｋＨｚサブキャリア間隔を、同期信号に対応するサブキャリア間隔として決定してもよい。
【０１１１】
さらに別の実施例において、ステップＳ１０３において、端末は、同期信号に対応するサブキャリア間隔を決定し、同期信号に対応するサブキャリア間隔は、同期信号を搬送するサービングセルに対応するサブキャリア間隔セット内の第１のサブキャリア間隔でもよい。第１のサブキャリア間隔は、サブキャリア間隔セット内の最も小さいサブキャリア間隔でもサブキャリア間隔セット内の最も大きいサブキャリア間隔でもなく、例えば、サブキャリア間隔セット内の２番目に大きいサブキャリア間隔でもよい。例えば、同期信号を搬送するサービングセルに対応するサブキャリア間隔セットが１５ｋＨｚサブキャリア間隔、３０ｋＨｚサブキャリア間隔、及び６０ｋＨｚサブキャリア間隔を含む場合、ネットワークデバイスは、サブキャリア間隔セット内の最も大きいサブキャリア間隔、すなわち３０ｋＨｚサブキャリア間隔を、同期信号に対応するサブキャリア間隔として決定してもよい。
【０１１２】
この実施例において、サービングセルに対応するサブキャリア間隔セット内のどのサブキャリア間隔がサービングセルにおける別のチャネル又は信号に使用されるかにかかわらす、端末は、同じサブキャリア間隔を使用することにより同期信号を検出し、それにより、端末は、同期信号に使用されたサブキャリア間隔を識別するために同期信号に対してブラインド検出を実行する必要がない。これは、同期信号を検出するために端末により使用される時間を短縮し、サービングセルと同期するために端末により使用される時間を短縮し、すなわち、サービングセルにアクセスするために端末により使用される時間を短縮し、端末の同期信号検出成功率を上げ、端末のセルアクセス成功率を上げる。
【０１１３】
サービングセルに対応するサブキャリア間隔セット内の異なるサブキャリア間隔は、一般に、異なるシナリオに適用されてもよい。例えば、大きいサブキャリア間隔が、高周波数低遅延サービスと高速送信とのうち少なくとも１つのシナリオで使用され、小さいサブキャリア間隔が、低周波数シナリオとラージカバレッジシナリオとのうち少なくとも１つのシナリオで使用される。ゆえに、この出願のこの実施例における情報送信方法では、サービングセルに対応するサブキャリア間隔セット内の異なるサブキャリア間隔について、同期信号及び／又はブロードキャストチャネルを送出するために同じサブキャリア間隔が使用でき、それにより、一様な同期信号及びシステム情報送信方法が異なるシナリオで使用できる。
【０１１４】
さらに、端末が、サービングセルに対応するサブキャリア間隔セット内の最も大きいサブキャリア間隔を使用することにより同期信号を検出するとき、同期信号は、高速シナリオによりもたらされるドップラーシフトに抵抗し、同期信号検出成功率を上げることができる。
【０１１５】
ステップＳ１０３は、端末がブロードキャストチャネルに対応するサブキャリア間隔を決定し、ブロードキャストチャネルに対応するサブキャリア間隔は同期信号に対応するサブキャリア間隔と同じであることをさらに含んでもよい。例えば、ブロードキャストチャネルに対応するサブキャリア間隔は、サービングセルに対応するサブキャリア間隔セット内の最も大きいサブキャリア間隔でもよい。他の説明は前述の説明と同じであり、詳細はここで再度説明されない。
【０１１６】
Ｓ１０４．端末が、同期信号に対応するサブキャリア間隔に基づいて同期信号を検出する。
【０１１７】
ステップＳ１０４において、端末は、同期信号に対応するサブキャリア間隔に基づいて同期信号を検出する。具体的に、異なるローカル系列と受信した信号との間の相関が計算され、同期信号に対応する系列を決定してもよい。特定の系列について、端末は、同期信号に対応するサブキャリア間隔に基づいて対応するＯＦＤＭシンボルを生成し、生成されたＯＦＤＭシンボルと受信した信号との間の相関を計算してもよい。ゆえに、ユーザ装置は、同期信号に対応するサブキャリア間隔を最初決定し、次いで、同期信号に対応するサブキャリア間隔に基づいて同期信号を検出する必要がある。
【０１１８】
ステップＳ１０４は、端末が同期信号を搬送するシンボルに対応するサイクリックプレフィックスを決定することをさらに含んでもよい。この場合、端末は、検出された同期信号に基づいて、同期信号を搬送するシンボルに対応するサイクリックプレフィックスを決定してもよい。同期信号を搬送するシンボルに対応するサイクリックプレフィックスは、同期信号に対応するサブキャリア間隔に対応するサイクリックプレフィックスにおいて最も長いサイクリックプレフィックスである。
【０１１９】
同期信号に対応する異なる系列は、異なる情報を搬送してもよいことが留意されるべきである。例えば、異なる系列は、端末のサービングセルの異なるセルＩＤを搬送する。ゆえに、同期信号に対応する系列を決定した後、端末は、同期信号に対応する系列に基づいて端末のサービングセルのセルＩＤをさらに決定してもよい。端末のサービングセルは、例えば、端末のためにネットワークデバイスにより構成されたサービングセルでもよく、あるいは、端末にサービス提供し（serving）ているサービングセル、又は端末によりアクセスされているサービングセルでもよい。
【０１２０】
任意選択で、ステップＳ１０４は、
端末が、ネットワークデバイスにより送出された情報を受信し、
端末が、同期信号に対応するサブキャリア間隔とネットワークデバイスにより送出された受信した信号とに基づいて同期信号を検出することを含んでもよい。
【０１２１】
この場合、ネットワークデバイスにより送出された情報は同期信号を含んでもよく、あるいは同期信号を含まなくてもよいが、いずれの場合にも、端末が前述の動作を実行することが留意されるべきである。差は単に以下のとおりである：ネットワークデバイスにより送出された情報が同期信号を含まないとき、端末は同期信号を検出することができない。ネットワークデバイスにより送出された情報が同期信号を含むとき、端末は同期信号を検出することができる。
【０１２２】
この出願の実施例１で提供される情報送信方法において、ネットワークデバイスは、サービングセルに対応するサブキャリア間隔セット内の最も大きいサブキャリア間隔を、同期信号に対応するサブキャリア間隔として決定し、同期信号に対応するサブキャリア間隔に基づいて同期信号を送出してもよく、端末は、同期信号を搬送するサービングセルに対応するサブキャリア間隔内の最も大きいサブキャリア間隔を、同期信号に対応するサブキャリア間隔として決定し、同期信号に対応するサブキャリア間隔に基づいて同期信号を検出する。サービングセルに対応するサブキャリア間隔セット内の異なるサブキャリア間隔が異なる適用シナリオに対応してもよく、それにより、端末とネットワークデバイスとの間の情報送信方法は異なる適用シナリオに柔軟に適用できる。
【０１２３】
任意選択で、前述の情報送信方法に基づいて、同期信号を搬送するシンボルに対応するサイクリックプレフィックスは、同期信号に対応するサブキャリア間隔に対応するサイクリックプレフィックスにおいて最も長いサイクリックプレフィックスである。
【０１２４】
具体的に、同期信号に対応するサブキャリア間隔に対応するサイクリックプレフィックスが、例えば、通常サイクリックプレフィックス及び拡張サイクリックプレフィックスを含み得る場合、同期信号を搬送するシンボルに対応するサイクリックプレフィックスは、同期信号に対応するサブキャリア間隔に対応するサイクリックプレフィックスにおいて最も長いサイクリックプレフィックス、すなわち拡張サイクリックプレフィックスでもよい。
【０１２５】
例えば、サービングセルにおける同期信号に対応するサイクリックプレフィックス及び／又はサービングセルにおけるブロードキャストチャネルに対応するサイクリックプレフィックスは、同期信号に対応するサブキャリア間隔に対応するサイクリックプレフィックスにおいて最も長いサイクリックプレフィックス、例えば拡張サイクリックプレフィックスでもよい。
【０１２６】
サービングセルにおける同期信号に対応するサイクリックプレフィックス、及び／又はサービングセルにおけるブロードキャストチャネルに対応するサイクリックプレフィックスは、サービングセルにおけるデータチャネルに対応するサイクリックプレフィックスより長くてもよい。
【０１２７】
方法において、例えば、サブキャリア間隔とシステムパラメータとの間の事前設定された対応関係表が、同期信号に対応するサブキャリア間隔に対応するサイクリックプレフィックスについて、同期信号に対応するサブキャリア間隔に基づいて検索されてもよく、同期信号に対応するサブキャリア間隔に対応するサイクリックプレフィックスにおいて最も長いサイクリックプレフィックスは、同期信号を搬送するシンボルに対応するサイクリックプレフィックスとして決定されてもよい。例えば、サブキャリア間隔とシステムパラメータとの間の対応関係表について、表１を参照する。表１において、各サブキャリア間隔に対応するシステムパラメータは、サブフレーム長、シンボル数、ＣＰ長、ＣＰオーバヘッドなどを含み得る。
【０１２８】
表１の値は単に例であり、別法として、表１の値は四捨五入を通して得られた値でもよいことが留意されるべきである。例えば、この実施例において有効なシンボル長及びＣＰ長は、表内の値に近い数でもよい。さらに、表内のパラメータ間の相互依存は限定されない。各サブキャリア間隔に対応するＣＰ長は、２つのＣＰ長、すなわち、通常サイクリックプレフィックスに対応するＣＰ長と、拡張サイクリックプレフィックスに対応するＣＰ長とを含む。最も小さいＣＰ長は、通常サイクリックプレフィックスに対応するＣＰ長であり、最も大きいＣＰ長は、拡張サイクリックプレフィックスに対応するＣＰ長である。
【表１】
2019530287.tif 000003
【０１２９】
同期信号に対応するサブキャリア間隔が３０ｋＨｚである場合、表１を参照して、３０ｋＨｚサブキャリア間隔に対応するサイクリックプレフィックスは２．３８μｓの通常サイクリックプレフィックス及び８．３３μｓの拡張サイクリックプレフィックスを含むことが習得でき、ゆえに、同期信号を搬送するシンボルに対応するサイクリックプレフィックスは８．３３μｓの拡張サイクリックプレフィックスでもよいと決定できる。
【０１３０】
サービングセルにおけるデータチャネルに対応するサイクリックプレフィックスが約２．３８μｓ又は約４．７６μｓであるとき、サービングセルにおける同期信号に対応するサイクリックプレフィックス及びサービングセルにおけるブロードキャストチャネルに対応するサイクリックプレフィックスは約５．１３μｓでもよい。
【０１３１】
ここで、サービングセルにおける同期信号に対応するサイクリックプレフィックスは、同期信号を搬送するシンボルに対応するサイクリックプレフィックスでもよい。サービングセルにおけるブロードキャストチャネルに対応するサイクリックプレフィックスは、ブロードキャストチャネルを搬送するシンボルに対応するサイクリックプレフィックスでもよい。サービングセルにおけるデータチャネルに対応するサイクリックプレフィックスは、データを搬送するシンボルに対応するサイクリックプレフィックスでもよい。ブロードキャストチャネルはここで、マスタ情報ブロック（Master  Information  Block、ＭＩＢ）を送信するためのチャネルでもよい。
【０１３２】
この方式において、サービングセルにおける同期信号のカバレッジエリア、及びサービングセルにおけるブロードキャストチャネルのカバレッジエリアが拡張でき、サービングセルにおける同期信号のロバスト性、及びサービングセルにおけるブロードキャストチャネルのロバスト性が改善できる。
【０１３３】
任意選択で、端末が、同期信号を搬送するサービングセルに対応するサブキャリア間隔セットに基づいて、サブキャリア間隔セット内の最も大きいサブキャリア間隔を、同期信号に対応するサブキャリア間隔として決定する前に、情報送信方法は、
端末が、サービングセルのキャリア周波数に基づいて、サービングセルに対応するサブキャリア間隔セットを決定し、あるいは、
端末が、サービングセルの周波数セットに基づいて、サービングセルに対応するサブキャリア間隔セットを決定することをさらに含んでもよい。
【０１３４】
具体的に、例えば、端末は、サービングセルに対応する周波数セットに対応するサブキャリア間隔セットについて、サービングセルに対応する周波数セットに基づいて周波数セットとサブキャリア間隔セットとの間の事前設定された対応関係を検索してもよく、サブキャリア間隔セットは、サービングセルに対応するサブキャリア間隔セットであり、あるいは、端末は、サービングセルに対応する周波数セットに基づいてサブキャリア間隔セットを計算し、計算されたサブキャリア間隔を、サービングセルに対応するサブキャリア間隔セットとして使用してもよい。例えば、端末は、サービングセルのキャリア周波数が属する周波数セットを、サービングセルに対応する周波数セットとして決定してもよく、あるいは、サービングセルと周波数セットとの間の事前設定された対応関係に基づいて、サービングセルに対応する周波数セットを決定してもよく、例えば、サービングセルの識別子と、サービングセルの識別子及び周波数セットの間の事前設定された対応関係とに基づいて、サービングセルに対応する周波数セットを決定してもよい。
【０１３５】
任意選択で、例えば、端末は、サービングセルのキャリア周波数に対応するサブキャリア間隔セットについて、サービングセルのキャリア周波数に基づいてキャリア周波数とサブキャリア間隔セットとの間の事前設定された対応関係を検索してもよく、サブキャリア間隔セットは、サービングセルに対応するサブキャリア間隔セットであり、あるいは、端末は、サービングセルのキャリア周波数に基づいてサブキャリア間隔セットを計算し、計算されたサブキャリア間隔セットを、サービングセルに対応するサブキャリア間隔セットとして使用してもよい。端末は、周波数スキャンを通してサービングセルのキャリア周波数を取得してもよく、あるいは、サービングセルの且つ端末に事前設定されたキャリア周波数に基づいてサービングセルのキャリア周波数を取得してもよい。
【０１３６】
任意選択で、前述の方法のうち任意の１つに基づき、この出願の実施例２が情報送信方法をさらに提供し得る。図２は、この出願の実施例２による情報送信方法のフローチャートである。図２に示されるように、方法は以下のステップをさらに含み得る。
【０１３７】
Ｓ２０１．端末が、同期信号に対応する系列に基づいて、システム情報を搬送する時間周波数リソースを決定する。
【０１３８】
具体的に、例えば、端末は、検出された同期信号に対応する系列、及び／又は同期信号系列とシステム情報時間周波数リソースとの間の事前設定された対応関係に基づいて、システム情報を搬送する時間周波数リソースを決定してもよい。システム情報を搬送する時間周波数リソースを決定した後、端末は、システム情報を搬送する時間周波数リソース上で、ネットワークデバイスにより送出されたシステム情報を受信してもよい。
【０１３９】
システム情報はマスタ情報ブロック（ＭＩＢ）でもよく、システム情報を搬送するチャネルは物理ブロードキャストチャネルでもよい。
【０１４０】
任意選択で、システム情報は、シンボル位置インジケータフィールド（symbol  location  indicator  field）を含んでもよく、シンボル位置インジケータフィールドは、同期信号を搬送するための時間ドメイン位置を示すために使用される。
【０１４１】
例えば、シンボル位置インジケータフィールドは、同期信号の開始シンボルの位置を示すために使用されてもよく、あるいは、
シンボル位置インジケータフィールドは、同期信号を搬送する開始シンボルのインデックスを示すために使用され、あるいは、
シンボル位置インジケータフィールドは、同期信号を搬送する開始シンボルと同期信号を搬送するサブフレームの第１のシンボルとの間の時間ドメインシフトを示すために使用され、あるいは、
位置インジケータフィールドは、プライマリ同期信号を搬送する開始シンボルの位置を示すために使用され、あるいは、
シンボル位置インジケータフィールドは、プライマリ同期信号を搬送する開始シンボルのインデックスを示すために使用され、あるいは、
シンボル位置インジケータフィールドは、プライマリ同期信号を搬送する開始シンボルとプライマリ同期信号を搬送するサブフレームの第１のシンボルとの間の時間ドメインシフトを示すために使用される。
【０１４２】
さらに、任意選択で、システム情報に対応するスクランブリングコードが、システム情報を搬送するサブフレームを示すために使用される。
【０１４３】
任意選択で、前述の方法に基づき、方法は以下のステップをさらに含んでもよい。
【０１４４】
Ｓ２０２．端末が、システム情報を搬送する時間周波数リソースに基づいてシステム情報を受信する。
【０１４５】
具体的に、端末は、システム情報に含まれるシンボル位置インジケータフィールド、及び／又はシステム情報に対応するスクランブリングコードに基づいて、同期信号を搬送するための時間ドメイン位置を決定してもよい。同期信号を搬送するための時間ドメイン位置は、例えば、同期信号を搬送する開始シンボルの位置、同期信号を搬送する開始シンボルのインデックス、同期信号を搬送する開始シンボルと同期信号を搬送するサブフレームの第１のシンボルとの間の時間ドメインシフト、プライマリ同期信号を搬送する開始シンボルの位置、プライマリ同期信号を搬送する開始シンボルのインデックス、プライマリ同期信号を搬送する開始シンボルとプライマリ同期信号を搬送するサブフレームの第１のシンボルとの間の時間ドメインシフト、及びシステム情報を搬送するサブフレームのうち少なくとも１つでもよい。
【０１４６】
端末は、無線フレーム内で同期信号を搬送するための時間ドメイン位置を決定し、それにより、端末は、マルチビーム送信の間にフレームタイミングを実行することにおいてサポートされることができ、端末は、サービングセルの無線フレームタイミングを決定する。
【０１４７】
任意選択で、前述の方法において、Ｓ２０１において端末が、同期信号に対応する系列に基づいて、システム情報を搬送する時間周波数リソースを決定することは、
同期信号に対応する系列が第１の系列である場合、端末は、システム情報を搬送する時間周波数リソースが第１の時間周波数リソースであると決定し、あるいは、
同期信号に対応する系列が第２の系列である場合、端末は、システム情報を搬送する時間周波数リソースが第２の時間周波数リソースであると決定することを含んでもよい。
【０１４８】
第１の時間周波数リソースの周波数ドメイン位置は、同期信号を搬送する時間周波数リソースの周波数ドメイン位置と同じであり、あるいは、第１の時間周波数リソースの周波数ドメイン位置は、同期信号を搬送する時間周波数リソースの周波数ドメイン位置を含む。
【０１４９】
第２の時間周波数リソースの周波数ドメイン位置は、同期信号を搬送する時間周波数リソースの周波数ドメイン位置に隣接し、あるいは、第２の時間周波数リソースの周波数ドメイン位置と、同期信号を搬送する時間周波数リソースの周波数ドメイン位置とは、固定の周波数シフトにより離される。
【０１５０】
任意選択で、第１の時間周波数リソース位置により占有されるリソースブロック数は、同期信号を搬送する時間周波数リソースにより占有されるリソースブロック数と同じであり、かつ／あるいは、第２の時間周波数リソース位置により占有されるリソースブロック数は、同期信号を搬送する時間周波数リソースにより占有されるリソースブロック数と同じである。
【０１５１】
任意選択で、第１の時間周波数リソースの開始シンボルは、同期信号を搬送する最後のシンボルに隣接し、あるいは、第１の時間周波数リソースの開始シンボルは、同期信号を搬送する最後のシンボルの次のシンボルであり、あるいは、同期信号を搬送する最後のシンボルがシンボルｌである場合、第１の時間周波数リソースの開始シンボルは、シンボル（ｌ＋１）又はシンボル（ｌ＋１）ｍｏｄ  Ｌであり、ｌ＝０，１，・・・Ｌ−１であり、Ｌは正の整数であり、ｍｏｄはモジュロ関数である。
【０１５２】
第２の時間周波数リソースのシンボルは、同期信号を搬送するシンボルと同じであり、あるいは、第２の時間周波数リソースの開始シンボルは、同期信号に含まれるプライマリ同期信号を搬送する開始シンボルと同じである。
【０１５３】
任意選択で、第１の時間周波数リソースにより占有される時間ドメインシンボル数は、同期信号を搬送する時間周波数リソースにより占有されるシンボル数と同じである。別法として、第１の時間周波数リソースにより占有される時間ドメインシンボル数は、同期信号を搬送する時間周波数リソースにより占有されるシンボル数の２倍である。
【０１５４】
任意選択で、第２の時間周波数リソースの周波数ドメイン位置が、同期信号を搬送する時間周波数リソースの周波数ドメイン位置に隣接することは、
第２の時間周波数リソースの周波数ドメイン位置が、同期信号を搬送する時間周波数リソースの周波数ドメイン位置に隣接し、同期信号を搬送する時間周波数リソースの周波数ドメイン位置の両側に分散されることを具体的に含んでもよい。
【０１５５】
例えば、第２の時間周波数リソースは、第３の時間周波数リソース及び第４の時間周波数リソースを含んでもよく、第３の時間周波数リソースの周波数ドメイン位置及び第４の時間周波数リソースの周波数ドメイン位置は双方、同期信号を搬送する時間周波数リソースの周波数ドメイン位置に隣接し、同期信号を搬送する時間周波数リソースに対応する周波数ドメイン位置の両側に分散される。第３の時間周波数リソースにより占有されるリソースブロック数は、第４の時間周波数リソースにより占有されるリソースブロック数と同じでもよい。
【０１５６】
例えば、第３の時間周波数リソースの周波数ドメイン位置は、同期信号を搬送する時間周波数リソースの最大周波数ドメイン位置より大きくてもよく、第４の時間周波数リソースの周波数ドメイン位置は、同期信号を搬送する時間周波数リソースの最小周波数ドメイン位置より小さくてもよい。別法として、例えば、第４の時間周波数リソースの周波数ドメイン位置は、同期信号を搬送する時間周波数リソースの最大周波数ドメイン位置より大きくてもよく、第３の時間周波数リソースの周波数ドメイン位置は、同期信号を搬送する時間周波数リソースの最小周波数ドメイン位置より小さくてもよい。
【０１５７】
さらに、任意選択で、第３の時間周波数リソースにより占有されるリソースブロック数と第４の時間周波数リソースにより占有されるリソースブロック数との和が、同期信号を搬送する時間周波数リソースにより占有されるリソースブロック数と同じでもよい。
【０１５８】
別法として、Ｓ２０１において端末が、同期信号に対応する系列に基づいて、システム情報を搬送する時間周波数リソースを決定することは、
同期信号に対応する系列が第１の系列である場合、端末は、システム情報を搬送する時間周波数リソースが第１の時間周波数リソースであると決定し、あるいは、
同期信号に対応する系列が第２の系列である場合、端末は、システム情報を搬送する時間周波数リソースが第２の時間周波数リソースであると決定することを含んでもよい。
【０１５９】
第１の時間周波数リソースと同期信号を搬送する時間周波数リソースとは、時分割多重（time  division  multiplexing）の対象であり、第２の時間周波数リソースと同期信号を搬送する時間周波数リソースとは、周波数分割多重（frequency  division  multiplexing）の対象である。
【０１６０】
例えば、図３は、第１の時間周波数リソースと同期信号を搬送する時間周波数リソースとの間の対応関係の図である。図４は、第２の時間周波数リソースと同期信号を搬送する時間周波数リソースとの間の対応関係の図である。
【０１６１】
図３に示されるように、同期信号に対応する系列が第１の系列である場合、システム情報を搬送する時間周波数リソースは第１の時間周波数リソースである。第１の時間周波数リソースは、図３における物理ブロードキャストチャネル（Physical  Broadcast  Channel、ＰＢＣＨ）に対応する時間周波数リソース、例えば、ＰＢＣＨ  Ｂ０に対応する時間周波数リソース、又はＰＢＣＨ  Ｂ１に対応する時間周波数リソースでもよい。同期信号を搬送する時間周波数リソースは、図３におけるセカンダリ同期信号（Secondary  Synchronization  Signal、ＳＳＳ）に対応する時間周波数リソース、例えば、ＳＳＳ  Ｂ０に対応する時間周波数リソース、又はＳＳＳ  Ｂ１に対応する時間周波数リソースである。図３において、Ｂ０及びＢ１は、異なる端末の送信ビームにそれぞれ対応してもよい。１つの端末について、同じビーム、例えばビームＢ０又はビームＢ１が、システム情報及び同期信号のために使用されてもよい。システム情報は、送信のためにＰＢＣＨ上で搬送されてもよい。図３において、ＰＢＣＨ  Ｂ０に対応する時間周波数リソースと、ＳＳＳ  Ｂ０に対応する時間周波数リソースとは、同じサブフレームの異なるシンボルにそれぞれ位置してもよく、換言すると、ＰＢＣＨ  Ｂ０に対応する時間周波数リソースと、ＳＳＳ  Ｂ０に対応する時間周波数リソースとは、時分割多重の対象でもよい。ＰＢＣＨ  Ｂ１に対応する時間周波数リソースと、ＳＳＳ  Ｂ１に対応する時間周波数リソースとは、同じサブフレームの異なるシンボルにそれぞれ位置してもよく、換言すると、ＰＢＣＨ  Ｂ１に対応する時間周波数リソースと、ＳＳＳ  Ｂ１に対応する時間周波数リソースとは、時分割多重の対象でもよい。
【０１６２】
図４に示されるように、同期信号に対応する系列が第２の系列である場合、システム情報を搬送する時間周波数リソースは第２の時間周波数リソースである。第２の時間周波数リソースは、図４におけるＰＢＣＨに対応する時間周波数リソース、例えば、ＰＢＣＨ  Ｂ０に対応する時間周波数リソース、又はＰＢＣＨ  Ｂ１に対応する時間周波数リソースでもよい。同期信号を搬送する時間周波数リソースは、図４におけるＳＳＳに対応する時間周波数リソース、例えば、ＳＳＳ  Ｂ０に対応する時間周波数リソース、又はＳＳＳ  Ｂ１に対応する時間周波数リソースである。図４において、Ｂ０及びＢ１は、異なる端末の送信ビームにそれぞれ対応してもよい。１つの端末について、同じビーム、例えばビームＢ０又はビームＢ１が、システム情報及び同期信号のために使用されてもよい。システム情報は、送信のためにＰＢＣＨ上で搬送されてもよい。図４において、ＰＢＣＨ  Ｂ０に対応する時間周波数リソースと、ＳＳＳ  Ｂ０に対応する時間周波数リソースとは、同じサブフレームの同じシンボルの異なる周波数ドメイン位置にそれぞれ位置してもよく、換言すると、ＰＢＣＨ  Ｂ０に対応する時間周波数リソースと、ＳＳＳ  Ｂ０に対応する時間周波数リソースとは、周波数分割多重の対象でもよい。ＰＢＣＨ  Ｂ１に対応する時間周波数リソースと、ＳＳＳ  Ｂ１に対応する時間周波数リソースとは、同じサブフレームの同じシンボルの異なる周波数ドメイン位置にそれぞれ位置してもよく、換言すると、ＰＢＣＨ  Ｂ１に対応する時間周波数リソースと、ＳＳＳ  Ｂ１に対応する時間周波数リソースとは、周波数分割多重の対象でもよい。
【０１６３】
図３及び図４を参照して、システムがマルチビーム送信方式を使用するとき、同期信号に対応する系列が第１の系列である場合、システム情報を搬送する時間周波数リソースは第１の時間周波数リソースであり、第１の時間周波数リソースと同期信号を搬送する時間周波数リソースとは時分割多重の対象であり、それにより、第１の時間周波数リソースと同期信号を搬送する時間周波数リソースとは比較的多数の時間ドメインシンボルを占有し、例えば、複数のサブフレームを占有でき、あるいは、システムがマルチビーム送信方式を使用するとき、同期信号に対応する系列が第２の系列である場合、システム情報を搬送する時間周波数リソースは第２の時間周波数リソースであり、第２の時間周波数リソースと同期信号を搬送する時間周波数リソースとは周波数分割多重の対象であり、それにより、第２の時間周波数リソースと同期信号を搬送する時間周波数リソースとは比較的少数の時間ドメインシンボルを占有し、例えば、比較的少数のサブフレームを占有できることが習得できる。
【０１６４】
動的時分割複信（Time  Division  Duplex、ＴＤＤ）機構において、送信方向は、サブフレーム又は送信単位で動的に変更されてもよく、換言すると、サブフレーム又は送信単位は、上りリンクデータ送信又は下りリンクデータ送信に動的に適用されてもよく、それにより、現在のサービス要件がより良くマッチされ得る。例えば、現在のサービスにおいて下りリンクサービスが上りリンクサービスより多い場合、多くのサブフレームが下りリンクデータ送信に動的に切り替えられてもよく、それにより、より速くより良い送信が下りリンクサービスに対して達成され、システムスペクトル効率を改善し、下りリンクパケット遅延を低減することができる。この出願のこの実施例における情報送信方法では、同期信号に対応する系列に基づいて、システム情報を搬送する時間周波数リソースが第１の時間周波数リソース又は第２の時間周波数リソースであると決定されてもよく、システム情報を送信するために第１の時間周波数リソースを固定的に使用する代わりに、システム情報を送信するために第２の時間周波数リソースが使用されて、複数のビームに対応する同期信号及びシステム情報により占有される時間周波数リソースが多数の時間ドメインシンボルを占有するケースを回避し得る。これは、１つの無線フレームにおける固定下りリンクシンボル数を最小化し、十分な時間ドメインシンボル又はサブフレームが動的ＴＤＤをより良くサポートするために上りリンク及び下りリンクの間で柔軟に切り替えできることを最大限に確保する。
【０１６５】
前方互換性（Forward  compatibility）は、無線フレームにおけるサブフレーム又はサービングセルにおける周波数ドメインブロックが、既存のシステムにおける端末に影響を与えることなく将来のサービスによって柔軟に占有できることを要求する。方法において、同期信号に対応する系列に基づいて、システム情報を搬送する時間周波数リソースは第１の時間周波数リソース又は第２の時間周波数リソースであると決定されてもよく、システム情報を送信するために第１の時間周波数リソースを固定的に使用する代わりに、システム情報を送信するために第２の時間周波数リソースが使用されてもよい。これは、１つの無線フレーム内で同期信号及びシステム情報により占有される時間周波数リソースにより占有される時間ドメインシンボル又はサブフレームの数を最小化し、前方互換性を最大限にサポートし、それにより、ＮＲシステムは、前方互換性をより良く、より柔軟にサポートする。
【０１６６】
方法において、各ビームについて、各ビームに対応する同期信号及びシステム情報を搬送する時間周波数リソースが時分割多重の対象である方式は、固定的に使用されない。ゆえに、マルチビーム送信の間、第２の時間周波数リソースはシステム情報を送信するために使用されてもよく、それにより、複数のビームに対応する同期信号により占有される時間周波数リソースは時間ドメインにおいて隣接して、すべてのビームの同期信号のより速いスキャンを達成し、端末のセルアクセス時間を短縮する。
【０１６７】
さらに、方法において、各ビームについて、各ビームに対応する同期信号及びシステム情報を搬送する時間周波数リソースが周波数分割多重の対象である方式は、固定的に使用されず、それにより、過剰な周波数ドメインリソースの占有が回避できる。ＮＲシステムは、異なる帯域幅能力を有する端末のアクセスをサポートする必要がある。低い帯域幅能力を有するいくつかの端末は、各ビームに対応する同期信号及びシステム情報を搬送する時間周波数リソースが時分割多重の対象である方式を使用し、システム情報を送信するために第２の時間周波数リソースを固定的に使用する代わりに、第１の時間周波数リソースを使用することによりシステム情報を送信してもよい。これは、同期信号及びシステム情報を搬送する帯域幅を最小化し、セルにアクセスすることにおいて異なる帯域幅能力を有する端末を効果的にサポートする。
【０１６８】
ゆえに、この出願のこの実施例において、同期信号に対応する系列に基づいて、システム情報を搬送する時間周波数リソースが第１の時間周波数リソース又は第２の時間周波数リソースであると決定され、それにより、システムは、実際の適用シナリオ及び実際の要件に依存して、システム情報を搬送するために第１の時間周波数リソース及び／又は第２の時間周波数リソースを柔軟に使用して、動的ＴＤＤをより良くサポートし、前方互換性をより良くサポートし、マルチビーム送信をより良くサポートすることができる。
【０１６９】
任意選択で、前述の第１の系列は、２つの３１長系列を使用することにより第１の組み合わせ方式で生成されてもよく、第２の系列は、２つの３１長系列を使用することにより第２の組み合わせ方式で生成されてもよい。第１の組み合わせ方式は、第２の組み合わせ方式と異なる。
【０１７０】
具体的に、各３１長系列は、３１ビットの長さを有するバイナリ系列でもよい。
【０１７１】
第１の系列及び第２の系列は、同じ２つの系列を使用することにより異なる組み合わせ方式で生成された系列でもよい。第１の組み合わせ方式は、第２の組み合わせ方式と異なる。
【０１７２】
任意選択で、この出願の実施例２は情報送信方法をさらに提供し得る。図５は、この出願の実施例２による別の情報送信方法のフローチャートである。図５に示されるように、前述の情報送信方法において、Ｓ１０２においてネットワークデバイスが、同期信号に対応するサブキャリア間隔に基づいて同期信号を送出する前に、方法は以下のステップを含んでもよい。
【０１７３】
Ｓ５０１．ネットワークデバイスが、同期信号に対応するサブキャリア間隔に基づいて、サブキャリア間隔に対応するサイクリックプレフィックスセットを決定する。
【０１７４】
Ｓ５０２．ネットワークデバイスが、サイクリックプレフィックスセットに基づいて、同期信号を搬送するシンボルに対応するサイクリックプレフィックスがサイクリックプレフィックスセット内の最も長いサイクリックプレフィックスであると決定する。
【０１７５】
具体的に、サブキャリア間隔に対応するサイクリックプレフィックスセットは、少なくとも１つのサイクリックプレフィックスを含んでもよく、ネットワークデバイスは、同期信号を搬送するシンボルに対応するサイクリックプレフィックスがサイクリックプレフィックスセット内の最も長いサイクリックプレフィックスであると決定してもよい。サイクリックプレフィックスセットは、例えば、通常サイクリックプレフィックス及び拡張サイクリックプレフィックスを含んでもよく、サイクリックプレフィックスセット内の最も長いサイクリックプレフィックスは、例えば、拡張サイクリックプレフィックスでもよい。
【０１７６】
任意選択で、Ｓ１０２においてネットワークデバイスが、同期信号に対応するサブキャリア間隔に基づいて同期信号を送出することは以下のステップを含んでもよい。
【０１７７】
Ｓ５０３．ネットワークデバイスが、同期信号に対応するサブキャリア間隔と同期信号を搬送するシンボルに対応するサイクリックプレフィックスとに基づいて同期信号を送出する。
【０１７８】
具体的に、ネットワークデバイスは、同期信号に対応するサブキャリア間隔と同期信号を搬送するシンボルに対応するサイクリックプレフィックスとに基づいて、同期信号に対応するシンボルを生成し、同期信号に対応するシンボルに基づいて、同期信号を送出してもよい。
【０１７９】
任意選択で、システム情報を搬送するシンボルに対応するサブキャリア間隔が、同期信号を搬送するサブキャリア間隔と同じである。
【０１８０】
任意選択で、前述の情報送信方法のいずれか１つに基づいて、この出願の実施例２は情報送信方法をさらに提供する。図６は、この出願の実施例２によるさらに別の情報送信方法のフローチャートである。図６に示されるように、方法は以下のステップをさらに含んでもよい。
【０１８１】
Ｓ６０１．ネットワークデバイスが、システム情報を搬送する時間周波数リソースを決定する。
【０１８２】
具体的に、ネットワークデバイスは、現在の適用シナリオに基づいて、システム情報を搬送する時間周波数リソースが第１の時間周波数リソース又は第２の時間周波数リソースであると決定してもよい。第１の時間周波数リソースと第２の時間周波数リソースとは、異なる時間周波数位置における時間周波数リソースである。
【０１８３】
例えば、適用シナリオが動的ＴＤＤシナリオであるとき、ネットワークデバイスは、第２の時間周波数リソースを、システム情報を搬送する時間周波数リソースとして決定してもよい。適用シナリオが、前方互換性が時間ドメインにおいてサポートされることを要求するとき、ネットワークデバイスは、第２の時間周波数リソースを、システム情報を搬送する時間周波数リソースとして決定してもよい。あるいは、システムに低い帯域幅能力を有するユーザが存在するとき、ネットワークデバイスは、第１の時間周波数リソースを、システム情報を搬送する時間周波数リソースとして決定してもよい。
【０１８４】
Ｓ６０２．ネットワークデバイスが、システム情報を搬送する時間周波数リソースに基づいて、同期信号に対応する系列を決定する。
【０１８５】
具体的に、システム情報を搬送する異なる時間周波数リソースについて、ネットワークデバイスは、Ｓ１０１に基づいて、同期信号に対応する異なる系列を決定してもよい。例えば、ネットワークデバイスは、システム情報を搬送する時間周波数リソースと、システム情報時間周波数リソース及び同期信号系列の間の事前設定された対応関係とに基づいて、システム情報を搬送する時間周波数リソースに対応する同期信号系列が、同期信号に対応する系列、すなわち、送出される同期信号に対応する系列であると決定してもよい。
【０１８６】
任意選択で、方法は以下のステップをさらに含んでもよい。
【０１８７】
Ｓ６０３．ネットワークデバイスが、同期信号に対応する系列に基づいて、送出される同期信号を生成する。
【０１８８】
具体的に、同期信号に対応する異なる系列は、異なる情報を搬送してもよい。例えば、異なる系列は、端末のサービングセルの異なるセルアイデンティティ（Identity、ＩＤ）情報を搬送する。
【０１８９】
任意選択で、前述の情報送信方法において、方法は以下のステップをさらに含んでもよい。
【０１９０】
Ｓ６０４．ネットワークデバイスが、システム情報を搬送する時間周波数リソースに基づいてシステム情報を送出する。
【０１９１】
システム情報はマスタ情報ブロック（ＭＩＢ）でもよく、システム情報を搬送するチャネルは物理ブロードキャストチャネルでもよい。
【０１９２】
任意選択で、システム情報は、シンボル位置インジケータフィールドを含んでもよく、シンボル位置インジケータフィールドは、同期信号を搬送するための時間ドメイン位置を示すために使用される。
【０１９３】
例えば、シンボル位置インジケータフィールドは、同期信号の開始シンボルの位置を示すために使用されてもよく、あるいは、
シンボル位置インジケータフィールドは、同期信号を搬送する開始シンボルのインデックスを示すために使用され、あるいは、
シンボル位置インジケータフィールドは、同期信号を搬送する開始シンボルと同期信号を搬送するサブフレームの第１のシンボルとの間の時間ドメインシフトを示すために使用され、あるいは、
位置インジケータフィールドは、プライマリ同期信号を搬送する開始シンボルの位置を示すために使用され、あるいは、
シンボル位置インジケータフィールドは、プライマリ同期信号を搬送する開始シンボルのインデックスを示すために使用され、あるいは、
シンボル位置インジケータフィールドは、プライマリ同期信号を搬送する開始シンボルとプライマリ同期信号を搬送するサブフレームの第１のシンボルとの間の時間ドメインシフトを示すために使用される。
【０１９４】
さらに、任意選択で、システム情報に対応するスクランブリングコードが、システム情報を搬送するサブフレームを示すために使用される。
【０１９５】
任意選択で、Ｓ６０２においてネットワークデバイスが、システム情報を搬送する時間周波数リソースに基づいて、同期信号に対応する系列を決定することは、
システム情報を搬送する時間周波数リソースが第１の時間周波数リソースである場合、ネットワークデバイスは、同期信号に対応する系列が第１の系列であると決定し、あるいは、
システム情報を搬送する時間周波数リソースが第２の時間周波数リソースである場合、ネットワークデバイスは、同期信号に対応する系列が第２の系列であると決定することを含んでもよい。
【０１９６】
第１の時間周波数リソースの周波数ドメイン位置は、同期信号を搬送する時間周波数リソースの周波数ドメイン位置と同じであり、あるいは、第１の時間周波数リソースの周波数ドメイン位置は、同期信号を搬送する時間周波数リソースの周波数ドメイン位置を含む。
【０１９７】
第２の時間周波数リソースの周波数ドメイン位置は、同期信号を搬送する時間周波数リソースの周波数ドメイン位置に隣接し、あるいは、第２の時間周波数リソースの周波数ドメイン位置と、同期信号を搬送する時間周波数リソースの周波数ドメイン位置とは、固定の周波数シフトにより離される。
【０１９８】
任意選択で、第１の時間周波数リソースにより占有されるリソースブロック数は、同期信号を搬送する時間周波数リソースにより占有されるリソースブロック数と同じであり、かつ／あるいは、第２の時間周波数リソースにより占有されるリソースブロック数は、同期信号を搬送する時間周波数リソースにより占有されるリソースブロック数と同じである。
【０１９９】
任意選択で、第１の時間周波数リソースの開始シンボルは、同期信号を搬送する最後のシンボルに隣接し、あるいは、第１の時間周波数リソースに対応する開始シンボルは、同期信号を搬送する最後のシンボルの次のシンボルであり、あるいは、同期信号を搬送する最後のシンボルがシンボルｌである場合、第１の時間周波数リソースの開始シンボルは、シンボル（ｌ＋１）又はシンボル（ｌ＋１）ｍｏｄ  Ｌであり、ｌ＝０，１，・・・Ｌ−１であり、Ｌは正の整数であり、ｍｏｄはモジュロ関数である。
【０２００】
第２の時間周波数リソースのシンボルは、同期信号を搬送するシンボルと同じであり、あるいは、第２の時間周波数リソースの開始シンボルは、同期信号に含まれるプライマリ同期信号を搬送する開始シンボルと同じである。
【０２０１】
さらに、任意選択で、第１の時間周波数リソースにより占有される時間ドメインシンボル数は、同期信号を搬送する時間周波数リソースにより占有されるシンボル数と同じである。別法として、第１の時間周波数リソースにより占有される時間ドメインシンボル数は、同期信号を搬送する時間周波数リソースにより占有されるシンボル数の２倍である。
【０２０２】
さらに、任意選択で、第２の時間周波数リソースの周波数ドメイン位置は、同期信号を搬送する時間周波数リソースに対応する周波数ドメイン位置に隣接し、同期信号を搬送する時間周波数リソースに対応する周波数ドメイン位置の両側に分散される。
【０２０３】
例えば、第２の時間周波数リソースは、第３の時間周波数リソース及び第４の時間周波数リソースを含んでもよく、第３の時間周波数リソースの周波数ドメイン位置及び第４の時間周波数リソースの周波数ドメイン位置は双方、同期信号を搬送する時間周波数リソースの周波数ドメイン位置に隣接し、同期信号を搬送する時間周波数リソースに対応する周波数ドメイン位置の両側に分散される。第３の時間周波数リソースにより占有されるリソースブロック数は、第４の時間周波数リソースにより占有されるリソースブロック数と同じでもよい。
【０２０４】
例えば、第３の時間周波数リソースの周波数ドメイン位置は、同期信号を搬送する時間周波数リソースの最大周波数ドメイン位置より大きくてもよく、第４の時間周波数リソースの周波数ドメイン位置は、同期信号を搬送する時間周波数リソースの最小周波数ドメイン位置より小さくてもよい。別法として、例えば、第４の時間周波数リソースの周波数ドメイン位置は、同期信号を搬送する時間周波数リソースの最大周波数ドメイン位置より大きくてもよく、第３の時間周波数リソースの周波数ドメイン位置は、同期信号を搬送する時間周波数リソースの最小周波数ドメイン位置より小さくてもよい。
【０２０５】
さらに、任意選択で、第３の時間周波数リソースにより占有されるリソースブロック数と第４の時間周波数リソースにより占有されるリソースブロック数との和が、同期信号を搬送する時間周波数リソースにより占有されるリソースブロック数と同じでもよい。
【０２０６】
別法として、Ｓ６０２においてネットワークデバイスが、システム情報を搬送する時間周波数リソースに基づいて、同期信号に対応する系列を決定することは、
システム情報を搬送する時間周波数リソースが第１の時間周波数リソースである場合、ネットワークデバイスは、同期信号に対応する系列が第１の系列であると決定し、あるいは、
システム情報を搬送する時間周波数リソースが第２の時間周波数リソースである場合、ネットワークデバイスは、同期信号に対応する系列が第２の系列であると決定することを含んでもよい。
【０２０７】
第１の時間周波数リソースと同期信号を搬送する時間周波数リソースとは、時分割多重の対象であり、第２の時間周波数リソースと同期信号を搬送する時間周波数リソースとは、周波数分割多重の対象である。
【０２０８】
第１の時間周波数リソース及び第２の時間周波数リソースの詳細な説明については前述の説明に対して参照が行われてもよく、詳細はここで再度説明されないことが留意されるべきである。端末は、無線フレーム内で同期信号を搬送するための時間ドメイン位置を決定し、それにより、端末は、マルチビーム送信の間にフレームタイミングを実行することにおいてサポートされることができ、端末は、サービングセルの無線フレームタイミングを決定する。
【０２０９】
この出願の実施例２で提供される情報送信方法において、同期信号に対応する系列に基づいて、システム情報を搬送する時間周波数リソースが第１の時間周波数リソース又は第２の時間周波数リソースであると決定され、それにより、システムは、実際の適用シナリオ及び実際の要件に依存して、システム情報を搬送するために第１の時間周波数リソース及び／又は第２の時間周波数リソースを柔軟に使用して、動的ＴＤＤをより良くサポートし、前方互換性をより良くサポートし、マルチビーム送信をより良くサポートすることができる。さらに、システム情報は、シンボル位置インジケータフィールドを含み、かつ／あるいは、システム情報に対応するスクランブリングコードは、システム情報を搬送するサブフレームを示し、それにより、端末は、マルチビーム送信の間にフレームタイミングを実行する、すなわち、無線フレーム内で同期信号を搬送するための時間ドメイン位置を決定することにおいてサポートされて、サービングセルの無線フレームタイミングを決定することができる。
【０２１０】
この出願の実施例３が情報送信方法をさらに提供する。図７は、この出願の実施例３による情報送信方法のフローチャートである。図７に示されるように、方法は以下のステップを含み得る。
【０２１１】
Ｓ７０１．端末が、同期信号に対応する系列を決定する。
【０２１２】
具体的に、例えば、端末は、前述の実施例におけるＳ１０４の方式又は別の同様の方式で、同期信号に対応する系列を決定してもよい。
【０２１３】
任意選択で、ステップＳ７０１は、
端末が、ネットワークデバイスにより送出された同期信号を受信し、
端末が、ネットワークデバイスにより送出された受信した同期信号に基づいて、同期信号に対応する系列を決定することをさらに含んでもよい。
【０２１４】
さらに、任意選択で、端末が、ネットワークデバイスにより送出された同期信号を受信することは、
端末が、ネットワークデバイスにより送出された情報を受信し、
端末が、ネットワークデバイスにより送出された受信した情報に基づいて、同期信号を検出することを含んでもよい。
【０２１５】
この場合、ネットワークデバイスにより送出された情報は同期信号を含んでもよく、あるいは同期信号を含まなくてもよいが、いずれの場合においても、端末は前述の動作を実行することが留意されるべきである。差は単に以下のとおりである。ネットワークデバイスにより送出された情報が同期信号を含まないとき、端末は同期信号を検出できない。ネットワークデバイスにより送出された情報が同期信号を含むとき、端末は同期信号を検出できる。
【０２１６】
Ｓ７０２．端末が、同期信号に対応する系列に基づいて、システム情報を搬送する時間周波数リソースを決定する。
【０２１７】
具体的に、Ｓ７０１の具体的な実現プロセスについてはＳ２０１の前述の説明を参照し、詳細はここで再度説明されない。
【０２１８】
任意選択で、Ｓ７０２において端末が、同期信号に対応する系列に基づいて、システム情報を搬送する時間周波数リソースを決定することは、
同期信号に対応する系列が第１の系列である場合、システム情報を搬送する時間周波数リソースは第１の時間周波数リソースであり、あるいは、
同期信号に対応する系列が第２の系列である場合、システム情報を搬送する時間周波数リソースは第２の時間周波数リソースであることを含んでもよい。
【０２１９】
第１の時間周波数リソースの周波数ドメイン位置は、同期信号を搬送する時間周波数リソースの周波数ドメイン位置と同じであり、あるいは、第１の時間周波数リソースに対応する周波数ドメイン位置は、同期信号を搬送する時間周波数リソースに対応する周波数ドメイン位置を含む。
【０２２０】
第２の時間周波数リソースの周波数ドメイン位置は、同期信号を搬送する時間周波数リソースの周波数ドメイン位置に隣接し、あるいは、第２の時間周波数リソースに対応する周波数ドメイン位置と、同期信号を搬送する時間周波数リソースに対応する周波数ドメイン位置とは、固定の周波数シフトにより離される。
【０２２１】
任意選択で、前述の情報送信方式において、第１の時間周波数リソースの開始シンボルは、同期信号を搬送する最後のシンボルに隣接し、あるいは、第１の時間周波数リソースの開始シンボルは、同期信号を搬送する最後のシンボルの次のシンボルであり、あるいは、同期信号を搬送する最後のシンボルがシンボルｌである場合、第１の時間周波数リソースの開始シンボルは、シンボル（ｌ＋１）又はシンボル（ｌ＋１）ｍｏｄ  Ｌであり、ｌ＝０，１，・・・Ｌ−１であり、Ｌは正の整数である。
【０２２２】
第２の時間周波数リソースのシンボルは、同期信号を搬送するシンボルと同じであり、あるいは、第２の時間周波数リソースの開始シンボルは、同期信号に含まれるプライマリ同期信号を搬送する開始シンボルと同じである。
【０２２３】
任意選択で、第１の系列は、２つの３１長系列を使用することにより第１の組み合わせ方式で生成され、第２の系列は、２つの３１長系列を使用することにより第２の組み合わせ方式で生成され、第１の組み合わせ方式は、第２の組み合わせ方式と異なる。
【０２２４】
情報送信方法において、端末は、同期信号に対応する系列を決定し、同期信号に対応する系列に基づいて、システム情報を搬送する時間周波数リソースを決定してもよい。システム情報を搬送する異なる時間周波数リソースが異なる適用シナリオに対応してもよく、それにより、同期信号に対応する異なる系列が異なる適用シナリオに対応してもよく、ゆえに、端末とネットワークデバイスとの間の情報送信方法は異なる適用シナリオに柔軟に適用できる。
【０２２５】
この出願の実施例３は情報送信方法をさらに提供する。図８は、この出願の実施例３による別の情報送信方法のフローチャートである。図８に示されるように、方法は以下のステップを含み得る。
【０２２６】
Ｓ８０１．ネットワークデバイスが、システム情報を搬送する時間周波数リソースを決定する。
【０２２７】
具体的に、Ｓ８０１の具体的な実現プロセスについてはＳ６０１の前述の説明を参照し、詳細はここで再度説明されない。
【０２２８】
Ｓ８０２．ネットワークデバイスが、システム情報を搬送する時間周波数リソースに基づいて、同期信号に対応する系列を決定する。
【０２２９】
具体的に、Ｓ８０２の具体的な実現プロセスについてはＳ６０２の前述の説明を参照し、詳細はここで再度説明されない。
【０２３０】
任意選択で、Ｓ８０２においてネットワークデバイスが、システム情報を搬送する時間周波数リソースに基づいて、同期信号に対応する系列を決定することは、
システム情報を搬送する時間周波数リソースが第１の時間周波数リソースである場合、ネットワークデバイスは、同期信号に対応する系列が第１の系列であると決定し、あるいは、
システム情報を搬送する時間周波数リソースが第２の時間周波数リソースである場合、ネットワークデバイスは、同期信号に対応する系列が第２の系列であると決定することを含んでもよい。
【０２３１】
第１の時間周波数リソースの周波数ドメイン位置は、同期信号を搬送する時間周波数リソースの周波数ドメイン位置と同じであり、あるいは、第１の時間周波数リソースの周波数ドメイン位置は、同期信号を搬送する時間周波数リソースの周波数ドメイン位置を含む。
【０２３２】
第２の時間周波数リソースの周波数ドメイン位置は、同期信号を搬送する時間周波数リソースの周波数ドメイン位置に隣接し、あるいは、第２の時間周波数リソースの周波数ドメイン位置と、同期信号を搬送する時間周波数リソースの周波数ドメイン位置とは、固定の周波数シフトにより離される。
【０２３３】
任意選択で、第１の時間周波数リソースの開始シンボルは、同期信号を搬送する最後のシンボルに隣接し、あるいは、第１の時間周波数リソースの開始シンボルは、同期信号を搬送する最後のシンボルの次のシンボルであり、あるいは、同期信号を搬送する最後のシンボルがシンボルｌである場合、第１の時間周波数リソースの開始シンボルは、シンボル（ｌ＋１）又はシンボル（ｌ＋１）ｍｏｄ  Ｌであり、ｌ＝０，１，・・・Ｌ−１であり、Ｌは正の整数である。
【０２３４】
第２の時間周波数リソースのシンボルは、同期信号を搬送するシンボルと同じであり、あるいは、第２の時間周波数リソースの開始シンボルは、同期信号に含まれるプライマリ同期信号を搬送する開始シンボルと同じである。
【０２３５】
別法として、Ｓ８０２においてネットワークデバイスが、システム情報を搬送する時間周波数リソースに基づいて、同期信号に対応する系列を決定することは、
システム情報を搬送する時間周波数リソースが第１の時間周波数リソースである場合、ネットワークデバイスは、同期信号に対応する系列が第１の系列であると決定し、あるいは、
システム情報を搬送する時間周波数リソースが第２の時間周波数リソースである場合、ネットワークデバイスは、同期信号に対応する系列が第２の系列であると決定することを含んでもよい。
【０２３６】
第１の時間周波数リソースと同期信号を搬送する時間周波数リソースとは、時分割多重の対象であり、第２の時間周波数リソースと同期信号を搬送する時間周波数リソースとは、周波数分割多重の対象である。
【０２３７】
任意選択で、第１の系列は、２つの３１長系列を使用することにより第１の組み合わせ方式で生成され、第２の系列は、２つの３１長系列を使用することにより第２の組み合わせ方式で生成され、第１の組み合わせ方式は、第２の組み合わせ方式と異なる。
【０２３８】
情報送信方法において、ネットワークデバイスは、システム情報を搬送する時間周波数リソースを決定し、システム情報を搬送する時間周波数リソースに基づいて、同期信号に対応する系列を決定してもよい。システム情報を搬送する異なる時間周波数リソースが異なる適用シナリオに対応してもよく、それにより、同期信号に対応する異なる系列が異なる適用シナリオに対応してもよく、ゆえに、端末とネットワークデバイスとの間の情報送信方法は、異なる適用シナリオに柔軟に適用できる。
【０２３９】
この出願の実施例４が端末をさらに提供する。図９は、この出願の実施例４による端末の概略構成図である。図９に示されるように、端末９００は、受信ユニット９０１及び処理ユニット９０２を含み得る。受信ユニット９０１は、端末９００の受信機により実現されてもよい。
【０２４０】
例えば、処理ユニット９０２は、ソフトウェア及び／又はソフトウェアを使用することにより端末９００のプロセッサにより実現されてもよい。
【０２４１】
端末９００のプロセッサは、中央処理ユニット（Central  Processing  Unit、ＣＰＵ）でもよい。別法として、プロセッサは、別の汎用プロセッサ、デジタルシグナルプロセッサ（Digital  Signal  Processor、ＤＳＰ）、特定用途向け集積回路（Application-specific  Integrated  Circuit、ＡＳＩＣ）、フィールドプログラマブルゲートアレイ（Field-Programmable  Gate  Array、ＦＰＧＡ）又は別のプログラム可能論理デバイス、ディスクリートゲート又はトランジスタ論理デバイス、ディスクリートハードウェアコンポーネント等でもよい。汎用プロセッサはマイクロプロセッサでもよく、あるいは、プロセッサは任意の従来のプロセッサ等でもよい。
【０２４２】
受信機は、信号を受信するように構成された受信インターフェース回路でもよい。さらに、受信機は、無線通信を通して別のネットワーク及び／又は端末と通信してもよい。
【０２４３】
処理ユニット９０２は、前述の実施例における情報送信方法のＳ１０３を実行して、同期信号に対応するサブキャリア間隔を決定し、同期信号に対応するサブキャリア間隔は、同期信号を搬送するサービングセルに対応するサブキャリア間隔セット内の最も大きいサブキャリア間隔であり；Ｓ１０４を実行して、同期信号に対応するサブキャリア間隔とネットワークデバイスにより送出された受信した情報とに基づいて同期信号を検出するように構成されてもよい。
【０２４４】
任意選択で、同期信号を搬送するシンボルに対応するサイクリックプレフィックスは、同期信号に対応するサブキャリア間隔に対応するサイクリックプレフィックスにおいて最も長いサイクリックプレフィックスである。
【０２４５】
任意選択で、処理ユニット９０２は、前述の情報送信方法におけるＳ２０１を実行して、同期信号に対応する系列に基づいて、システム情報を搬送する時間周波数リソースを決定するようにさらに構成される。
【０２４６】
任意選択で、処理ユニット９０２は、同期信号に対応する系列が第１の系列である場合、システム情報を搬送する時間周波数リソースが第１の時間周波数リソースであると決定し、あるいは、同期信号に対応する系列が第２の系列である場合、システム情報を搬送する時間周波数リソースが第２の時間周波数リソースであると決定するように具体的に構成される。
【０２４７】
第１の時間周波数リソースの周波数ドメイン位置は、同期信号を搬送する時間周波数リソースの周波数ドメイン位置と同じであり、あるいは、第１の時間周波数リソースに対応する周波数ドメイン位置は、同期信号を搬送する時間周波数リソースに対応する周波数ドメイン位置を含む。第２の時間周波数リソースの周波数ドメイン位置は、同期信号を搬送する時間周波数リソースの周波数ドメイン位置に隣接し、あるいは、第２の時間周波数リソースに対応する周波数ドメイン位置と、同期信号を搬送する時間周波数リソースに対応する周波数ドメイン位置とは、固定の周波数シフトにより離される。
【０２４８】
任意選択で、第１の時間周波数リソースの開始シンボルは、同期信号を搬送する最後のシンボルに隣接し、あるいは、
第１の時間周波数リソースの開始シンボルは、同期信号を搬送する最後のシンボルの次のシンボルであり、あるいは、
同期信号を搬送する最後のシンボルがシンボルｌである場合、第１の時間周波数リソースの開始シンボルは、シンボル（ｌ＋１）又はシンボル（ｌ＋１）ｍｏｄ  Ｌであり、ｌ＝０，１，・・・Ｌ−１であり、Ｌは正の整数である。
【０２４９】
第２の時間周波数リソースのシンボルは、同期信号を搬送するシンボルと同じであり、あるいは、第２の時間周波数リソースの開始シンボルは、同期信号に含まれるプライマリ同期信号を搬送する開始シンボルと同じである。
【０２５０】
任意選択で、第２の時間周波数リソースの周波数ドメイン位置は、同期信号を搬送する時間周波数リソースの周波数ドメイン位置に隣接し、同期信号を搬送する時間周波数リソースの周波数ドメイン位置の両側に分散される。
【０２５１】
任意選択で、前述の方法において上記で説明されたように、第１の系列は、２つの３１長系列を使用することにより第１の組み合わせ方式で生成され、第２の系列は、２つの３１長系列を使用することにより第２の組み合わせ方式で生成され、第１の組み合わせ方式は、第２の組み合わせ方式と異なる。
【０２５２】
任意選択で、前述の方法において上記で説明されたように、システム情報はシンボル位置インジケータフィールドを含む。
【０２５３】
シンボル位置インジケータフィールドは、同期信号を搬送する開始シンボルの位置を示すために使用され、あるいは、
シンボル位置インジケータフィールドは、同期信号を搬送する開始シンボルのインデックスを示すために使用され、あるいは、
シンボル位置インジケータフィールドは、同期信号を搬送する開始シンボルと同期信号を搬送するサブフレームの第１のシンボルとの間の時間ドメインシフトを示すために使用され、あるいは、
位置インジケータフィールドは、プライマリ同期信号を搬送する開始シンボルの位置を示すために使用され、あるいは、
シンボル位置インジケータフィールドは、プライマリ同期信号を搬送する開始シンボルのインデックスを示すために使用され、あるいは、
シンボル位置インジケータフィールドは、プライマリ同期信号を搬送する開始シンボルとプライマリ同期信号を搬送するサブフレームの第１のシンボルとの間の時間ドメインシフトを示すために使用される。
【０２５４】
任意選択で、前述の方法において上記で説明されたように、システム情報に対応するスクランブリングコードが、システム情報を搬送するサブフレームを示すために使用される。
【０２５５】
任意選択で、前述の方法において上記で説明されたように、同期信号はセカンダリ同期信号である。
【０２５６】
この出願の実施例４で提供される端末は、同期信号を搬送するサービングセルに対応するサブキャリア間隔セット内の最も大きいサブキャリア間隔を、同期信号に対応するサブキャリア間隔として決定し、同期信号に対応するサブキャリア間隔に基づいて同期信号を検出してもよい。サービングセルに対応するサブキャリア間隔セット内の異なるサブキャリア間隔が異なる適用シナリオに対応してもよく、それにより、端末とネットワークデバイスとの間の情報送信方法は異なる適用シナリオに柔軟に適用できる。
【０２５７】
この出願の実施例５が端末をさらに提供する。図１０は、この出願の実施例５による端末の概略構成図である。図１０に示されるように、端末１０００は、プロセッサ１００１及び受信機１００２を含み得る。任意選択で、プロセッサ１００１は、実施例４における処理ユニット９０２の機能を実現でき、受信機１００２は、実施例４における受信ユニット９０１の機能を実現できる。
【０２５８】
任意選択で、端末１０００は、メモリ１００３をさらに含んでもよい。メモリ１００３は、プロセッサ１００１により実行されるコード等を記憶するように構成されてもよい。
【０２５９】
端末１０００のプロセッサはＣＰＵでもよい。別法として、プロセッサ１００１は、別の汎用プロセッサ、ＤＳＰ、ＡＳＩＣ、ＦＰＧＡ又は別のプログラム可能論理デバイス、ディスクリートゲート又はトランジスタ論理デバイス、ディスクリートハードウェアコンポーネント等でもよい。汎用プロセッサはマイクロプロセッサでもよく、あるいは、プロセッサは任意の従来のプロセッサ等でもよい。
【０２６０】
この出願の実施例５における端末は、図１、図２、及び図７のうちいずれか１つにおける端末により実行される情報送信方法を実行でき、その有益な効果は前述の実施例におけるものと同様であり、詳細はここで再度説明されない。
【０２６１】
この出願の実施例６がネットワークデバイスをさらに提供する。図１１は、この出願の実施例６によるネットワークデバイスの概略構成図である。図１１に示されるように、ネットワークデバイス１１００は、処理ユニット１１０１及び送出ユニット１１０２を含み得る。
【０２６２】
例えば、処理ユニット１１０１は、ソフトウェア及び／又はソフトウェアを使用することによりネットワークデバイス１１００のプロセッサにより実現されてもよく、送出ユニット１１０２は、ネットワークデバイス１１００の送信機により実現されてもよい。
【０２６３】
プロセッサはＣＰＵでもよい。別法として、プロセッサは、別の汎用プロセッサ、ＤＳＰ、ＡＳＩＣ、ＦＰＧＡ又は別のプログラム可能論理デバイス、ディスクリートゲート又はトランジスタ論理デバイス、ディスクリートハードウェアコンポーネント等でもよい。汎用プロセッサはマイクロプロセッサでもよく、あるいは、プロセッサは任意の従来のプロセッサ等でもよい。
【０２６４】
送信機は、信号を送出するように構成された送信インターフェース回路でもよい。さらに、送信機は、無線通信を通して別のネットワーク及び／又は端末と通信してもよい。
【０２６５】
処理ユニット１１０１は、前述の実施例における情報送信方法のＳ１０１を実行して、同期信号に対応するサブキャリア間隔を決定するように構成され、同期信号に対応するサブキャリア間隔は、同期信号を搬送するサービングセルに対応するサブキャリア間隔セット内の最も大きいサブキャリア間隔である。
【０２６６】
送出ユニット１１０２は、前述の実施例における情報送信方法のＳ１０２を実行して、同期信号に対応するサブキャリア間隔に基づいて同期信号を送出するように構成される。
【０２６７】
任意選択で、処理ユニット１１０１は、前述の実施例における情報送信方法のＳ５０１を実行して、同期信号に対応するサブキャリア間隔に基づいて、サブキャリア間隔に対応するサイクリックプレフィックスセットを決定し、前述の実施例における情報送信方法のＳ５０２を実行して、サイクリックプレフィックスセットに基づいて、同期信号を搬送するシンボルに対応するサイクリックプレフィックスがサイクリックプレフィックスセット内の最も長いサイクリックプレフィックスであると決定するようにさらに構成される。
【０２６８】
任意選択で、送出ユニット１１０２は、前述の実施例における情報送信方法のＳ５０３を実行して、同期信号に対応するサブキャリア間隔と同期信号を搬送するシンボルに対応するサイクリックプレフィックスとに基づいて同期信号を送出するように具体的に構成される。
【０２６９】
任意選択で、処理ユニット１１０１は、前述の実施例における情報送信方法のＳ６０１を実行して、システム情報を搬送する時間周波数リソースを決定し、前述の実施例における情報送信方法のＳ６０２を実行して、システム情報を搬送する時間周波数リソースに基づいて、同期信号に対応する系列を決定するようにさらに構成される。
【０２７０】
別法として、処理ユニット１１０１は、システム情報を搬送する時間周波数リソースが第１の時間周波数リソースである場合、同期信号に対応する系列が第１の系列であると決定し、あるいは、システム情報を搬送する時間周波数リソースが第２の時間周波数リソースである場合、同期信号に対応する系列が第２の系列であると決定するように具体的に構成される。
【０２７１】
第１の時間周波数リソースの周波数ドメイン位置は、同期信号を搬送する時間周波数リソースの周波数ドメイン位置と同じであり、あるいは、第１の時間周波数リソースの周波数ドメイン位置は、同期信号を搬送する時間周波数リソースの周波数ドメイン位置を含む。
【０２７２】
第２の時間周波数リソースの周波数ドメイン位置は、同期信号を搬送する時間周波数リソースの周波数ドメイン位置に隣接し、あるいは、第２の時間周波数リソースの周波数ドメイン位置と、同期信号を搬送する時間周波数リソースの周波数ドメイン位置とは、固定の周波数シフトにより離される。
【０２７３】
任意選択で、第１の時間周波数リソースの開始シンボルは、同期信号を搬送する最後のシンボルに隣接し、あるいは、
第１の時間周波数リソースの開始シンボルは、同期信号を搬送する最後のシンボルの次のシンボルであり、あるいは、
同期信号を搬送する最後のシンボルがシンボルｌである場合、第１の時間周波数リソースの開始シンボルは、シンボル（ｌ＋１）又はシンボル（ｌ＋１）ｍｏｄ  Ｌであり、ｌ＝０，１，・・・Ｌ−１であり、Ｌは正の整数である。
【０２７４】
第２の時間周波数リソースのシンボルは、同期信号を搬送するシンボルと同じであり、あるいは、第２の時間周波数リソースの開始シンボルは、同期信号に含まれるプライマリ同期信号を搬送する開始シンボルと同じである。
【０２７５】
任意選択で、第２の時間周波数リソースの周波数ドメイン位置は、同期信号を搬送する時間周波数リソースの周波数ドメイン位置に隣接し、同期信号を搬送する時間周波数リソースの周波数ドメイン位置の両側に分散される。
【０２７６】
任意選択で、処理ユニット１１０１は、システム情報を搬送する時間周波数リソースが第１の時間周波数リソースである場合、同期信号に対応する系列が第１の系列であると決定し、あるいは、システム情報を搬送する時間周波数リソースが第２の時間周波数リソースである場合、同期信号に対応する系列が第２の系列であると決定するように具体的に構成される。
【０２７７】
第１の時間周波数リソースと同期信号を搬送する時間周波数リソースとは、時分割多重の対象であり、第２の時間周波数リソースと同期信号を搬送する時間周波数リソースとは、周波数分割多重の対象である。
【０２７８】
任意選択で、第１の系列は、２つの３１長系列を使用することにより第１の組み合わせ方式で生成され、第２の系列は、２つの３１長系列を使用することにより第２の組み合わせ方式で生成され、第１の組み合わせ方式は、第２の組み合わせ方式と異なる。
【０２７９】
任意選択で、システム情報はシンボル位置インジケータフィールドを含む。
【０２８０】
シンボル位置インジケータフィールドは、同期信号を搬送する開始シンボルの位置を示すために使用され、あるいは、
シンボル位置インジケータフィールドは、同期信号を搬送する開始シンボルのインデックスを示すために使用され、あるいは、
シンボル位置インジケータフィールドは、同期信号を搬送する開始シンボルと同期信号を搬送するサブフレームの第１のシンボルとの間の時間ドメインシフトを示すために使用され、あるいは、
位置インジケータフィールドは、プライマリ同期信号を搬送する開始シンボルの位置を示すために使用され、あるいは、
シンボル位置インジケータフィールドは、プライマリ同期信号を搬送する開始シンボルのインデックスを示すために使用され、あるいは、
シンボル位置インジケータフィールドは、プライマリ同期信号を搬送する開始シンボルとプライマリ同期信号を搬送するサブフレームの第１のシンボルとの間の時間ドメインシフトを示すために使用される。
【０２８１】
任意選択で、システム情報に対応するスクランブリングコードが、システム情報を搬送するサブフレームを示すために使用される。
【０２８２】
任意選択で、同期信号はセカンダリ同期信号である。
【０２８３】
この出願の実施例６で提供されるネットワークデバイスは、同期信号を搬送するサービングセルに対応するサブキャリア間隔セット内の最も大きいサブキャリア間隔を、同期信号に対応するサブキャリア間隔として決定し、同期信号に対応するサブキャリア間隔に基づいて同期信号を送出してもよい。サービングセルに対応するサブキャリア間隔セット内の異なるサブキャリア間隔が異なる適用シナリオに対応してもよく、それにより、端末とネットワークデバイスとの間の情報送信方法は異なる適用シナリオに柔軟に適用できる。
【０２８４】
この出願の実施例７がネットワークデバイスをさらに提供する。図１２は、この出願の実施例７によるネットワークデバイスの概略構成図である。図１２に示されるように、ネットワークデバイス１２００は、プロセッサ１２０１及び送信機１２０２を含み得る。任意選択で、プロセッサ１２０１は、実施例６における処理ユニット１１０１の機能を実現でき、送信機１２０２は、実施例６における送出ユニット１１０２の機能を実現できる。
【０２８５】
任意選択で、ネットワークデバイス１２００は、メモリ１２０３をさらに含んでもよい。メモリ１２０３は、プロセッサ１２０１により実行されるコード等を記憶するように構成されてもよい。
【０２８６】
ネットワークデバイス１２００のプロセッサ１２０１はＣＰＵでもよい。別法として、プロセッサ１２０１は、別の汎用プロセッサ、ＤＳＰ、ＡＳＩＣ、ＦＰＧＡ又は別のプログラム可能論理デバイス、ディスクリートゲート又はトランジスタ論理デバイス、ディスクリートハードウェアコンポーネント等でもよい。汎用プロセッサはマイクロプロセッサでもよく、あるいは、プロセッサは任意の従来のプロセッサ等でもよい。
【０２８７】
この出願の実施例７における端末は、図１、図５、図６、及び図８のうちいずれか１つにおけるネットワークデバイスにより実行される情報送信方法を実行でき、その有益な効果は前述の実施例におけるものと同様であり、詳細はここで再度説明されない。
【０２８８】
さらに、この出願の実施例における機能ユニットは１つの処理ユニットに統合されてもよく、あるいは、ユニットの各々は物理的に単体で存在してもよく、あるいは、２つ以上のユニットが１つのユニットに統合されてもよい。統合されたユニットは、ハードウェアの形式で実現されてもよく、あるいはソフトウェア機能ユニットの形式で実現されてもよい。
【０２８９】
統合されたユニットがソフトウェア機能ユニットの形式で実現され、独立した製品として販売又は使用されるとき、統合されたユニットはコンピュータ読取可能記憶媒体に記憶されてもよい。こうした理解に基づき、本質的にこの出願の技術的解決策、又は従来技術に貢献する部分、又は技術的解決策の全部若しくは一部は、ソフトウェア製品の形式で実現されてもよい。コンピュータソフトウェア製品は記憶媒体に記憶され、コンピュータデバイス（これはパーソナルコンピュータ、サーバ、ネットワークデバイス等でもよい）又はプロセッサ（processor）にこの出願の実施例で説明された方法のステップの全部又は一部を実行するよう命令するいくつかの命令を含む。前述の記憶媒体は、ＵＳＢフラッシュドライブ、取外し可能ハードディスク、読取専用メモリ（ＲＯＭ、Read-Only  Memory）、ランダムアクセスメモリ（ＲＡＭ、Random  Access  Memory）、磁気ディスク、又は光ディスクのようなプログラムコードを記憶できる様々な媒体を含む。
【図１】
2019530287.tif 000004
【図２】
2019530287.tif 000005
【図３】
2019530287.tif 000006
【図４】
2019530287.tif 000007
【図５】
2019530287.tif 000008
【図６】
2019530287.tif 000009
【図７】
2019530287.tif 000010
【図８】
2019530287.tif 000011
【図９】
2019530287.tif 000012
【図１０】
2019530287.tif 000013
【図１１】
2019530287.tif 000014
【図１２】
2019530287.tif 000015
【手続補正書】
【提出日】平成31年2月22日(2019.2.22)
【手続補正１】
【補正対象書類名】特許請求の範囲
【補正対象項目名】全文
【補正方法】変更
【補正の内容】
【特許請求の範囲】
【請求項１】
情報送信方法であって、
端末により、同期信号に対応するサブキャリア間隔を決定するステップであり、前記同期信号に対応する前記サブキャリア間隔は、前記同期信号を搬送するサービングセルに対応するサブキャリア間隔セット内の最も大きいサブキャリア間隔である、ステップと、
前記端末により、前記同期信号に対応する前記サブキャリア間隔に基づいて前記同期信号を検出するステップと、
を含む方法。
【請求項２】
前記同期信号を搬送するシンボルに対応するサイクリックプレフィックスが、前記同期信号に対応する前記サブキャリア間隔に対応するサイクリックプレフィックスにおいて最も長いサイクリックプレフィックスである、請求項１に記載の方法。
【請求項３】
当該方法は、
前記端末により、前記同期信号に対応する系列に基づいて、システム情報を搬送する時間周波数リソースを決定するステップをさらに含む、請求項１又は２に記載の方法。
【請求項４】
前記端末により、前記同期信号に対応する系列に基づいて、システム情報を搬送する時間周波数リソースを決定するステップは、
前記同期信号に対応する前記系列が第１の系列である場合、前記端末により、前記システム情報を搬送する前記時間周波数リソースが第１の時間周波数リソースであると決定するステップ、又は、
前記同期信号に対応する前記系列が第２の系列である場合、前記端末により、前記システム情報を搬送する前記時間周波数リソースが第２の時間周波数リソースであると決定するステップを含み、
前記第１の時間周波数リソースの周波数ドメイン位置が、前記同期信号を搬送する時間周波数リソースの周波数ドメイン位置と同じであり、あるいは、前記第１の時間周波数リソースに対応する周波数ドメイン位置が、前記同期信号を搬送する時間周波数リソースに対応する周波数ドメイン位置を含み、
前記第２の時間周波数リソースの周波数ドメイン位置が、前記同期信号を搬送する前記時間周波数リソースの前記周波数ドメイン位置に隣接し、あるいは、前記第２の時間周波数リソースに対応する周波数ドメイン位置と前記同期信号を搬送する前記時間周波数リソースに対応する前記周波数ドメイン位置とが、固定の周波数シフトにより離される、請求項３に記載の方法。
【請求項５】
前記第１の時間周波数リソースの開始シンボルが、前記同期信号を搬送する最後のシンボルに隣接し、あるいは、前記第１の時間周波数リソースの開始シンボルが、前記同期信号を搬送する最後のシンボルの次のシンボルであり、あるいは、前記同期信号を搬送する最後のシンボルがシンボルｌである場合、前記第１の時間周波数リソースの開始シンボルはシンボル（ｌ＋１）又はシンボル（ｌ＋１）ｍｏｄ  Ｌであり、ｌ＝０，１，・・・Ｌ−１であり、Ｌは正の整数であり、
前記第２の時間周波数リソースのシンボルが、前記同期信号を搬送する前記シンボルと同じであり、あるいは、前記第２の時間周波数リソースの開始シンボルが、前記同期信号に含まれるプライマリ同期信号を搬送する開始シンボルと同じである、
請求項４に記載の方法。
【請求項６】
前記第２の時間周波数リソースの周波数ドメイン位置が、前記同期信号を搬送する前記時間周波数リソースの前記周波数ドメイン位置に隣接することは、
前記第２の時間周波数リソースの前記周波数ドメイン位置が、前記同期信号を搬送する前記時間周波数リソースの前記周波数ドメイン位置に隣接し、前記同期信号を搬送する前記時間周波数リソースの前記周波数ドメイン位置の両側に分散されることを含む、請求項４又は５に記載の方法。
【請求項７】
前記第１の系列は、２つの３１ビット長系列を使用することにより第１の組み合わせ方式で生成され、前記第２の系列は、前記２つの３１ビット長系列を使用することにより第２の組み合わせ方式で生成され、前記第１の組み合わせ方式は前記第２の組み合わせ方式と異なる、請求項４乃至６のうちいずれか１項に記載の方法。
【請求項８】
前記システム情報は、シンボル位置インジケータフィールドを含み、
前記シンボル位置インジケータフィールドは、前記同期信号を搬送する開始シンボルの位置を示すために使用され、あるいは、前記シンボル位置インジケータフィールドは、前記同期信号を搬送する開始シンボルのインデックスを示すために使用され、あるいは、前記シンボル位置インジケータフィールドは、前記同期信号を搬送する開始シンボルと前記同期信号を搬送するサブフレームの第１のシンボルとの間の時間ドメインシフトを示すために使用され、あるいは、前記シンボル位置インジケータフィールドは、前記同期信号に含まれるプライマリ同期信号を搬送する開始シンボルの位置を示すために使用され、あるいは、前記シンボル位置インジケータフィールドは、前記プライマリ同期信号を搬送する前記開始シンボルのインデックスを示すために使用され、あるいは、前記シンボル位置インジケータフィールドは、前記プライマリ同期信号を搬送する前記開始シンボルと前記プライマリ同期信号を搬送するサブフレームの第１のシンボルとの間の時間ドメインシフトを示すために使用される、
請求項３乃至７のうちいずれか１項に記載の方法。
【請求項９】
前記システム情報に対応するスクランブリングコードが、前記システム情報を搬送するサブフレームを示すために使用される、請求項３乃至８のうちいずれか１項に記載の方法。
【請求項１０】
前記同期信号はセカンダリ同期信号である、請求項１乃至９のうちいずれか１項に記載の方法。
【請求項１１】
情報送信方法であって、
ネットワークデバイスにより、同期信号に対応するサブキャリア間隔を決定するステップであり、前記同期信号に対応する前記サブキャリア間隔は、前記同期信号を搬送するサービングセルに対応するサブキャリア間隔セット内の最も大きいサブキャリア間隔である、ステップと、
前記ネットワークデバイスにより、前記同期信号に対応する前記サブキャリア間隔に基づいて前記同期信号を送出するステップと、
を含む方法。
【請求項１２】
前記ネットワークデバイスにより、前記同期信号に対応する前記サブキャリア間隔に基づいて前記同期信号を送出する前に、当該方法は、
前記ネットワークデバイスにより、前記同期信号に対応する前記サブキャリア間隔に基づいて、前記サブキャリア間隔に対応するサイクリックプレフィックスセットを決定するステップと、
前記ネットワークデバイスにより、前記サイクリックプレフィックスセットに基づいて、前記同期信号を搬送するシンボルに対応するサイクリックプレフィックスが前記サイクリックプレフィックスセット内の最も長いサイクリックプレフィックスであると決定するステップと、
をさらに含む、請求項１１に記載の方法。
【請求項１３】
前記ネットワークデバイスにより、前記同期信号に対応する前記サブキャリア間隔に基づいて前記同期信号を送出するステップは、
前記ネットワークデバイスにより、前記同期信号に対応する前記サブキャリア間隔と前記同期信号を搬送する前記シンボルに対応する前記サイクリックプレフィックスとに基づいて前記同期信号を送出するステップを含む、請求項１２に記載の方法。
【請求項１４】
当該方法は、
前記ネットワークデバイスにより、システム情報を搬送する時間周波数リソースを決定するステップと、
前記ネットワークデバイスにより、前記システム情報を搬送する前記時間周波数リソースに基づいて、前記同期信号に対応する系列を決定するステップと、
をさらに含む、請求項１１乃至１３のうちいずれか１項に記載の方法。
【請求項１５】
前記ネットワークデバイスにより、前記システム情報を搬送する前記時間周波数リソースに基づいて、前記同期信号に対応する系列を決定するステップは、
前記システム情報を搬送する前記時間周波数リソースが第１の時間周波数リソースである場合、前記ネットワークデバイスにより、前記同期信号に対応する前記系列が第１の系列であると決定するステップ、又は、
前記システム情報を搬送する前記時間周波数リソースが第２の時間周波数リソースである場合、前記ネットワークデバイスにより、前記同期信号に対応する前記系列が第２の系列であると決定するステップを含み、
前記第１の時間周波数リソースの周波数ドメイン位置が、前記同期信号を搬送する時間周波数リソースの周波数ドメイン位置と同じであり、あるいは、前記第１の時間周波数リソースの周波数ドメイン位置が、前記同期信号を搬送する時間周波数リソースの周波数ドメイン位置を含み、
前記第２の時間周波数リソースの周波数ドメイン位置が、前記同期信号を搬送する前記時間周波数リソースの前記周波数ドメイン位置に隣接し、あるいは、前記第２の時間周波数リソースの周波数ドメイン位置と前記同期信号を搬送する前記時間周波数リソースの前記周波数ドメイン位置とが、固定の周波数シフトにより離される、
請求項１４に記載の方法。
【請求項１６】
前記第１の時間周波数リソースの開始シンボルが、前記同期信号を搬送する最後のシンボルに隣接し、あるいは、前記第１の時間周波数リソースの開始シンボルが、前記同期信号を搬送する最後のシンボルの次のシンボルであり、あるいは、前記同期信号を搬送する最後のシンボルがシンボルｌである場合、前記第１の時間周波数リソースの開始シンボルはシンボル（ｌ＋１）又はシンボル（ｌ＋１）ｍｏｄ  Ｌであり、ｌ＝０，１，・・・Ｌ−１であり、Ｌは正の整数であり、
前記第２の時間周波数リソースのシンボルが、前記同期信号を搬送する前記シンボルと同じであり、あるいは、前記第２の時間周波数リソースの開始シンボルが、前記同期信号に含まれるプライマリ同期信号を搬送する開始シンボルと同じである、
請求項１５に記載の方法。
【請求項１７】
前記第２の時間周波数リソースの周波数ドメイン位置が、前記同期信号を搬送する前記時間周波数リソースの前記周波数ドメイン位置に隣接することは、
前記第２の時間周波数リソースの前記周波数ドメイン位置が、前記同期信号を搬送する前記時間周波数リソースの前記周波数ドメイン位置に隣接し、前記同期信号を搬送する前記時間周波数リソースの前記周波数ドメイン位置の両側に分散されることを含む、請求項１５又は１６に記載の方法。
【請求項１８】
ネットワークデバイスにより送出された情報を受信するように構成された受信ユニットと、
同期信号に対応するサブキャリア間隔を決定し、前記同期信号に対応する前記サブキャリア間隔は、前記同期信号を搬送するサービングセルに対応するサブキャリア間隔セット内の最も大きいサブキャリア間隔であり；前記同期信号に対応する前記サブキャリア間隔と前記ネットワークデバイスにより送出された前記受信した信号とに基づいて前記同期信号を検出するように構成された処理ユニットと、
を含む端末。
【請求項１９】
前記処理ユニットは、前記同期信号に対応する系列に基づいて、システム情報を搬送する時間周波数リソースを決定するようにさらに構成される、
請求項１８に記載の端末。
【請求項２０】
前記処理ユニットは、前記同期信号に対応する前記系列が第１の系列である場合、前記システム情報を搬送する前記時間周波数リソースが第１の時間周波数リソースであると決定し、あるいは、前記同期信号に対応する前記系列が第２の系列である場合、前記システム情報を搬送する前記時間周波数リソースが第２の時間周波数リソースであると決定するように具体的に構成され、
前記第１の時間周波数リソースの周波数ドメイン位置が、前記同期信号を搬送する時間周波数リソースの周波数ドメイン位置と同じであり、あるいは、前記第１の時間周波数リソースに対応する周波数ドメイン位置が、前記同期信号を搬送する時間周波数リソースに対応する周波数ドメイン位置を含み、前記第２の時間周波数リソースの周波数ドメイン位置が、前記同期信号を搬送する前記時間周波数リソースの前記周波数ドメイン位置に隣接し、あるいは、前記第２の時間周波数リソースに対応する周波数ドメイン位置と前記同期信号を搬送する前記時間周波数リソースに対応する前記周波数ドメイン位置とが、固定の周波数シフトにより離される、
請求項１９に記載の端末。
【請求項２１】
同期信号に対応するサブキャリア間隔を決定するように構成された処理ユニットであり、前記同期信号に対応する前記サブキャリア間隔は、前記同期信号を搬送するサービングセルに対応するサブキャリア間隔セット内の最も大きいサブキャリア間隔である、処理ユニットと、
前記同期信号に対応する前記サブキャリア間隔に基づいて前記同期信号を送出するように構成された送出ユニットと、
を含むネットワークデバイス。
【請求項２２】
前記処理ユニットは、前記同期信号に対応する前記サブキャリア間隔に基づいて、前記サブキャリア間隔に対応するサイクリックプレフィックスセットを決定し、前記サイクリックプレフィックスセットに基づいて、前記同期信号を搬送するシンボルに対応するサイクリックプレフィックスが前記サイクリックプレフィックスセット内の最も長いサイクリックプレフィックスであると決定するようにさらに構成される、
請求項２１に記載のネットワークデバイス。
【請求項２３】
前記送出ユニットは、前記同期信号に対応する前記サブキャリア間隔と前記同期信号を搬送する前記シンボルに対応する前記サイクリックプレフィックスとに基づいて前記同期信号を送出するように具体的に構成される、
請求項２２に記載のネットワークデバイス。
【請求項２４】
前記処理ユニットは、システム情報を搬送する時間周波数リソースを決定し、前記システム情報を搬送する前記時間周波数リソースに基づいて、前記同期信号に対応する系列を決定するようにさらに構成される、請求項２１乃至２３のうちいずれか１項に記載のネットワークデバイス。
【請求項２５】
前記処理ユニットは、前記システム情報を搬送する前記時間周波数リソースが第１の時間周波数リソースである場合、前記同期信号に対応する前記系列が第１の系列であると決定し、あるいは、前記システム情報を搬送する前記時間周波数リソースが第２の時間周波数リソースである場合、前記同期信号に対応する前記系列が第２の系列であると決定するように具体的に構成され、
前記第１の時間周波数リソースの周波数ドメイン位置が、前記同期信号を搬送する時間周波数リソースの周波数ドメイン位置と同じであり、あるいは、前記第１の時間周波数リソースの周波数ドメイン位置が、前記同期信号を搬送する時間周波数リソースの周波数ドメイン位置を含み、
前記第２の時間周波数リソースの周波数ドメイン位置が、前記同期信号を搬送する前記時間周波数リソースの前記周波数ドメイン位置に隣接し、あるいは、前記第２の時間周波数リソースの周波数ドメイン位置と前記同期信号を搬送する前記時間周波数リソースの前記周波数ドメイン位置とが、固定の周波数シフトにより離される、
請求項２４に記載のネットワークデバイス。
【請求項２６】
前記処理ユニットは、前記システム情報を搬送する前記時間周波数リソースが第１の時間周波数リソースである場合、前記同期信号に対応する前記系列が第１の系列であると決定し、あるいは、前記システム情報を搬送する前記時間周波数リソースが第２の時間周波数リソースである場合、前記同期信号に対応する前記系列が第２の系列であると決定するように具体的に構成され、
前記第１の時間周波数リソースと前記同期信号を搬送する時間周波数リソースとは、時分割多重の対象であり、前記第２の時間周波数リソースと前記同期信号を搬送する前記時間周波数リソースとは、周波数分割多重の対象である、
請求項２４に記載のネットワークデバイス。
【請求項２７】
コンピュータに請求項１乃至１０のうちいずれか１項に記載の方法を実現させるプログラム。
【請求項２８】
コンピュータに請求項１１乃至１７のうちいずれか１項に記載の方法を実現させるプログラム。
【手続補正２】
【補正対象書類名】明細書
【補正対象項目名】全文
【補正方法】変更
【補正の内容】
【発明の詳細な説明】
【技術分野】
【０００１】
この出願は、2016年8月11日に中国特許庁に出願され「INFORMATION  TRANSMISSION  METHOD,  TERMINAL,  AND  NETWORK  DEVICE」と題された中国特許出願第201610658865.6号に対する優先権を主張し、該出願はその全体をここで参照により援用される。
【０００２】
この出願の実施例は通信技術に関し、詳細には情報送信方法、端末、及びネットワークデバイスに関する。
【背景技術】
【０００３】
第５世代（5th  Generation、５Ｇ）通信システム又はニューラジオ（New  Radio、ＮＲ）通信システムは、より高いシステム性能をサポートし、異なるサービス、異なる展開シナリオ、及び異なるスペクトルをサポートする目的で構築されている。サービスは、例えば、エンハンストモバイルブロードバンド（enhanced  Mobile  Broadband、ｅＭＢＢ）サービス、マシンタイプ通信（Machine  Type  Communication、ＭＴＣ）サービス、超高信頼性及び低遅延通信（Ultra-reliable  and  low  latency  communications、ＵＲＬＬＣ）サービス、マルチメディアブロードキャストマルチキャストサービス（Multimedia  Broadcast  Multicast  Service、ＭＢＭＳ）、及び測位サービスでもよい。展開シナリオは、例えば、屋内ホットスポット（Indoor  hotspot）シナリオ、密集都市部（dense  urban）シナリオ、郊外（suburban）シナリオ、都市部マクロ（Urban  Macro）シナリオ、及び高速鉄道シナリオでもよい。スペクトルは、例えば、１００ＧＨｚ以内の任意の周波数範囲でもよい。
【０００４】
現在の通信システムにおいて、異なる端末が同じ処理帯域幅を有し、同じ処理能力を有する。結果として、現在の通信システムは、異なるサービス、異なる展開シナリオ、及び異なるスペクトルリソースに対応するシナリオをサポートすることが困難である。
【０００５】
通信システムが、異なるサービス、異なる展開シナリオ、及び異なるスペクトルリソースシナリオのような異なる適用シナリオをサポートすることを可能にする方法が、さらに探求される必要がある。
【発明の概要】
【０００６】
この出願の実施例は、複数の異なる適用シナリオを柔軟にサポートするための情報送信方法、端末、及びネットワークデバイスを提供する。
【０００７】
第１の態様によれば、この出願の実施例は情報送信方法を提供する。当該方法は、
端末により、同期信号を搬送するサービングセルに対応するサブキャリア間隔セット内の最も大きいサブキャリア間隔を、同期信号に対応するサブキャリア間隔として決定するステップと、
端末により、同期信号に対応するサブキャリア間隔に基づいて同期信号を検出するステップとを含み得る。
【０００８】
当該方法において、サービングセルに対応するサブキャリア間隔セット内の異なるサブキャリア間隔が異なる適用シナリオに対応してもよく、それにより、端末とネットワークデバイスとの間の情報送信方法は異なる適用シナリオに柔軟に適用できる。
【０００９】
サービングセルに対応するサブキャリア間隔セット内のどのサブキャリア間隔がサービングセルにおける別のチャネル又は信号に使用されるかにかかわらず、端末は、同じサブキャリア間隔を使用することにより同期信号を検出し、それにより、端末は、同期信号に使用されたサブキャリア間隔を識別するために、同期信号に対してブラインド検出を実行する必要がない。これは、同期信号を検出するために端末により使用される時間を短縮し、サービングセルと同期するために端末により使用される時間を短縮し、すなわち、サービングセルにアクセスするために端末により使用される時間を短縮する。
【００１０】
サービングセルに対応するサブキャリア間隔セット内の最も大きいサブキャリア間隔に基づいて同期信号が検出されたとき、同期信号は、同期信号検出成功率を上げるために、高速シナリオによりもたらされるドップラーシフトに抵抗することができる。
【００１１】
第１の態様の実現方式において、同期信号を搬送するシンボルに対応するサイクリックプレフィックスが、同期信号に対応するサブキャリア間隔に対応するサイクリックプレフィックスにおいて最も長いサイクリックプレフィックスである。
【００１２】
この方式において、サービングセルにおける同期信号のカバレッジエリア、及びサービングセルにおけるブロードキャストチャネルのカバレッジエリアが拡大でき、サービングセルにおける同期信号のロバスト性、及びサービングセルにおけるブロードキャストチャネルのロバスト性が改善できる。
【００１３】
第１の態様の別の実現方式において、当該方法は、
端末により、同期信号に対応する系列に基づいて、システム情報を搬送する時間周波数リソースを決定するステップをさらに含んでもよい。
【００１４】
第１の態様のさらに別の実現方式において、端末により、同期信号に対応する系列に基づいて、システム情報を搬送する時間周波数リソースを決定するステップは、
同期信号に対応する系列が第１の系列である場合、端末により、システム情報を搬送する時間周波数リソースが第１の時間周波数リソースであると決定するステップ、又は、
同期信号に対応する系列が第２の系列である場合、端末により、システム情報を搬送する時間周波数リソースが第２の時間周波数リソースであると決定するステップを含み、
第１の時間周波数リソースの周波数ドメイン位置が、同期信号を搬送する時間周波数リソースの周波数ドメイン位置と同じであり、あるいは、第１の時間周波数リソースに対応する周波数ドメイン位置が、同期信号を搬送する時間周波数リソースに対応する周波数ドメイン位置を含み、
第２の時間周波数リソースの周波数ドメイン位置が、同期信号を搬送する時間周波数リソースの周波数ドメイン位置に隣接し、あるいは、第２の時間周波数リソースに対応する周波数ドメイン位置と同期信号を搬送する時間周波数リソースに対応する周波数ドメイン位置とが、固定の周波数シフトにより離される。
【００１５】
当該方法において、同期信号に対応する系列に基づいて、システム情報を搬送する時間周波数リソースが第１の時間周波数リソース又は第２の時間周波数リソースであると決定されてもよく、それにより、システムは、実際の適用シナリオ及び実際の要件に依存して、システム情報を搬送するために第１の時間周波数リソース及び／又は第２の時間周波数リソースを柔軟に使用して、動的なＴＤＤをより良くサポートし、前方互換性をより良くサポートし、マルチビーム送信をより良くサポートすることができる。
【００１６】
第１の態様のさらに別の実現方式において、第１の時間周波数リソースの開始シンボルが、同期信号を搬送する最後のシンボルに隣接し、あるいは、
第１の時間周波数リソースの開始シンボルが、同期信号を搬送する最後のシンボルの次のシンボルであり、あるいは、
同期信号を搬送する最後のシンボルがシンボルｌである場合、第１の時間周波数リソースの開始シンボルはシンボル（ｌ＋１）又はシンボル（ｌ＋１）ｍｏｄ  Ｌであり、ｌ＝０，１，・・・Ｌ−１であり、Ｌは正の整数であり、
第２の時間周波数リソースのシンボルが、同期信号を搬送するシンボルと同じであり、あるいは、
第２の時間周波数リソースの開始シンボルが、同期信号に含まれるプライマリ同期信号を搬送する開始シンボルと同じである。
【００１７】
第１の態様のさらに別の実現方式において、第２の時間周波数リソースの周波数ドメイン位置が、同期信号を搬送する時間周波数リソースの周波数ドメイン位置に隣接し、同期信号を搬送する時間周波数リソースの周波数ドメイン位置の両側に分散される。
【００１８】
第１の態様のさらに別の実現方式において、第１の系列は、２つの３１ビット長系列を使用することにより第１の組み合わせ方式で生成され、第２の系列は、２つの３１ビット長系列を使用することにより第２の組み合わせ方式で生成され、第１の組み合わせ方式は第２の組み合わせ方式と異なる。
【００１９】
第１の態様のさらに別の実現方式において、システム情報は、シンボル位置インジケータフィールドを含み、
シンボル位置インジケータフィールドは、同期信号を搬送する開始シンボルの位置を示すために使用され、あるいは、
シンボル位置インジケータフィールドは、同期信号を搬送する開始シンボルのインデックスを示すために使用され、あるいは、
シンボル位置インジケータフィールドは、同期信号を搬送する開始シンボルと同期信号を搬送するサブフレームの第１のシンボルとの間の時間ドメインシフトを示すために使用され、あるいは、
シンボル位置インジケータフィールドは、プライマリ同期信号を搬送する開始シンボルの位置を示すために使用され、あるいは、
シンボル位置インジケータフィールドは、プライマリ同期信号を搬送する開始シンボルのインデックスを示すために使用され、あるいは、
シンボル位置インジケータフィールドは、プライマリ同期信号を搬送する開始シンボルとプライマリ同期信号を搬送するサブフレームの第１のシンボルとの間の時間ドメインシフトを示すために使用される。
【００２０】
当該方法において、端末は、無線フレーム内で同期信号を搬送する時間ドメイン位置を決定し、それにより、端末は、マルチビーム送信の間にフレームタイミングを実行することにおいてサポートされることができる。
【００２１】
第１の態様のさらに別の実現方式において、システム情報に対応するスクランブリングコードが、システム情報を搬送するサブフレームを示すために使用される。
【００２２】
第１の態様のさらに別の実現方式において、同期信号はセカンダリ同期信号である。
【００２３】
第２の態様によれば、この出願の実施例は情報送信方法をさらに提供する。当該方法は、
端末により、同期信号に対応する系列を決定するステップと、
端末により、同期信号に対応する系列に基づいて、システム情報を搬送する時間周波数リソースを決定するステップとを含み得る。
【００２４】
当該情報送信方法において、システム情報を搬送する異なる時間周波数リソースが異なる適用シナリオに対応してもよく、それにより、同期信号に対応する異なる系列が異なる適用シナリオに対応してもよく、ゆえに、端末とネットワークデバイスとの間の情報送信方法は異なる適用シナリオに柔軟に適用できる。
【００２５】
第２の態様の実現方式において、端末により、同期信号に対応する系列に基づいて、システム情報を搬送する時間周波数リソースを決定するステップは、
同期信号に対応する系列が第１の系列である場合、端末により、システム情報を搬送する時間周波数リソースが第１の時間周波数リソースであると決定するステップ、又は、
同期信号に対応する系列が第２の系列である場合、端末により、システム情報を搬送する時間周波数リソースが第２の時間周波数リソースであると決定するステップを含み、
第１の時間周波数リソースの周波数ドメイン位置が、同期信号を搬送する時間周波数リソースの周波数ドメイン位置と同じであり、あるいは、第１の時間周波数リソースに対応する周波数ドメイン位置が、同期信号を搬送する時間周波数リソースに対応する周波数ドメイン位置を含み、
第２の時間周波数リソースの周波数ドメイン位置が、同期信号を搬送する時間周波数リソースの周波数ドメイン位置に隣接し、あるいは、第２の時間周波数リソースに対応する周波数ドメイン位置と同期信号を搬送する時間周波数リソースに対応する周波数ドメイン位置とが、固定の周波数シフトにより離される。
【００２６】
第２の態様の別の実現方式において、第１の時間周波数リソースの開始シンボルが、同期信号を搬送する最後のシンボルに隣接し、あるいは、
第１の時間周波数リソースの開始シンボルが、同期信号を搬送する最後のシンボルの次のシンボルであり、あるいは、
同期信号を搬送する最後のシンボルがシンボルｌである場合、第１の時間周波数リソースの開始シンボルはシンボル（ｌ＋１）又はシンボル（ｌ＋１）ｍｏｄ  Ｌであり、ｌ＝０，１，・・・Ｌ−１であり、Ｌは正の整数であり、
第２の時間周波数リソースのシンボルが、同期信号を搬送するシンボルと同じであり、あるいは、第２の時間周波数リソースの開始シンボルが、同期信号に含まれるプライマリ同期信号を搬送する開始シンボルと同じである。
【００２７】
第２の態様のさらに別の実現方式において、第１の系列は、２つの３１ビット長系列を使用することにより第１の組み合わせ方式で生成され、第２の系列は、２つの３１ビット長系列を使用することにより第２の組み合わせ方式で生成され、第１の組み合わせ方式は第２の組み合わせ方式と異なる。
【００２８】
第３の態様によれば、この出願の実施例は情報送信方法をさらに提供でき、当該方法は、
ネットワークデバイスにより、同期信号を搬送するサービングセルに対応するサブキャリア間隔セット内の最も大きいサブキャリア間隔を、同期信号に対応するサブキャリア間隔として決定するステップと、
ネットワークデバイスにより、同期信号に対応するサブキャリア間隔に基づいて同期信号を送出するステップとを含む。
【００２９】
当該方法において、サービングセルに対応するサブキャリア間隔セット内の異なるサブキャリア間隔が異なる適用シナリオに対応してもよく、それにより、端末とネットワークデバイスとの間の情報送信方法は異なる適用シナリオに柔軟に適用できる。
【００３０】
第３の態様の別の実現方式において、ネットワークデバイスにより、同期信号に対応するサブキャリア間隔に基づいて同期信号を送出する前に、当該方法は、
ネットワークデバイスにより、同期信号に対応するサブキャリア間隔に基づいて、サブキャリア間隔に対応するサイクリックプレフィックスセットを決定するステップと、
ネットワークデバイスにより、サイクリックプレフィックスセットに基づいて、同期信号を搬送するシンボルに対応するサイクリックプレフィックスがサイクリックプレフィックスセット内の最も長いサイクリックプレフィックスであると決定するステップとをさらに含む。
【００３１】
第３の態様のさらに別の実現方式において、ネットワークデバイスにより、同期信号に対応するサブキャリア間隔に基づいて同期信号を送出するステップは、
ネットワークデバイスにより、同期信号に対応するサブキャリア間隔と同期信号を搬送するシンボルに対応するサイクリックプレフィックスとに基づいて同期信号を送出するステップを含む。
【００３２】
第３の態様のさらに別の実現方式において、当該方法は、
ネットワークデバイスにより、システム情報を搬送する時間周波数リソースを決定するステップと、
ネットワークデバイスにより、システム情報を搬送する時間周波数リソースに基づいて、同期信号に対応する系列を決定するステップとをさらに含んでもよい。
【００３３】
当該情報送信方法において、システム情報を搬送する異なる時間周波数リソースが異なる適用シナリオに対応してもよく、それにより、同期信号に対応する異なる系列が異なる適用シナリオに対応してもよく、ゆえに、端末とネットワークデバイスとの間の情報送信方法は異なる適用シナリオに柔軟に適用できる。
【００３４】
第３の態様のさらに別の実現方式において、ネットワークデバイスにより、システム情報を搬送する時間周波数リソースに基づいて、同期信号に対応する系列を決定するステップは、
システム情報を搬送する時間周波数リソースが第１の時間周波数リソースである場合、ネットワークデバイスにより、同期信号に対応する系列が第１の系列であると決定するステップ、又は、
システム情報を搬送する時間周波数リソースが第２の時間周波数リソースである場合、ネットワークデバイスにより、同期信号に対応する系列が第２の系列であると決定するステップを含んでもよく、
第１の時間周波数リソースの周波数ドメイン位置が、同期信号を搬送する時間周波数リソースの周波数ドメイン位置と同じであり、あるいは、第１の時間周波数リソースの周波数ドメイン位置が、同期信号を搬送する時間周波数リソースの周波数ドメイン位置を含み、
第２の時間周波数リソースの周波数ドメイン位置が、同期信号を搬送する時間周波数リソースの周波数ドメイン位置に隣接し、あるいは、第２の時間周波数リソースの周波数ドメイン位置と同期信号を搬送する時間周波数リソースの周波数ドメイン位置とが、固定の周波数シフトにより離される。
【００３５】
第３の態様のさらに別の実現方式において、第１の時間周波数リソースの開始シンボルが、同期信号を搬送する最後のシンボルに隣接し、あるいは、
第１の時間周波数リソースの開始シンボルが、同期信号を搬送する最後のシンボルの次のシンボルであり、あるいは、
同期信号を搬送する最後のシンボルがシンボルｌである場合、第１の時間周波数リソースの開始シンボルはシンボル（ｌ＋１）又はシンボル（ｌ＋１）ｍｏｄ  Ｌであり、ｌ＝０，１，・・・Ｌ−１であり、Ｌは正の整数であり、
第２の時間周波数リソースのシンボルが、同期信号を搬送するシンボルと同じであり、あるいは、第２の時間周波数リソースの開始シンボルが、同期信号に含まれるプライマリ同期信号を搬送する開始シンボルと同じである。
【００３６】
第３の態様のさらに別の実現方式において、第２の時間周波数リソースの周波数ドメイン位置が、同期信号を搬送する時間周波数リソースの周波数ドメイン位置に隣接し、同期信号を搬送する時間周波数リソースの周波数ドメイン位置の両側に分散される。
【００３７】
第３の態様のさらに別の実現方式において、ネットワークデバイスにより、システム情報を搬送する時間周波数リソースに基づいて、同期信号に対応する系列を決定するステップは、
システム情報を搬送する時間周波数リソースが第１の時間周波数リソースである場合、ネットワークデバイスにより、同期信号に対応する系列が第１の系列であると決定するステップ、又は、
システム情報を搬送する時間周波数リソースが第２の時間周波数リソースである場合、ネットワークデバイスにより、同期信号に対応する系列が第２の系列であると決定するステップを含み、
第１の時間周波数リソースと同期信号を搬送する時間周波数リソースとは、時分割多重の対象であり、第２の時間周波数リソースと同期信号を搬送する時間周波数リソースとは、周波数分割多重の対象である。
【００３８】
第３の態様のさらに別の実現方式において、第１の系列は、２つの３１ビット長系列を使用することにより第１の組み合わせ方式で生成され、第２の系列は、２つの３１ビット長系列を使用することにより第２の組み合わせ方式で生成され、第１の組み合わせ方式は第２の組み合わせ方式と異なる。
【００３９】
第３の態様のさらに別の実現方式において、システム情報は、シンボル位置インジケータフィールドを含み、
シンボル位置インジケータフィールドは、同期信号を搬送する開始シンボルの位置を示すために使用され、あるいは、
シンボル位置インジケータフィールドは、同期信号を搬送する開始シンボルのインデックスを示すために使用され、あるいは、
シンボル位置インジケータフィールドは、同期信号を搬送する開始シンボルと同期信号を搬送するサブフレームの第１のシンボルとの間の時間ドメインシフトを示すために使用され、あるいは、
シンボル位置インジケータフィールドは、プライマリ同期信号を搬送する開始シンボルの位置を示すために使用され、あるいは、
シンボル位置インジケータフィールドは、プライマリ同期信号を搬送する開始シンボルのインデックスを示すために使用され、あるいは、
シンボル位置インジケータフィールドは、プライマリ同期信号を搬送する開始シンボルとプライマリ同期信号を搬送するサブフレームの第１のシンボルとの間の時間ドメインシフトを示すために使用される。
【００４０】
第３の態様のさらに別の実現方式において、システム情報に対応するスクランブリングコードが、システム情報を搬送するサブフレームを示すために使用される。
【００４１】
第３の態様のさらに別の実現方式において、同期信号はセカンダリ同期信号である。
【００４２】
第４の態様によれば、情報送信方法が、
ネットワークデバイスにより、システム情報を搬送する時間周波数リソースを決定するステップと、
ネットワークデバイスにより、システム情報を搬送する時間周波数リソースに基づいて、同期信号に対応する系列を決定するステップとを含む。
【００４３】
第４の態様の実現方式において、ネットワークデバイスにより、システム情報を搬送する時間周波数リソースに基づいて、同期信号に対応する系列を決定するステップは、
システム情報を搬送する時間周波数リソースが第１の時間周波数リソースである場合、ネットワークデバイスにより、同期信号に対応する系列が第１の系列であると決定するステップ、又は、
システム情報を搬送する時間周波数リソースが第２の時間周波数リソースである場合、ネットワークデバイスにより、同期信号に対応する系列が第２の系列であると決定するステップを含み、
第１の時間周波数リソースの周波数ドメイン位置が、同期信号を搬送する時間周波数リソースの周波数ドメイン位置と同じであり、あるいは、第１の時間周波数リソースの周波数ドメイン位置が、同期信号を搬送する時間周波数リソースの周波数ドメイン位置を含み、
第２の時間周波数リソースの周波数ドメイン位置が、同期信号を搬送する時間周波数リソースの周波数ドメイン位置に隣接し、あるいは、第２の時間周波数リソースの周波数ドメイン位置と同期信号を搬送する時間周波数リソースの周波数ドメイン位置とが、固定の周波数シフトにより離される。
【００４４】
第４の態様の別の実現方式において、第１の時間周波数リソースの開始シンボルが、同期信号を搬送する最後のシンボルに隣接し、あるいは、第１の時間周波数リソースの開始シンボルが、同期信号を搬送する最後のシンボルの次のシンボルであり、あるいは、同期信号を搬送する最後のシンボルがシンボルｌである場合、第１の時間周波数リソースの開始シンボルはシンボル（ｌ＋１）又はシンボル（ｌ＋１）ｍｏｄ  Ｌであり、ｌ＝０，１，・・・Ｌ−１であり、Ｌは正の整数であり、
第２の時間周波数リソースのシンボルが、同期信号を搬送するシンボルと同じであり、あるいは、第２の時間周波数リソースの開始シンボルが、同期信号に含まれるプライマリ同期信号を搬送する開始シンボルと同じである。
【００４５】
第４の態様のさらに別の実現方式において、ネットワークデバイスにより、システム情報を搬送する時間周波数リソースに基づいて、同期信号に対応する系列を決定するステップは、
システム情報を搬送する時間周波数リソースが第１の時間周波数リソースである場合、ネットワークデバイスにより、同期信号に対応する系列が第１の系列であると決定するステップ、又は、
システム情報を搬送する時間周波数リソースが第２の時間周波数リソースである場合、ネットワークデバイスにより、同期信号に対応する系列が第２の系列であると決定するステップを含み、
第１の時間周波数リソースと同期信号を搬送する時間周波数リソースとは、時分割多重の対象であり、第２の時間周波数リソースと同期信号を搬送する時間周波数リソースとは、周波数分割多重の対象である。
【００４６】
第４の態様のさらに別の実現方式において、第１の系列は、２つの３１ビット長系列を使用することにより第１の組み合わせ方式で生成され、第２の系列は、２つの３１ビット長系列を使用することにより第２の組み合わせ方式で生成され、第１の組み合わせ方式は第２の組み合わせ方式と異なる。
【００４７】
第５の態様によれば、この出願の実施例は端末をさらに提供し、当該端末は、
ネットワークデバイスにより送出された情報を受信するように構成された受信ユニットと、
同期信号に対応するサブキャリア間隔を決定し、同期信号に対応するサブキャリア間隔は、同期信号を搬送するサービングセルに対応するサブキャリア間隔セット内の最も大きいサブキャリア間隔であり；同期信号に対応するサブキャリア間隔とネットワークデバイスにより送出された受信した信号とに基づいて同期信号を検出するように構成された処理ユニットとを含む。
【００４８】
第５の態様の実現方式において、同期信号を搬送するシンボルに対応するサイクリックプレフィックスが、同期信号に対応するサブキャリア間隔に対応するサイクリックプレフィックスにおいて最も長いサイクリックプレフィックスである。
【００４９】
第５の態様の別の実現方式において、処理ユニットは、同期信号に対応する系列に基づいて、システム情報を搬送する時間周波数リソースを決定するようにさらに構成される。
【００５０】
第５の態様のさらに別の実現方式において、処理ユニットは、同期信号に対応する系列が第１の系列である場合、システム情報を搬送する時間周波数リソースが第１の時間周波数リソースであると決定し、あるいは、同期信号に対応する系列が第２の系列である場合、システム情報を搬送する時間周波数リソースが第２の時間周波数リソースであると決定するように具体的に構成され、
第１の時間周波数リソースの周波数ドメイン位置が、同期信号を搬送する時間周波数リソースの周波数ドメイン位置と同じであり、あるいは、第１の時間周波数リソースに対応する周波数ドメイン位置が、同期信号を搬送する時間周波数リソースに対応する周波数ドメイン位置を含み、第２の時間周波数リソースの周波数ドメイン位置が、同期信号を搬送する時間周波数リソースの周波数ドメイン位置に隣接し、あるいは、第２の時間周波数リソースに対応する周波数ドメイン位置と同期信号を搬送する時間周波数リソースに対応する周波数ドメイン位置とが、固定の周波数シフトにより離される。
【００５１】
第５の態様のさらに別の実現方式において、第１の時間周波数リソースの開始シンボルが、同期信号を搬送する最後のシンボルに隣接し、あるいは、
第１の時間周波数リソースの開始シンボルが、同期信号を搬送する最後のシンボルの次のシンボルであり、あるいは、
同期信号を搬送する最後のシンボルがシンボルｌである場合、第１の時間周波数リソースの開始シンボルはシンボル（ｌ＋１）又はシンボル（ｌ＋１）ｍｏｄ  Ｌであり、ｌ＝０，１，・・・Ｌ−１であり、Ｌは正の整数であり、
第２の時間周波数リソースのシンボルが、同期信号を搬送するシンボルと同じであり、あるいは、第２の時間周波数リソースの開始シンボルが、同期信号に含まれるプライマリ同期信号を搬送する開始シンボルと同じである。
【００５２】
第５の態様のさらに別の実現方式において、第２の時間周波数リソースの周波数ドメイン位置が、同期信号を搬送する時間周波数リソースの周波数ドメイン位置に隣接し、同期信号を搬送する時間周波数リソースの周波数ドメイン位置の両側に分散される。
【００５３】
第５の態様のさらに別の実現方式において、第１の系列は、２つの３１ビット長系列を使用することにより第１の組み合わせ方式で生成され、第２の系列は、２つの３１ビット長系列を使用することにより第２の組み合わせ方式で生成され、第１の組み合わせ方式は第２の組み合わせ方式と異なる。
【００５４】
第５の態様のさらに別の実現方式において、システム情報は、シンボル位置インジケータフィールドを含み、
シンボル位置インジケータフィールドは、同期信号を搬送する開始シンボルの位置を示すために使用され、あるいは、
シンボル位置インジケータフィールドは、同期信号を搬送する開始シンボルのインデックスを示すために使用され、あるいは、
シンボル位置インジケータフィールドは、同期信号を搬送する開始シンボルと同期信号を搬送するサブフレームの第１のシンボルとの間の時間ドメインシフトを示すために使用され、あるいは、
シンボル位置インジケータフィールドは、プライマリ同期信号を搬送する開始シンボルの位置を示すために使用され、あるいは、
シンボル位置インジケータフィールドは、プライマリ同期信号を搬送する開始シンボルのインデックスを示すために使用され、あるいは、
シンボル位置インジケータフィールドは、プライマリ同期信号を搬送する開始シンボルとプライマリ同期信号を搬送するサブフレームの第１のシンボルとの間の時間ドメインシフトを示すために使用される。
【００５５】
第５の態様のさらに別の実現方式において、システム情報に対応するスクランブリングコードが、システム情報を搬送するサブフレームを示すために使用される。
【００５６】
第５の態様のさらに別の実現方式において、同期信号はセカンダリ同期信号である。
【００５７】
第６の態様によれば、この出願の実施例は端末をさらに提供し、当該端末は、
ネットワークデバイスにより送出された同期信号を受信するように構成された受信ユニットと、
ネットワークデバイスにより送出された受信した同期信号に基づいて同期信号に対応する系列を決定し、同期信号に対応する系列に基づいて、システム情報を搬送する時間周波数リソースを決定するように構成された処理ユニットとを含む。
【００５８】
第６の態様の実現方式において、処理ユニットは、同期信号に対応する系列が第１の系列である場合、システム情報を搬送する時間周波数リソースが第１の時間周波数リソースであると決定し、あるいは、同期信号に対応する系列が第２の系列である場合、システム情報を搬送する時間周波数リソースが第２の時間周波数リソースであると決定するように具体的に構成され、
第１の時間周波数リソースの周波数ドメイン位置が、同期信号を搬送する時間周波数リソースの周波数ドメイン位置と同じであり、あるいは、第１の時間周波数リソースに対応する周波数ドメイン位置が、同期信号を搬送する時間周波数リソースに対応する周波数ドメイン位置を含み、
第２の時間周波数リソースの周波数ドメイン位置が、同期信号を搬送する時間周波数リソースの周波数ドメイン位置に隣接し、あるいは、第２の時間周波数リソースに対応する周波数ドメイン位置と同期信号を搬送する時間周波数リソースに対応する周波数ドメイン位置とが、固定の周波数シフトにより離される。
【００５９】
第６の態様の別の実現方式において、第１の時間周波数リソースの開始シンボルが、同期信号を搬送する最後のシンボルに隣接し、あるいは、
第１の時間周波数リソースの開始シンボルが、同期信号を搬送する最後のシンボルの次のシンボルであり、あるいは、
同期信号を搬送する最後のシンボルがシンボルｌである場合、第１の時間周波数リソースの開始シンボルはシンボル（ｌ＋１）又はシンボル（ｌ＋１）ｍｏｄ  Ｌであり、ｌ＝０，１，・・・Ｌ−１であり、Ｌは正の整数であり、
第２の時間周波数リソースのシンボルが、同期信号を搬送するシンボルと同じであり、あるいは、第２の時間周波数リソースの開始シンボルが、同期信号に含まれるプライマリ同期信号を搬送する開始シンボルと同じである。
【００６０】
第６の態様のさらに別の実現方式において、第１の系列は、２つの３１ビット長系列を使用することにより第１の組み合わせ方式で生成され、第２の系列は、２つの３１ビット長系列を使用することにより第２の組み合わせ方式で生成され、第１の組み合わせ方式は第２の組み合わせ方式と異なる。
【００６１】
第７の態様によれば、この出願の実施例はネットワークデバイスをさらに提供し、当該ネットワークデバイスは、
同期信号に対応するサブキャリア間隔を決定するように構成された処理ユニットであり、同期信号に対応するサブキャリア間隔は、同期信号を搬送するサービングセルに対応するサブキャリア間隔セット内の最も大きいサブキャリア間隔である、処理ユニットと、
同期信号に対応するサブキャリア間隔に基づいて同期信号を送出するように構成された送出ユニットとを含む。
【００６２】
第７の態様の実現方式において、処理ユニットは、同期信号に対応するサブキャリア間隔に基づいて、サブキャリア間隔に対応するサイクリックプレフィックスセットを決定し、サイクリックプレフィックスセットに基づいて、同期信号を搬送するシンボルに対応するサイクリックプレフィックスがサイクリックプレフィックスセット内の最も長いサイクリックプレフィックスであると決定するようにさらに構成される。
【００６３】
第７の態様の別の実現方式において、送出ユニットは、同期信号に対応するサブキャリア間隔と同期信号を搬送するシンボルに対応するサイクリックプレフィックスとに基づいて同期信号を送出するように具体的に構成される。
【００６４】
第７の態様のさらに別の実現方式において、処理ユニットは、システム情報を搬送する時間周波数リソースを決定し、システム情報を搬送する時間周波数リソースに基づいて、同期信号に対応する系列を決定するようにさらに構成される。
【００６５】
第７の態様のさらに別の実現方式において、処理ユニットは、システム情報を搬送する時間周波数リソースが第１の時間周波数リソースである場合、同期信号に対応する系列が第１の系列であると決定し、あるいは、システム情報を搬送する時間周波数リソースが第２の時間周波数リソースである場合、同期信号に対応する系列が第２の系列であると決定するように具体的に構成され、
第１の時間周波数リソースの周波数ドメイン位置が、同期信号を搬送する時間周波数リソースの周波数ドメイン位置と同じであり、あるいは、第１の時間周波数リソースの周波数ドメイン位置が、同期信号を搬送する時間周波数リソースの周波数ドメイン位置を含み、
第２の時間周波数リソースの周波数ドメイン位置が、同期信号を搬送する時間周波数リソースの周波数ドメイン位置に隣接し、あるいは、第２の時間周波数リソースの周波数ドメイン位置と同期信号を搬送する時間周波数リソースの周波数ドメイン位置とが、固定の周波数シフトにより離される。
【００６６】
第７の態様のさらに別の実現方式において、第１の時間周波数リソースの開始シンボルが、同期信号を搬送する最後のシンボルに隣接し、あるいは、
第１の時間周波数リソースの開始シンボルが、同期信号を搬送する最後のシンボルの次のシンボルであり、あるいは、
同期信号を搬送する最後のシンボルがシンボルｌである場合、第１の時間周波数リソースの開始シンボルはシンボル（ｌ＋１）又はシンボル（ｌ＋１）ｍｏｄ  Ｌであり、ｌ＝０，１，・・・Ｌ−１であり、Ｌは正の整数であり、
第２の時間周波数リソースのシンボルが、同期信号を搬送するシンボルと同じであり、あるいは、第２の時間周波数リソースの開始シンボルが、同期信号に含まれるプライマリ同期信号を搬送する開始シンボルと同じである。
【００６７】
第７の態様のさらに別の実現方式において、第２の時間周波数リソースの周波数ドメイン位置が、同期信号を搬送する時間周波数リソースの周波数ドメイン位置に隣接し、同期信号を搬送する時間周波数リソースの周波数ドメイン位置の両側に分散される。
【００６８】
第７の態様のさらに別の実現方式において、処理ユニットは、システム情報を搬送する時間周波数リソースが第１の時間周波数リソースである場合、同期信号に対応する系列が第１の系列であると決定し、あるいは、システム情報を搬送する時間周波数リソースが第２の時間周波数リソースである場合、同期信号に対応する系列が第２の系列であると決定するように具体的に構成され、
第１の時間周波数リソースと同期信号を搬送する時間周波数リソースとは、時分割多重の対象であり、第２の時間周波数リソースと同期信号を搬送する時間周波数リソースとは、周波数分割多重の対象である。
【００６９】
第７の態様のさらに別の実現方式において、第１の系列は、２つの３１ビット長系列を使用することにより第１の組み合わせ方式で生成され、第２の系列は、２つの３１ビット長系列を使用することにより第２の組み合わせ方式で生成され、第１の組み合わせ方式は第２の組み合わせ方式と異なる。
【００７０】
第７の態様のさらに別の実現方式において、システム情報は、シンボル位置インジケータフィールドを含み、
シンボル位置インジケータフィールドは、同期信号を搬送する開始シンボルの位置を示すために使用され、あるいは、
シンボル位置インジケータフィールドは、同期信号を搬送する開始シンボルのインデックスを示すために使用され、あるいは、
シンボル位置インジケータフィールドは、同期信号を搬送する開始シンボルと同期信号を搬送するサブフレームの第１のシンボルとの間の時間ドメインシフトを示すために使用され、あるいは、
シンボル位置インジケータフィールドは、プライマリ同期信号を搬送する開始シンボルの位置を示すために使用され、あるいは、
シンボル位置インジケータフィールドは、プライマリ同期信号を搬送する開始シンボルのインデックスを示すために使用され、あるいは、
シンボル位置インジケータフィールドは、プライマリ同期信号を搬送する開始シンボルとプライマリ同期信号を搬送するサブフレームの第１のシンボルとの間の時間ドメインシフトを示すために使用される。
【００７１】
第７の態様のさらに別の実現方式において、システム情報に対応するスクランブリングコードが、システム情報を搬送するサブフレームを示すために使用される。
【００７２】
第７の態様のさらに別の実現方式において、同期信号はセカンダリ同期信号である。
【００７３】
第８の態様によれば、この出願の実施例はネットワークデバイスをさらに提供し、当該ネットワークデバイスは、
システム情報を搬送する時間周波数リソースを決定し、システム情報を搬送する時間周波数リソースに基づいて、同期信号に対応する系列を決定するように構成された処理ユニットと、
同期信号を送出するように構成された送出ユニットとを含む。
【００７４】
第８の態様の実現方式において、処理ユニットは、システム情報を搬送する時間周波数リソースが第１の時間周波数リソースである場合、同期信号に対応する系列が第１の系列であると決定し、あるいは、システム情報を搬送する時間周波数リソースが第２の時間周波数リソースである場合、同期信号に対応する系列が第２の系列であると決定するように具体的に構成され、
第１の時間周波数リソースの周波数ドメイン位置が、同期信号を搬送する時間周波数リソースの周波数ドメイン位置と同じであり、あるいは、第１の時間周波数リソースの周波数ドメイン位置が、同期信号を搬送する時間周波数リソースの周波数ドメイン位置を含み、
第２の時間周波数リソースの周波数ドメイン位置が、同期信号を搬送する時間周波数リソースの周波数ドメイン位置に隣接し、あるいは、第２の時間周波数リソースの周波数ドメイン位置と同期信号を搬送する時間周波数リソースの周波数ドメイン位置とが、固定の周波数シフトにより離される。
【００７５】
第８の態様の別の実現方式において、第１の時間周波数リソースの開始シンボルが、同期信号を搬送する最後のシンボルに隣接し、あるいは、
第１の時間周波数リソースの開始シンボルが、同期信号を搬送する最後のシンボルの次のシンボルであり、あるいは、
同期信号を搬送する最後のシンボルがシンボルｌである場合、第１の時間周波数リソースの開始シンボルはシンボル（ｌ＋１）又はシンボル（ｌ＋１）ｍｏｄ  Ｌであり、ｌ＝０，１，・・・Ｌ−１であり、Ｌは正の整数であり、
第２の時間周波数リソースのシンボルが、同期信号を搬送するシンボルと同じであり、あるいは、第２の時間周波数リソースの開始シンボルが、同期信号に含まれるプライマリ同期信号を搬送する開始シンボルと同じである。
【００７６】
第８の態様のさらに別の実現方式において、処理ユニットは、システム情報を搬送する時間周波数リソースが第１の時間周波数リソースである場合、同期信号に対応する系列が第１の系列であると決定し、あるいは、システム情報を搬送する時間周波数リソースが第２の時間周波数リソースである場合、同期信号に対応する系列が第２の系列であると決定するように具体的に構成され、
第１の時間周波数リソースと同期信号を搬送する時間周波数リソースとは、時分割多重の対象であり、第２の時間周波数リソースと同期信号を搬送する時間周波数リソースとは、周波数分割多重の対象である。
【００７７】
第８の態様のさらに別の実現方式において、第１の系列は、２つの３１ビット長系列を使用することにより第１の組み合わせ方式で生成され、第２の系列は、２つの３１ビット長系列を使用することにより第２の組み合わせ方式で生成され、第１の組み合わせ方式は第２の組み合わせ方式と異なる。
【００７８】
この出願の実施例で提供される情報送信方法、端末、及びネットワークデバイスによれば、ネットワークデバイスは、同期信号を搬送するサービングセルに対応するサブキャリア間隔セット内の最も大きいサブキャリア間隔を、同期信号に対応するサブキャリア間隔として決定し、同期信号に対応するサブキャリア間隔に基づいて同期信号を送出してもよく、端末は、同期信号を搬送するサービングセルに対応するサブキャリア間隔セット内の最も大きいサブキャリア間隔を、同期信号に対応するサブキャリア間隔として決定し、同期信号に対応するサブキャリア間隔に基づいて同期信号を検出する。サービングセルに対応するサブキャリア間隔セット内の異なるサブキャリア間隔が異なる適用シナリオに対応してもよく、それにより、端末とネットワークデバイスとの間の情報送信方法は異なる適用シナリオに柔軟に適用できる。
【図面の簡単な説明】
【００７９】
【図１】この出願の実施例１による情報送信方法のフローチャートである。
【図２】この出願の実施例２による情報送信方法のフローチャートである。
【図３】第１の時間周波数リソースと同期信号を搬送する時間周波数リソースとの間の対応関係の図である。
【図４】第２の時間周波数リソースと同期信号を搬送する時間周波数リソースとの間の対応関係の図である。
【図５】この出願の実施例２による別の情報送信方法のフローチャートである。
【図６】この出願の実施例２によるさらに別の情報送信方法のフローチャートである。
【図７】この出願の実施例３による情報送信方法のフローチャートである。
【図８】この出願の実施例３による別の情報送信方法のフローチャートである。
【図９】この出願の実施例４による端末の概略構成図である。
【図１０】この出願の実施例５による端末の概略構成図である。
【図１１】この出願の実施例６によるネットワークデバイスの概略構成図である。
【図１２】この出願の実施例７によるネットワークデバイスの概略構成図である。
【発明を実施するための形態】
【００８０】
この出願の実施例で提供される情報送信方法、端末、及びネットワークデバイスは、複数の異なる適用シナリオをサポートするために、５Ｇ通信システム、ＮＲ通信システム、及びこれらに基づき進化したより高度な通信システムに適用できる。
【００８１】
この出願の以下の実施例において、端末は、５Ｇ通信技術、ＮＲ通信技術、又は将来のより高度な通信技術を使用する端末でもよく、各ネットワークデバイスは、５Ｇ通信技術、ＮＲ通信技術、又は将来のより高度な通信技術を使用するネットワークデバイスでもよい。
【００８２】
端末は無線端末でもよく、あるいは有線端末でもよい。無線端末は、ユーザに音声及び／又はデータ接続性を提供するデバイス、無線接続機能を有するハンドヘルドデバイス、又は無線モデムに接続された他の処理デバイスでもよい。無線端末は、無線アクセスネットワーク（Radio  Access  Network、ＲＡＮ）を使用することにより１つ以上のコアネットワークと通信してもよい。無線端末は、モバイル端末、例えば、モバイルフォン（「セルラー」フォンとも呼ばれる）、又はモバイル端末を有するコンピュータでもよい。例えば、無線端末は、ポータブルモバイル装置、ポケットサイズのモバイル装置、ハンドヘルドモバイル装置、コンピュータビルトインモバイル装置、又は無線アクセスネットワークと音声及び／又はデータを交換する車載モバイル装置でもよい。例えば、無線端末は、パーソナル通信サービス（Personal  Communications  Service、ＰＣＳ）フォン、コードレス電話セット、セッションイニシエーションプロトコル（Session  Initiation  Protocol、ＳＩＰ）フォン、無線ローカルループ（Wireless  Local  Loop、ＷＬＬ）局、又はパーソナルデジタルアシスタント（Personal  Digital  Assistant、ＰＤＡ）のようなデバイスでもよい。無線端末は、加入者ユニット（Subscriber  Unit）、加入者局（Subscriber  Station）、モバイル局（Mobile  Station）、モバイルコンソール（Mobile）、リモート局（Remote  Station）、アクセスポイント（Access  Point）、リモート端末（Remote  Terminal）、アクセス端末（Access  Terminal）、ユーザ端末（User  Terminal）、ユーザエージェント（User  Agent）、ユーザデバイス（User  Device）、又はユーザ装置（User  Equipment）とも呼ばれ得る。
【００８３】
ネットワークデバイスは、アクセスネットワークデバイス、例えば、基地局でもよく、アクセスポイント（Access  Point、ＡＰ）と呼ばれてもよい。この出願で説明される基地局は、無線局の形式であり、移動通信交換局（mobile  switching  center）を使用することにより特定の無線カバレッジエリア内のモバイルフォン端末と情報を交換する無線送受信局でもよく、あるいは１つ以上のセクタを使用することによりアクセスネットワークにおけるエアインターフェースを通じて無線端末と通信するデバイスでもよい。基地局は、受信したオーバー・ジ・エア（over-the-air）フレームとインターネットプロトコル（Internet  Protocol、ＩＰ）パケットとの間の変換を実行し、無線端末とアクセスネットワークの残りの部分との間のルータの役割を果たすように構成されてもよい。アクセスネットワークの残りの部分は、インターネットプロトコル（ＩＰ）ネットワークを含んでもよい。基地局は、エアインターフェース上の属性管理をさらに協調させてもよい。例えば、基地局は、基地送受信局（Base  Transceiver  Station、ＢＴＳ）、ノードＢ（Node  B、ＮｏｄｅＢ）、進化型ノードＢ（evolved  Node  B、ｅＮＢ）などのうち任意の１つでもよい。これはこの出願で限定されない。
【００８４】
この出願の以下の実施例で提供される情報送信方法において、ネットワークデバイスは、同期信号を搬送するサービングセルに対応するサブキャリア間隔セット内の最も大きいサブキャリア間隔を、同期信号に対応するサブキャリア間隔として決定し、同期信号に対応するサブキャリア間隔に基づいて同期信号を送出してもよく、端末は、同期信号を搬送するサービングセルに対応するサブキャリア間隔セット内の最も大きいサブキャリア間隔を、同期信号に対応するサブキャリア間隔として決定し、同期信号に対応するサブキャリア間隔に基づいて同期信号を検出する。サービングセルに対応するサブキャリア間隔セット内の異なるサブキャリア間隔が異なる適用シナリオに対応してもよく、それにより、端末とネットワークデバイスとの間の情報送信方法は異なる適用シナリオに柔軟に適用できる。
【００８５】
情報送信方法は、複数の例を使用することによりこの出願の以下の実施例で例示される。この出願のすべての実施例において、別段示されない限り、実施例中のステップのシーケンスもステップ間の相互依存も限定されないことが留意されるべきである。
【００８６】
図１は、この出願の実施例１による情報送信方法のフローチャートである。図１に示されるように、方法は以下のステップを含み得る。
【００８７】
Ｓ１０１．ネットワークデバイスが、同期信号に対応するサブキャリア間隔を決定する。
【００８８】
ステップＳ１０１において、ネットワークデバイスは、同期信号に対応するサブキャリア間隔を決定し、同期信号に対応するサブキャリア間隔は、同期信号を搬送するサービングセルに対応するサブキャリア間隔セット内の最も大きいサブキャリア間隔でもよい。
【００８９】
具体的に、ネットワークデバイスは、同期信号を搬送するサービングセルに対応するサブキャリア間隔セットに基づいて、サブキャリア間隔セット内の最も大きいサブキャリア間隔を、同期信号に対応するサブキャリア間隔として決定してもよい。
【００９０】
サービングセルは、端末のプライマリサービングセル（Primary  serving  cell）でもよく、あるいは端末のセカンダリサービングセル（Secondary  serving  cell）でもよい。この出願の実現方式において、サービングセル（serving  cell）はキャリア（carrier）と呼ばれてもよい。換言すると、１つのサービングセルは１つのキャリアである。
【００９１】
例えば、同期信号を搬送するサービングセルに対応するサブキャリア間隔セットが１５ｋＨｚサブキャリア間隔及び３０ｋＨｚサブキャリア間隔を含む場合、ネットワークデバイスは、サブキャリア間隔セット内の最も大きいサブキャリア間隔、すなわち３０ｋＨｚサブキャリア間隔を、同期信号に対応するサブキャリア間隔として決定してもよい。
【００９２】
別の実施例において、ステップＳ１０１において、ネットワークデバイスは、同期信号に対応するサブキャリア間隔を決定し、同期信号に対応するサブキャリア間隔は、同期信号を搬送するサービングセルに対応するサブキャリア間隔セット内の最も小さいサブキャリア間隔でもよい。
【００９３】
具体的に、ネットワークデバイスは、同期信号を搬送するサービングセルに対応するサブキャリア間隔セットに基づいて、サブキャリア間隔セット内の最も小さいサブキャリア間隔を、同期信号に対応するサブキャリア間隔として決定してもよい。
【００９４】
例えば、同期信号を搬送するサービングセルに対応するサブキャリア間隔セットが１５ｋＨｚサブキャリア間隔及び３０ｋＨｚサブキャリア間隔を含む場合、ネットワークデバイスは、サブキャリア間隔セット内の最も小さいサブキャリア間隔、すなわち１５ｋＨｚサブキャリア間隔を、同期信号に対応するサブキャリア間隔として決定してもよい。
【００９５】
さらに別の実施例において、ステップＳ１０１において、ネットワークデバイスは、同期信号に対応するサブキャリア間隔を決定し、同期信号に対応するサブキャリア間隔は、同期信号を搬送するサービングセルに対応するサブキャリア間隔セット内の第１のサブキャリア間隔でもよい。第１のサブキャリア間隔は、サブキャリア間隔セット内の最も小さいサブキャリア間隔でもサブキャリア間隔セット内の最も大きいサブキャリア間隔でもなく、例えば、サブキャリア間隔セット内の２番目に大きいサブキャリア間隔でもよい。例えば、同期信号を搬送するサービングセルに対応するサブキャリア間隔セットが１５ｋＨｚサブキャリア間隔、３０ｋＨｚサブキャリア間隔、及び６０ｋＨｚサブキャリア間隔を含む場合、ネットワークデバイスは、サブキャリア間隔セット内の２番目に大きいサブキャリア間隔、すなわち３０ｋＨｚサブキャリア間隔を、同期信号に対応するサブキャリア間隔として決定してもよい。
【００９６】
この実施例において、サービングセルに対応するサブキャリア間隔セット内のどのサブキャリア間隔がサービングセルにおける別のチャネル又は信号に使用されるかにかかわらず、ネットワークデバイスは、同じサブキャリア間隔を使用することにより同期信号を送出し、それにより、端末は、同期信号に使用されたサブキャリア間隔を識別するために同期信号に対してブラインド検出を実行する必要がない。これは、同期信号を検出するために端末により使用される時間を短縮し、サービングセルと同期するために端末により使用される時間を短縮し、すなわち、サービングセルにアクセスするために端末により使用される時間を短縮し、端末の同期信号検出成功率を上げ、端末のセルアクセス成功率を上げる。
【００９７】
サービングセルに対応するサブキャリア間隔セット内の異なるサブキャリア間隔は、一般に、異なるシナリオに適用されてもよい。例えば、大きいサブキャリア間隔が、高周波数低遅延サービスと高速送信とのうち少なくとも１つのシナリオで使用され、小さいサブキャリア間隔が、低周波数シナリオとラージカバレッジシナリオとのうち少なくとも１つのシナリオで使用される。ゆえに、この出願のこの実施例における情報送信方法では、サービングセルに対応するサブキャリア間隔セット内の異なるサブキャリア間隔について、同期信号及び／又はブロードキャストチャネルを送出するために同じサブキャリア間隔が使用でき、それにより、一様な同期信号及びシステム情報送信方法が異なるシナリオで使用できる。
【００９８】
さらに、同期信号が、サービングセルに対応するサブキャリア間隔セット内の最も大きいサブキャリア間隔に基づいて送出されるとき、同期信号は、高速シナリオによりもたらされるドップラーシフトに抵抗し（resist）、同期信号検出成功率を上げることができる。
【００９９】
ステップＳ１０１は、ネットワークデバイスがブロードキャストチャネルに対応するサブキャリア間隔を決定し、ブロードキャストチャネルに対応するサブキャリア間隔は同期信号に対応するサブキャリア間隔と同じであることをさらに含んでもよい。例えば、ブロードキャストチャネルに対応するサブキャリア間隔は、サービングセルに対応するサブキャリア間隔セット内の最も大きいサブキャリア間隔でもよい。他の説明は前述の説明と同じであり、詳細はここで再度説明されない。
【０１００】
Ｓ１０２．ネットワークデバイスが、同期信号に対応するサブキャリア間隔に基づいて同期信号を送出する。
【０１０１】
具体的に、例えば、ネットワークデバイスは、同期信号に対応するサブキャリア間隔に基づいて、同期信号に対応するシンボル（例えば、ＯＦＤＭシンボル）を生成し、同期信号に対応するシンボルに基づいて同期信号を端末に送出してもよい。
【０１０２】
別の実施例において、ステップＳ１０２は、
ネットワークデバイスが、同期信号を搬送するシンボルに対応するサイクリックプレフィックスを決定し、サイクリックプレフィックスは、同期信号に対応するサブキャリア間隔に対応するサイクリックプレフィックス（Cyclic  Prefix、ＣＰ）において最も長いサイクリックプレフィックスでもよく、
ネットワークデバイスが、同期信号を搬送するシンボルに対応するサイクリックプレフィックスと、同期信号に対応するサブキャリア間隔とに基づいて、同期信号を送出することをさらに含んでもよい。
【０１０３】
この出願の実施例における同期信号は、例えば、プライマリ同期信号及びセカンダリ同期信号を含んでもよいことが留意されるべきである。この出願の実施例で言及されるシンボルは、例えば、シングルキャリア周波数分割多元接続（Single  carrier  Frequency  Division  Multiple  Access、ＳＣ‐ＦＤＭＡ）シンボル、又は直交周波数分割多重（Orthogonal  Frequency  Division  Multiplexing、ＯＦＤＭ）シンボルでもよい。
【０１０４】
Ｓ１０３．端末が、同期信号に対応するサブキャリア間隔を決定する。
【０１０５】
ステップＳ１０３において、端末は、同期信号に対応するサブキャリア間隔を決定し、同期信号に対応するサブキャリア間隔は、同期信号を搬送するサービングセルに対応するサブキャリア間隔セット内の最も大きいサブキャリア間隔でもよい。
【０１０６】
具体的に、端末は、同期信号を搬送するサービングセルに対応するサブキャリア間隔セットに基づいて、サブキャリア間隔セット内の最も大きいサブキャリア間隔を、同期信号に対応するサブキャリア間隔として決定してもよい。
【０１０７】
例えば、同期信号を搬送するサービングセルに対応するサブキャリア間隔セットが１５ｋＨｚサブキャリア間隔及び３０ｋＨｚサブキャリア間隔を含み得る場合、端末は、サブキャリア間隔セット内の最も大きいサブキャリア間隔、すなわち３０ｋＨｚサブキャリア間隔を、同期信号に対応するサブキャリア間隔として決定してもよい。
【０１０８】
別の実施例において、ステップＳ１０３において、端末は、同期信号に対応するサブキャリア間隔を決定し、同期信号に対応するサブキャリア間隔は、同期信号を搬送するサービングセルに対応するサブキャリア間隔セット内の最も小さいサブキャリア間隔でもよい。
【０１０９】
具体的に、端末は、同期信号を搬送するサービングセルに対応するサブキャリア間隔セットに基づいて、サブキャリア間隔セット内の最も小さいサブキャリア間隔を、同期信号に対応するサブキャリア間隔として決定してもよい。
【０１１０】
例えば、同期信号を搬送するサービングセルに対応するサブキャリア間隔セットが１５ｋＨｚサブキャリア間隔及び３０ｋＨｚサブキャリア間隔を含む場合、端末は、サブキャリア間隔セット内の最も小さいサブキャリア間隔、すなわち１５ｋＨｚサブキャリア間隔を、同期信号に対応するサブキャリア間隔として決定してもよい。
【０１１１】
さらに別の実施例において、ステップＳ１０３において、端末は、同期信号に対応するサブキャリア間隔を決定し、同期信号に対応するサブキャリア間隔は、同期信号を搬送するサービングセルに対応するサブキャリア間隔セット内の第１のサブキャリア間隔でもよい。第１のサブキャリア間隔は、サブキャリア間隔セット内の最も小さいサブキャリア間隔でもサブキャリア間隔セット内の最も大きいサブキャリア間隔でもなく、例えば、サブキャリア間隔セット内の２番目に大きいサブキャリア間隔でもよい。例えば、同期信号を搬送するサービングセルに対応するサブキャリア間隔セットが１５ｋＨｚサブキャリア間隔、３０ｋＨｚサブキャリア間隔、及び６０ｋＨｚサブキャリア間隔を含む場合、端末は、サブキャリア間隔セット内の２番目に大きいサブキャリア間隔、すなわち３０ｋＨｚサブキャリア間隔を、同期信号に対応するサブキャリア間隔として決定してもよい。
【０１１２】
この実施例において、サービングセルに対応するサブキャリア間隔セット内のどのサブキャリア間隔がサービングセルにおける別のチャネル又は信号に使用されるかにかかわらす、端末は、同じサブキャリア間隔を使用することにより同期信号を検出し、それにより、端末は、同期信号に使用されたサブキャリア間隔を識別するために同期信号に対してブラインド検出を実行する必要がない。これは、同期信号を検出するために端末により使用される時間を短縮し、サービングセルと同期するために端末により使用される時間を短縮し、すなわち、サービングセルにアクセスするために端末により使用される時間を短縮し、端末の同期信号検出成功率を上げ、端末のセルアクセス成功率を上げる。
【０１１３】
サービングセルに対応するサブキャリア間隔セット内の異なるサブキャリア間隔は、一般に、異なるシナリオに適用されてもよい。例えば、大きいサブキャリア間隔が、高周波数低遅延サービスと高速送信とのうち少なくとも１つのシナリオで使用され、小さいサブキャリア間隔が、低周波数シナリオとラージカバレッジシナリオとのうち少なくとも１つのシナリオで使用される。ゆえに、この出願のこの実施例における情報送信方法では、サービングセルに対応するサブキャリア間隔セット内の異なるサブキャリア間隔について、同期信号及び／又はブロードキャストチャネルを送出するために同じサブキャリア間隔が使用でき、それにより、一様な同期信号及びシステム情報送信方法が異なるシナリオで使用できる。
【０１１４】
さらに、端末が、サービングセルに対応するサブキャリア間隔セット内の最も大きいサブキャリア間隔を使用することにより同期信号を検出するとき、同期信号は、高速シナリオによりもたらされるドップラーシフトに抵抗し、同期信号検出成功率を上げることができる。
【０１１５】
ステップＳ１０３は、端末がブロードキャストチャネルに対応するサブキャリア間隔を決定し、ブロードキャストチャネルに対応するサブキャリア間隔は同期信号に対応するサブキャリア間隔と同じであることをさらに含んでもよい。例えば、ブロードキャストチャネルに対応するサブキャリア間隔は、サービングセルに対応するサブキャリア間隔セット内の最も大きいサブキャリア間隔でもよい。他の説明は前述の説明と同じであり、詳細はここで再度説明されない。
【０１１６】
Ｓ１０４．端末が、同期信号に対応するサブキャリア間隔に基づいて同期信号を検出する。
【０１１７】
ステップＳ１０４において、端末は、同期信号に対応するサブキャリア間隔に基づいて同期信号を検出する。具体的に、異なるローカル系列と受信した信号との間の相関が計算され、同期信号に対応する系列を決定してもよい。特定の系列について、端末は、同期信号に対応するサブキャリア間隔に基づいて対応するＯＦＤＭシンボルを生成し、生成されたＯＦＤＭシンボルと受信した信号との間の相関を計算してもよい。ゆえに、端末は、同期信号に対応するサブキャリア間隔を最初決定し、次いで、同期信号に対応するサブキャリア間隔に基づいて同期信号を検出する必要がある。
【０１１８】
ステップＳ１０４は、端末が同期信号を搬送するシンボルに対応するサイクリックプレフィックスを決定することをさらに含んでもよい。この場合、端末は、検出された同期信号に基づいて、同期信号を搬送するシンボルに対応するサイクリックプレフィックスを決定してもよい。同期信号を搬送するシンボルに対応するサイクリックプレフィックスは、同期信号に対応するサブキャリア間隔に対応するサイクリックプレフィックスにおいて最も長いサイクリックプレフィックスである。
【０１１９】
同期信号に対応する異なる系列は、異なる情報を搬送してもよいことが留意されるべきである。例えば、異なる系列は、端末のサービングセルの異なるセルＩＤを搬送する。ゆえに、同期信号に対応する系列を決定した後、端末は、同期信号に対応する系列に基づいて端末のサービングセルのセルＩＤをさらに決定してもよい。端末のサービングセルは、例えば、端末のためにネットワークデバイスにより構成されたサービングセルでもよく、あるいは、端末にサービス提供し（serving）ているサービングセル、又は端末によりアクセスされているサービングセルでもよい。
【０１２０】
任意選択で、ステップＳ１０４は、
端末が、ネットワークデバイスにより送出された情報を受信し、
端末が、同期信号に対応するサブキャリア間隔とネットワークデバイスにより送出された受信した信号とに基づいて同期信号を検出することを含んでもよい。
【０１２１】
この場合、ネットワークデバイスにより送出された情報は同期信号を含んでもよく、あるいは同期信号を含まなくてもよいが、いずれの場合にも、端末が前述の動作を実行することが留意されるべきである。差は単に以下のとおりである：ネットワークデバイスにより送出された情報が同期信号を含まないとき、端末は同期信号を検出することができない。ネットワークデバイスにより送出された情報が同期信号を含むとき、端末は同期信号を検出することができる。
【０１２２】
この出願の実施例１で提供される情報送信方法において、ネットワークデバイスは、サービングセルに対応するサブキャリア間隔セット内の最も大きいサブキャリア間隔を、同期信号に対応するサブキャリア間隔として決定し、同期信号に対応するサブキャリア間隔に基づいて同期信号を送出してもよく、端末は、同期信号を搬送するサービングセルに対応するサブキャリア間隔内の最も大きいサブキャリア間隔を、同期信号に対応するサブキャリア間隔として決定し、同期信号に対応するサブキャリア間隔に基づいて同期信号を検出する。サービングセルに対応するサブキャリア間隔セット内の異なるサブキャリア間隔が異なる適用シナリオに対応してもよく、それにより、端末とネットワークデバイスとの間の情報送信方法は異なる適用シナリオに柔軟に適用できる。
【０１２３】
任意選択で、前述の情報送信方法に基づいて、同期信号を搬送するシンボルに対応するサイクリックプレフィックスは、同期信号に対応するサブキャリア間隔に対応するサイクリックプレフィックスにおいて最も長いサイクリックプレフィックスである。
【０１２４】
具体的に、同期信号に対応するサブキャリア間隔に対応するサイクリックプレフィックスが、例えば、通常サイクリックプレフィックス及び拡張サイクリックプレフィックスを含み得る場合、同期信号を搬送するシンボルに対応するサイクリックプレフィックスは、同期信号に対応するサブキャリア間隔に対応するサイクリックプレフィックスにおいて最も長いサイクリックプレフィックス、すなわち拡張サイクリックプレフィックスでもよい。
【０１２５】
例えば、サービングセルにおける同期信号に対応するサイクリックプレフィックス及び／又はサービングセルにおけるブロードキャストチャネルに対応するサイクリックプレフィックスは、同期信号に対応するサブキャリア間隔に対応するサイクリックプレフィックスにおいて最も長いサイクリックプレフィックス、例えば拡張サイクリックプレフィックスでもよい。
【０１２６】
サービングセルにおける同期信号に対応するサイクリックプレフィックス、及び／又はサービングセルにおけるブロードキャストチャネルに対応するサイクリックプレフィックスは、サービングセルにおけるデータチャネルに対応するサイクリックプレフィックスより長くてもよい。
【０１２７】
方法において、例えば、サブキャリア間隔とシステムパラメータとの間の事前設定された対応関係表が、同期信号に対応するサブキャリア間隔に対応するサイクリックプレフィックスについて、同期信号に対応するサブキャリア間隔に基づいて検索されてもよく、同期信号に対応するサブキャリア間隔に対応するサイクリックプレフィックスにおいて最も長いサイクリックプレフィックスは、同期信号を搬送するシンボルに対応するサイクリックプレフィックスとして決定されてもよい。例えば、サブキャリア間隔とシステムパラメータとの間の対応関係表について、表１を参照する。表１において、各サブキャリア間隔に対応するシステムパラメータは、サブフレーム長、シンボル数、ＣＰ長、ＣＰオーバヘッドなどを含み得る。
【０１２８】
表１の値は単に例であり、別法として、表１の値は四捨五入を通して得られた値でもよいことが留意されるべきである。例えば、この実施例において有効なシンボル長及びＣＰ長は、表内の値に近い数でもよい。さらに、表内のパラメータ間の相互依存は限定されない。各サブキャリア間隔に対応するＣＰ長は、２つのＣＰ長、すなわち、通常サイクリックプレフィックスに対応するＣＰ長と、拡張サイクリックプレフィックスに対応するＣＰ長とを含む。最も小さいＣＰ長は、通常サイクリックプレフィックスに対応するＣＰ長であり、最も大きいＣＰ長は、拡張サイクリックプレフィックスに対応するＣＰ長である。
【表１】
2019530287.tif 000016
【０１２９】
同期信号に対応するサブキャリア間隔が３０ｋＨｚである場合、表１を参照して、３０ｋＨｚサブキャリア間隔に対応するサイクリックプレフィックスは２．３８μｓの通常サイクリックプレフィックス及び８．３３μｓの拡張サイクリックプレフィックスを含むことが習得でき、ゆえに、同期信号を搬送するシンボルに対応するサイクリックプレフィックスは８．３３μｓの拡張サイクリックプレフィックスでもよいと決定できる。
【０１３０】
サービングセルにおけるデータチャネルに対応するサイクリックプレフィックスが約２．３８μｓ又は約４．７６μｓであるとき、サービングセルにおける同期信号に対応するサイクリックプレフィックス及びサービングセルにおけるブロードキャストチャネルに対応するサイクリックプレフィックスは約５．１３μｓでもよい。
【０１３１】
ここで、サービングセルにおける同期信号に対応するサイクリックプレフィックスは、同期信号を搬送するシンボルに対応するサイクリックプレフィックスでもよい。サービングセルにおけるブロードキャストチャネルに対応するサイクリックプレフィックスは、ブロードキャストチャネルを搬送するシンボルに対応するサイクリックプレフィックスでもよい。サービングセルにおけるデータチャネルに対応するサイクリックプレフィックスは、データチャネルを搬送するシンボルに対応するサイクリックプレフィックスでもよい。ブロードキャストチャネルはここで、マスタ情報ブロック（Master  Information  Block、ＭＩＢ）を送信するためのチャネルでもよい。
【０１３２】
この方式において、サービングセルにおける同期信号のカバレッジエリア、及びサービングセルにおけるブロードキャストチャネルのカバレッジエリアが拡張でき、サービングセルにおける同期信号のロバスト性、及びサービングセルにおけるブロードキャストチャネルのロバスト性が改善できる。
【０１３３】
任意選択で、端末が、同期信号を搬送するサービングセルに対応するサブキャリア間隔セットに基づいて、サブキャリア間隔セット内の最も大きいサブキャリア間隔を、同期信号に対応するサブキャリア間隔として決定する前に、情報送信方法は、
端末が、サービングセルのキャリア周波数に基づいて、サービングセルに対応するサブキャリア間隔セットを決定し、あるいは、
端末が、サービングセルの周波数セットに基づいて、サービングセルに対応するサブキャリア間隔セットを決定することをさらに含んでもよい。
【０１３４】
具体的に、例えば、端末は、サービングセルに対応する周波数セットに対応するサブキャリア間隔セットについて、サービングセルに対応する周波数セットに基づいて周波数セットとサブキャリア間隔セットとの間の事前設定された対応関係を検索してもよく、サブキャリア間隔セットは、サービングセルに対応するサブキャリア間隔セットであり、あるいは、端末は、サービングセルに対応する周波数セットに基づいてサブキャリア間隔セットを計算し、計算されたサブキャリア間隔を、サービングセルに対応するサブキャリア間隔セットとして使用してもよい。例えば、端末は、サービングセルのキャリア周波数が属する周波数セットを、サービングセルに対応する周波数セットとして決定してもよく、あるいは、サービングセルと周波数セットとの間の事前設定された対応関係に基づいて、サービングセルに対応する周波数セットを決定してもよく、例えば、サービングセルの識別子と、サービングセルの識別子及び周波数セットの間の事前設定された対応関係とに基づいて、サービングセルに対応する周波数セットを決定してもよい。
【０１３５】
任意選択で、例えば、端末は、サービングセルのキャリア周波数に対応するサブキャリア間隔セットについて、サービングセルのキャリア周波数に基づいてキャリア周波数とサブキャリア間隔セットとの間の事前設定された対応関係を検索してもよく、サブキャリア間隔セットは、サービングセルに対応するサブキャリア間隔セットであり、あるいは、端末は、サービングセルのキャリア周波数に基づいてサブキャリア間隔セットを計算し、計算されたサブキャリア間隔セットを、サービングセルに対応するサブキャリア間隔セットとして使用してもよい。端末は、周波数スキャンを通してサービングセルのキャリア周波数を取得してもよく、あるいは、サービングセルの且つ端末に事前設定されたキャリア周波数に基づいてサービングセルのキャリア周波数を取得してもよい。
【０１３６】
任意選択で、前述の方法のうち任意の１つに基づき、この出願の実施例２が情報送信方法をさらに提供し得る。図２は、この出願の実施例２による情報送信方法のフローチャートである。図２に示されるように、方法は以下のステップをさらに含み得る。
【０１３７】
Ｓ２０１．端末が、同期信号に対応する系列に基づいて、システム情報を搬送する時間周波数リソースを決定する。
【０１３８】
具体的に、例えば、端末は、検出された同期信号に対応する系列、及び／又は同期信号系列とシステム情報時間周波数リソースとの間の事前設定された対応関係に基づいて、システム情報を搬送する時間周波数リソースを決定してもよい。システム情報を搬送する時間周波数リソースを決定した後、端末は、システム情報を搬送する時間周波数リソース上で、ネットワークデバイスにより送出されたシステム情報を受信してもよい。
【０１３９】
システム情報はマスタ情報ブロック（ＭＩＢ）でもよく、システム情報を搬送するチャネルは物理ブロードキャストチャネルでもよい。
【０１４０】
任意選択で、システム情報は、シンボル位置インジケータフィールド（symbol  location  indicator  field）を含んでもよく、シンボル位置インジケータフィールドは、同期信号を搬送するための時間ドメイン位置を示すために使用される。
【０１４１】
例えば、シンボル位置インジケータフィールドは、同期信号の開始シンボルの位置を示すために使用されてもよく、あるいは、
シンボル位置インジケータフィールドは、同期信号を搬送する開始シンボルのインデックスを示すために使用され、あるいは、
シンボル位置インジケータフィールドは、同期信号を搬送する開始シンボルと同期信号を搬送するサブフレームの第１のシンボルとの間の時間ドメインシフトを示すために使用され、あるいは、
シンボル位置インジケータフィールドは、プライマリ同期信号を搬送する開始シンボルの位置を示すために使用され、あるいは、
シンボル位置インジケータフィールドは、プライマリ同期信号を搬送する開始シンボルのインデックスを示すために使用され、あるいは、
シンボル位置インジケータフィールドは、プライマリ同期信号を搬送する開始シンボルとプライマリ同期信号を搬送するサブフレームの第１のシンボルとの間の時間ドメインシフトを示すために使用される。
【０１４２】
さらに、任意選択で、システム情報に対応するスクランブリングコードが、システム情報を搬送するサブフレームを示すために使用される。
【０１４３】
任意選択で、前述の方法に基づき、方法は以下のステップをさらに含んでもよい。
【０１４４】
Ｓ２０２．端末が、システム情報を搬送する時間周波数リソースに基づいてシステム情報を受信する。
【０１４５】
具体的に、端末は、システム情報に含まれるシンボル位置インジケータフィールド、及び／又はシステム情報に対応するスクランブリングコードに基づいて、同期信号を搬送するための時間ドメイン位置を決定してもよい。同期信号を搬送するための時間ドメイン位置は、例えば、同期信号を搬送する開始シンボルの位置、同期信号を搬送する開始シンボルのインデックス、同期信号を搬送する開始シンボルと同期信号を搬送するサブフレームの第１のシンボルとの間の時間ドメインシフト、プライマリ同期信号を搬送する開始シンボルの位置、プライマリ同期信号を搬送する開始シンボルのインデックス、プライマリ同期信号を搬送する開始シンボルとプライマリ同期信号を搬送するサブフレームの第１のシンボルとの間の時間ドメインシフト、及びシステム情報を搬送するサブフレームのうち少なくとも１つでもよい。
【０１４６】
端末は、無線フレーム内で同期信号を搬送するための時間ドメイン位置を決定し、それにより、端末は、マルチビーム送信の間にフレームタイミングを実行することにおいてサポートされて、サービングセルの無線フレームタイミングを決定することができる。
【０１４７】
任意選択で、前述の方法において、Ｓ２０１において端末が、同期信号に対応する系列に基づいて、システム情報を搬送する時間周波数リソースを決定することは、
同期信号に対応する系列が第１の系列である場合、端末は、システム情報を搬送する時間周波数リソースが第１の時間周波数リソースであると決定し、あるいは、
同期信号に対応する系列が第２の系列である場合、端末は、システム情報を搬送する時間周波数リソースが第２の時間周波数リソースであると決定することを含んでもよい。
【０１４８】
第１の時間周波数リソースの周波数ドメイン位置は、同期信号を搬送する時間周波数リソースの周波数ドメイン位置と同じであり、あるいは、第１の時間周波数リソースの周波数ドメイン位置は、同期信号を搬送する時間周波数リソースの周波数ドメイン位置を含む。
【０１４９】
第２の時間周波数リソースの周波数ドメイン位置は、同期信号を搬送する時間周波数リソースの周波数ドメイン位置に隣接し、あるいは、第２の時間周波数リソースの周波数ドメイン位置と、同期信号を搬送する時間周波数リソースの周波数ドメイン位置とは、固定の周波数シフトにより離される。
【０１５０】
任意選択で、第１の時間周波数リソースにより占有されるリソースブロック数は、同期信号を搬送する時間周波数リソースにより占有されるリソースブロック数と同じであり、かつ／あるいは、第２の時間周波数リソースにより占有されるリソースブロック数は、同期信号を搬送する時間周波数リソースにより占有されるリソースブロック数と同じである。
【０１５１】
任意選択で、第１の時間周波数リソースの開始シンボルは、同期信号を搬送する最後のシンボルに隣接し、あるいは、第１の時間周波数リソースの開始シンボルは、同期信号を搬送する最後のシンボルの次のシンボルであり、あるいは、同期信号を搬送する最後のシンボルがシンボルｌである場合、第１の時間周波数リソースの開始シンボルは、シンボル（ｌ＋１）又はシンボル（ｌ＋１）ｍｏｄ  Ｌであり、ｌ＝０，１，・・・Ｌ−１であり、Ｌは正の整数であり、ｍｏｄ（）はモジュロ関数である。
【０１５２】
第２の時間周波数リソースのシンボルは、同期信号を搬送するシンボルと同じであり、あるいは、第２の時間周波数リソースの開始シンボルは、同期信号に含まれるプライマリ同期信号を搬送する開始シンボルと同じである。
【０１５３】
任意選択で、第１の時間周波数リソースにより占有される時間ドメインシンボル数は、同期信号を搬送する時間周波数リソースにより占有されるシンボル数と同じである。別法として、第１の時間周波数リソースにより占有される時間ドメインシンボル数は、同期信号を搬送する時間周波数リソースにより占有されるシンボル数の２倍である。
【０１５４】
任意選択で、第２の時間周波数リソースの周波数ドメイン位置が、同期信号を搬送する時間周波数リソースの周波数ドメイン位置に隣接することは、
第２の時間周波数リソースの周波数ドメイン位置が、同期信号を搬送する時間周波数リソースの周波数ドメイン位置に隣接し、同期信号を搬送する時間周波数リソースの周波数ドメイン位置の両側に分散されることを具体的に含んでもよい。
【０１５５】
例えば、第２の時間周波数リソースは、第３の時間周波数リソース及び第４の時間周波数リソースを含んでもよく、第３の時間周波数リソースの周波数ドメイン位置及び第４の時間周波数リソースの周波数ドメイン位置は双方、同期信号を搬送する時間周波数リソースの周波数ドメイン位置に隣接し、同期信号を搬送する時間周波数リソースに対応する周波数ドメイン位置の両側に分散される。第３の時間周波数リソースにより占有されるリソースブロック数は、第４の時間周波数リソースにより占有されるリソースブロック数と同じでもよい。
【０１５６】
例えば、第３の時間周波数リソースの周波数ドメイン位置は、同期信号を搬送する時間周波数リソースの最大周波数ドメイン位置より大きくてもよく、第４の時間周波数リソースの周波数ドメイン位置は、同期信号を搬送する時間周波数リソースの最小周波数ドメイン位置より小さくてもよい。別法として、例えば、第４の時間周波数リソースの周波数ドメイン位置は、同期信号を搬送する時間周波数リソースの最大周波数ドメイン位置より大きくてもよく、第３の時間周波数リソースの周波数ドメイン位置は、同期信号を搬送する時間周波数リソースの最小周波数ドメイン位置より小さくてもよい。
【０１５７】
さらに、任意選択で、第３の時間周波数リソースにより占有されるリソースブロック数と第４の時間周波数リソースにより占有されるリソースブロック数との和が、同期信号を搬送する時間周波数リソースにより占有されるリソースブロック数と同じでもよい。
【０１５８】
別法として、Ｓ２０１において端末が、同期信号に対応する系列に基づいて、システム情報を搬送する時間周波数リソースを決定することは、
同期信号に対応する系列が第１の系列である場合、端末は、システム情報を搬送する時間周波数リソースが第１の時間周波数リソースであると決定し、あるいは、
同期信号に対応する系列が第２の系列である場合、端末は、システム情報を搬送する時間周波数リソースが第２の時間周波数リソースであると決定することを含んでもよい。
【０１５９】
第１の時間周波数リソースと同期信号を搬送する時間周波数リソースとは、時分割多重（time  division  multiplexing）の対象であり、第２の時間周波数リソースと同期信号を搬送する時間周波数リソースとは、周波数分割多重（frequency  division  multiplexing）の対象である。
【０１６０】
例えば、図３は、第１の時間周波数リソースと同期信号を搬送する時間周波数リソースとの間の対応関係の図である。図４は、第２の時間周波数リソースと同期信号を搬送する時間周波数リソースとの間の対応関係の図である。
【０１６１】
図３に示されるように、同期信号に対応する系列が第１の系列である場合、システム情報を搬送する時間周波数リソースは第１の時間周波数リソースである。第１の時間周波数リソースは、図３における物理ブロードキャストチャネル（Physical  Broadcast  Channel、ＰＢＣＨ）に対応する時間周波数リソース、例えば、ＰＢＣＨ  Ｂ０に対応する時間周波数リソース、又はＰＢＣＨ  Ｂ１に対応する時間周波数リソースでもよい。同期信号を搬送する時間周波数リソースは、図３におけるセカンダリ同期信号（Secondary  Synchronization  Signal、ＳＳＳ）に対応する時間周波数リソース、例えば、ＳＳＳ  Ｂ０に対応する時間周波数リソース、又はＳＳＳ  Ｂ１に対応する時間周波数リソースである。図３において、Ｂ０及びＢ１は、異なる端末の送信ビームにそれぞれ対応してもよい。１つの端末について、同じビーム、例えばビームＢ０又はビームＢ１が、システム情報及び同期信号のために使用されてもよい。システム情報は、送信のためにＰＢＣＨ上で搬送されてもよい。図３において、ＰＢＣＨ  Ｂ０に対応する時間周波数リソースと、ＳＳＳ  Ｂ０に対応する時間周波数リソースとは、同じサブフレームの異なるシンボルにそれぞれ位置してもよく、換言すると、ＰＢＣＨ  Ｂ０に対応する時間周波数リソースと、ＳＳＳ  Ｂ０に対応する時間周波数リソースとは、時分割多重の対象でもよい。ＰＢＣＨ  Ｂ１に対応する時間周波数リソースと、ＳＳＳ  Ｂ１に対応する時間周波数リソースとは、同じサブフレームの異なるシンボルにそれぞれ位置してもよく、換言すると、ＰＢＣＨ  Ｂ１に対応する時間周波数リソースと、ＳＳＳ  Ｂ１に対応する時間周波数リソースとは、時分割多重の対象でもよい。
【０１６２】
図４に示されるように、同期信号に対応する系列が第２の系列である場合、システム情報を搬送する時間周波数リソースは第２の時間周波数リソースである。第２の時間周波数リソースは、図４におけるＰＢＣＨに対応する時間周波数リソース、例えば、ＰＢＣＨ  Ｂ０に対応する時間周波数リソース、又はＰＢＣＨ  Ｂ１に対応する時間周波数リソースでもよい。同期信号を搬送する時間周波数リソースは、図４におけるＳＳＳに対応する時間周波数リソース、例えば、ＳＳＳ  Ｂ０に対応する時間周波数リソース、又はＳＳＳ  Ｂ１に対応する時間周波数リソースである。図４において、Ｂ０及びＢ１は、異なる端末の送信ビームにそれぞれ対応してもよい。１つの端末について、同じビーム、例えばビームＢ０又はビームＢ１が、システム情報及び同期信号のために使用されてもよい。システム情報は、送信のためにＰＢＣＨ上で搬送されてもよい。図４において、ＰＢＣＨ  Ｂ０に対応する時間周波数リソースと、ＳＳＳ  Ｂ０に対応する時間周波数リソースとは、同じサブフレームの同じシンボルの異なる周波数ドメイン位置にそれぞれ位置してもよく、換言すると、ＰＢＣＨ  Ｂ０に対応する時間周波数リソースと、ＳＳＳ  Ｂ０に対応する時間周波数リソースとは、周波数分割多重の対象でもよい。ＰＢＣＨ  Ｂ１に対応する時間周波数リソースと、ＳＳＳ  Ｂ１に対応する時間周波数リソースとは、同じサブフレームの同じシンボルの異なる周波数ドメイン位置にそれぞれ位置してもよく、換言すると、ＰＢＣＨ  Ｂ１に対応する時間周波数リソースと、ＳＳＳ  Ｂ１に対応する時間周波数リソースとは、周波数分割多重の対象でもよい。
【０１６３】
図３及び図４を参照して、システムがマルチビーム送信方式を使用するとき、同期信号に対応する系列が第１の系列である場合、システム情報を搬送する時間周波数リソースは第１の時間周波数リソースであり、第１の時間周波数リソースと同期信号を搬送する時間周波数リソースとは時分割多重の対象であり、それにより、第１の時間周波数リソースと同期信号を搬送する時間周波数リソースとは比較的多数の時間ドメインシンボルを占有し、例えば、複数のサブフレームを占有でき、あるいは、システムがマルチビーム送信方式を使用するとき、同期信号に対応する系列が第２の系列である場合、システム情報を搬送する時間周波数リソースは第２の時間周波数リソースであり、第２の時間周波数リソースと同期信号を搬送する時間周波数リソースとは周波数分割多重の対象であり、それにより、第２の時間周波数リソースと同期信号を搬送する時間周波数リソースとは比較的少数の時間ドメインシンボルを占有し、例えば、比較的少数のサブフレームを占有できることが習得できる。
【０１６４】
動的時分割複信（Time  Division  Duplex、ＴＤＤ）機構において、送信方向は、サブフレーム又は送信単位で動的に変更されてもよく、換言すると、サブフレーム又は送信単位は、上りリンクデータ送信又は下りリンクデータ送信に動的に適用されてもよく、それにより、現在のサービス要件がより良く満たされ得る。例えば、現在のサービスにおいて下りリンクサービスが上りリンクサービスより多い場合、多くのサブフレームが下りリンクデータ送信に動的に切り替えられてもよく、それにより、より速くより良い送信が下りリンクサービスに対して達成され、システムスペクトル効率を改善し、下りリンクパケット遅延を低減することができる。この出願のこの実施例における情報送信方法では、同期信号に対応する系列に基づいて、システム情報を搬送する時間周波数リソースが第１の時間周波数リソース又は第２の時間周波数リソースであると決定されてもよく、システム情報を送信するために第１の時間周波数リソースを固定的に使用する代わりに、システム情報を送信するために第２の時間周波数リソースが使用されて、複数のビームに対応する同期信号及びシステム情報により占有される時間周波数リソースが多数の時間ドメインシンボルを占有するケースを回避し得る。これは、１つの無線フレームにおける固定下りリンクシンボル数を最小化し、十分な時間ドメインシンボル又はサブフレームが動的ＴＤＤをより良くサポートするために上りリンク及び下りリンクの間で柔軟に切り替えできることを最大限に確保する。
【０１６５】
前方互換性（Forward  compatibility）は、無線フレームにおけるサブフレーム又はサービングセルにおける周波数ドメインブロックが、既存のシステムにおける端末に影響を与えることなく将来のサービスによって柔軟に占有できることを要求する。方法において、同期信号に対応する系列に基づいて、システム情報を搬送する時間周波数リソースは第１の時間周波数リソース又は第２の時間周波数リソースであると決定されてもよく、システム情報を送信するために第１の時間周波数リソースを固定的に使用する代わりに、システム情報を送信するために第２の時間周波数リソースが使用されてもよい。これは、１つの無線フレーム内で同期信号及びシステム情報により占有される時間周波数リソースにより占有される時間ドメインシンボル又はサブフレームの数を最小化し、前方互換性を最大限にサポートし、それにより、ＮＲシステムは、前方互換性をより良く、より柔軟にサポートする。
【０１６６】
方法において、各ビームについて、各ビームに対応する同期信号及びシステム情報を搬送する時間周波数リソースが時分割多重の対象である方式は、固定的に使用されない。ゆえに、マルチビーム送信の間、第２の時間周波数リソースはシステム情報を送信するために使用されてもよく、それにより、複数のビームに対応する同期信号により占有される時間周波数リソースは時間ドメインにおいて隣接して、すべてのビームの同期信号のより速いスキャンを達成し、端末のセルアクセス時間を短縮する。
【０１６７】
さらに、方法において、各ビームについて、各ビームに対応する同期信号及びシステム情報を搬送する時間周波数リソースが周波数分割多重の対象である方式は、固定的に使用されず、それにより、過剰な周波数ドメインリソースの占有が回避できる。ＮＲシステムは、異なる帯域幅能力を有する端末のアクセスをサポートする必要がある。低い帯域幅能力を有するいくつかの端末は、各ビームに対応する同期信号及びシステム情報を搬送する時間周波数リソースが時分割多重の対象である方式を使用し、システム情報を送信するために第２の時間周波数リソースを固定的に使用する代わりに、第１の時間周波数リソースを使用することによりシステム情報を送信してもよい。これは、同期信号及びシステム情報を搬送する帯域幅を最小化し、セルにアクセスすることにおいて異なる帯域幅能力を有する端末を効果的にサポートする。
【０１６８】
ゆえに、この出願のこの実施例において、同期信号に対応する系列に基づいて、システム情報を搬送する時間周波数リソースが第１の時間周波数リソース又は第２の時間周波数リソースであると決定され、それにより、システムは、実際の適用シナリオ及び実際の要件に依存して、システム情報を搬送するために第１の時間周波数リソース及び／又は第２の時間周波数リソースを柔軟に使用して、動的ＴＤＤをより良くサポートし、前方互換性をより良くサポートし、マルチビーム送信をより良くサポートすることができる。
【０１６９】
任意選択で、前述の第１の系列は、２つの３１ビット長系列を使用することにより第１の組み合わせ方式で生成されてもよく、第２の系列は、２つの３１ビット長系列を使用することにより第２の組み合わせ方式で生成されてもよい。第１の組み合わせ方式は、第２の組み合わせ方式と異なる。
【０１７０】
具体的に、各３１長系列は、３１ビットの長さを有するバイナリ系列でもよい。
【０１７１】
第１の系列及び第２の系列は、同じ２つの系列を使用することにより異なる組み合わせ方式で生成された系列でもよい。第１の組み合わせ方式は、第２の組み合わせ方式と異なる。
【０１７２】
任意選択で、この出願の実施例２は情報送信方法をさらに提供し得る。図５は、この出願の実施例２による別の情報送信方法のフローチャートである。図５に示されるように、前述の情報送信方法において、Ｓ１０２においてネットワークデバイスが、同期信号に対応するサブキャリア間隔に基づいて同期信号を送出する前に、方法は以下のステップを含んでもよい。
【０１７３】
Ｓ５０１．ネットワークデバイスが、同期信号に対応するサブキャリア間隔に基づいて、サブキャリア間隔に対応するサイクリックプレフィックスセットを決定する。
【０１７４】
Ｓ５０２．ネットワークデバイスが、サイクリックプレフィックスセットに基づいて、同期信号を搬送するシンボルに対応するサイクリックプレフィックスがサイクリックプレフィックスセット内の最も長いサイクリックプレフィックスであると決定する。
【０１７５】
具体的に、サブキャリア間隔に対応するサイクリックプレフィックスセットは、少なくとも１つのサイクリックプレフィックスを含んでもよく、ネットワークデバイスは、同期信号を搬送するシンボルに対応するサイクリックプレフィックスがサイクリックプレフィックスセット内の最も長いサイクリックプレフィックスであると決定してもよい。サイクリックプレフィックスセットは、例えば、通常サイクリックプレフィックス及び拡張サイクリックプレフィックスを含んでもよく、サイクリックプレフィックスセット内の最も長いサイクリックプレフィックスは、例えば、拡張サイクリックプレフィックスでもよい。
【０１７６】
任意選択で、Ｓ１０２においてネットワークデバイスが、同期信号に対応するサブキャリア間隔に基づいて同期信号を送出することは以下のステップを含んでもよい。
【０１７７】
Ｓ５０３．ネットワークデバイスが、同期信号に対応するサブキャリア間隔と同期信号を搬送するシンボルに対応するサイクリックプレフィックスとに基づいて同期信号を送出する。
【０１７８】
具体的に、ネットワークデバイスは、同期信号に対応するサブキャリア間隔と同期信号を搬送するシンボルに対応するサイクリックプレフィックスとに基づいて、同期信号に対応するシンボルを生成し、同期信号に対応するシンボルに基づいて、同期信号を送出してもよい。
【０１７９】
任意選択で、システム情報を搬送するシンボルに対応するサブキャリア間隔が、同期信号に対応するサブキャリア間隔と同じである。
【０１８０】
任意選択で、前述の情報送信方法のいずれか１つに基づいて、この出願の実施例２は情報送信方法をさらに提供する。図６は、この出願の実施例２によるさらに別の情報送信方法のフローチャートである。図６に示されるように、方法は以下のステップをさらに含んでもよい。
【０１８１】
Ｓ６０１．ネットワークデバイスが、システム情報を搬送する時間周波数リソースを決定する。
【０１８２】
具体的に、ネットワークデバイスは、現在の適用シナリオに基づいて、システム情報を搬送する時間周波数リソースが第１の時間周波数リソース又は第２の時間周波数リソースであると決定してもよい。第１の時間周波数リソースと第２の時間周波数リソースとは、異なる時間周波数位置における時間周波数リソースである。
【０１８３】
例えば、適用シナリオが動的ＴＤＤシナリオであるとき、ネットワークデバイスは、第２の時間周波数リソースを、システム情報を搬送する時間周波数リソースとして決定してもよい。適用シナリオが、前方互換性が時間ドメインにおいてサポートされることを要求するとき、ネットワークデバイスは、第２の時間周波数リソースを、システム情報を搬送する時間周波数リソースとして決定してもよい。あるいは、システムに低い帯域幅能力を有するユーザが存在するとき、ネットワークデバイスは、第１の時間周波数リソースを、システム情報を搬送する時間周波数リソースとして決定してもよい。
【０１８４】
Ｓ６０２．ネットワークデバイスが、システム情報を搬送する時間周波数リソースに基づいて、同期信号に対応する系列を決定する。
【０１８５】
具体的に、システム情報を搬送する異なる時間周波数リソースについて、ネットワークデバイスは、Ｓ６０１に基づいて、同期信号に対応する異なる系列を決定してもよい。例えば、ネットワークデバイスは、システム情報を搬送する時間周波数リソースと、システム情報時間周波数リソース及び同期信号系列の間の事前設定された対応関係とに基づいて、システム情報を搬送する時間周波数リソースに対応する同期信号系列が、同期信号に対応する系列、すなわち、送出される同期信号に対応する系列であると決定してもよい。
【０１８６】
任意選択で、方法は以下のステップをさらに含んでもよい。
【０１８７】
Ｓ６０３．ネットワークデバイスが、同期信号に対応する系列に基づいて、送出される同期信号を生成する。
【０１８８】
具体的に、同期信号に対応する異なる系列は、異なる情報を搬送してもよい。例えば、異なる系列は、端末のサービングセルの異なるセルアイデンティティ（Identity、ＩＤ）情報を搬送する。
【０１８９】
任意選択で、方法は以下のステップをさらに含んでもよい。
【０１９０】
Ｓ６０４．ネットワークデバイスが、システム情報を搬送する時間周波数リソースに基づいてシステム情報を送出する。
【０１９１】
システム情報はマスタ情報ブロック（ＭＩＢ）でもよく、システム情報を搬送するチャネルは物理ブロードキャストチャネルでもよい。
【０１９２】
任意選択で、システム情報は、シンボル位置インジケータフィールドを含んでもよく、シンボル位置インジケータフィールドは、同期信号を搬送するための時間ドメイン位置を示すために使用される。
【０１９３】
例えば、シンボル位置インジケータフィールドは、同期信号の開始シンボルの位置を示すために使用されてもよく、あるいは、
シンボル位置インジケータフィールドは、同期信号を搬送する開始シンボルのインデックスを示すために使用され、あるいは、
シンボル位置インジケータフィールドは、同期信号を搬送する開始シンボルと同期信号を搬送するサブフレームの第１のシンボルとの間の時間ドメインシフトを示すために使用され、あるいは、
シンボル位置インジケータフィールドは、プライマリ同期信号を搬送する開始シンボルの位置を示すために使用され、あるいは、
シンボル位置インジケータフィールドは、プライマリ同期信号を搬送する開始シンボルのインデックスを示すために使用され、あるいは、
シンボル位置インジケータフィールドは、プライマリ同期信号を搬送する開始シンボルとプライマリ同期信号を搬送するサブフレームの第１のシンボルとの間の時間ドメインシフトを示すために使用される。
【０１９４】
さらに、任意選択で、システム情報に対応するスクランブリングコードが、システム情報を搬送するサブフレームを示すために使用される。
【０１９５】
任意選択で、Ｓ６０２においてネットワークデバイスが、システム情報を搬送する時間周波数リソースに基づいて、同期信号に対応する系列を決定することは、
システム情報を搬送する時間周波数リソースが第１の時間周波数リソースである場合、ネットワークデバイスは、同期信号に対応する系列が第１の系列であると決定し、あるいは、
システム情報を搬送する時間周波数リソースが第２の時間周波数リソースである場合、ネットワークデバイスは、同期信号に対応する系列が第２の系列であると決定することを含んでもよい。
【０１９６】
第１の時間周波数リソースの周波数ドメイン位置は、同期信号を搬送する時間周波数リソースの周波数ドメイン位置と同じであり、あるいは、第１の時間周波数リソースの周波数ドメイン位置は、同期信号を搬送する時間周波数リソースの周波数ドメイン位置を含む。
【０１９７】
第２の時間周波数リソースの周波数ドメイン位置は、同期信号を搬送する時間周波数リソースの周波数ドメイン位置に隣接し、あるいは、第２の時間周波数リソースの周波数ドメイン位置と、同期信号を搬送する時間周波数リソースの周波数ドメイン位置とは、固定の周波数シフトにより離される。
【０１９８】
任意選択で、第１の時間周波数リソースにより占有されるリソースブロック数は、同期信号を搬送する時間周波数リソースにより占有されるリソースブロック数と同じであり、かつ／あるいは、第２の時間周波数リソースにより占有されるリソースブロック数は、同期信号を搬送する時間周波数リソースにより占有されるリソースブロック数と同じである。
【０１９９】
任意選択で、第１の時間周波数リソースの開始シンボルは、同期信号を搬送する最後のシンボルに隣接し、あるいは、第１の時間周波数リソースに対応する開始シンボルは、同期信号を搬送する最後のシンボルの次のシンボルであり、あるいは、同期信号を搬送する最後のシンボルがシンボルｌである場合、第１の時間周波数リソースの開始シンボルは、シンボル（ｌ＋１）又はシンボル（ｌ＋１）ｍｏｄ  Ｌであり、ｌ＝０，１，・・・Ｌ−１であり、Ｌは正の整数であり、ｍｏｄ（）はモジュロ関数である。
【０２００】
第２の時間周波数リソースのシンボルは、同期信号を搬送するシンボルと同じであり、あるいは、第２の時間周波数リソースの開始シンボルは、同期信号に含まれるプライマリ同期信号を搬送する開始シンボルと同じである。
【０２０１】
さらに、任意選択で、第１の時間周波数リソースにより占有される時間ドメインシンボル数は、同期信号を搬送する時間周波数リソースにより占有されるシンボル数と同じである。別法として、第１の時間周波数リソースにより占有される時間ドメインシンボル数は、同期信号を搬送する時間周波数リソースにより占有されるシンボル数の２倍である。
【０２０２】
さらに、任意選択で、第２の時間周波数リソースの周波数ドメイン位置は、同期信号を搬送する時間周波数リソースに対応する周波数ドメイン位置に隣接し、同期信号を搬送する時間周波数リソースに対応する周波数ドメイン位置の両側に分散される。
【０２０３】
例えば、第２の時間周波数リソースは、第３の時間周波数リソース及び第４の時間周波数リソースを含んでもよく、第３の時間周波数リソースの周波数ドメイン位置及び第４の時間周波数リソースの周波数ドメイン位置は双方、同期信号を搬送する時間周波数リソースの周波数ドメイン位置に隣接し、同期信号を搬送する時間周波数リソースに対応する周波数ドメイン位置の両側に分散される。第３の時間周波数リソースにより占有されるリソースブロック数は、第４の時間周波数リソースにより占有されるリソースブロック数と同じでもよい。
【０２０４】
例えば、第３の時間周波数リソースの周波数ドメイン位置は、同期信号を搬送する時間周波数リソースの最大周波数ドメイン位置より大きくてもよく、第４の時間周波数リソースの周波数ドメイン位置は、同期信号を搬送する時間周波数リソースの最小周波数ドメイン位置より小さくてもよい。別法として、例えば、第４の時間周波数リソースの周波数ドメイン位置は、同期信号を搬送する時間周波数リソースの最大周波数ドメイン位置より大きくてもよく、第３の時間周波数リソースの周波数ドメイン位置は、同期信号を搬送する時間周波数リソースの最小周波数ドメイン位置より小さくてもよい。
【０２０５】
さらに、任意選択で、第３の時間周波数リソースにより占有されるリソースブロック数と第４の時間周波数リソースにより占有されるリソースブロック数との和が、同期信号を搬送する時間周波数リソースにより占有されるリソースブロック数と同じでもよい。
【０２０６】
別法として、Ｓ６０２においてネットワークデバイスが、システム情報を搬送する時間周波数リソースに基づいて、同期信号に対応する系列を決定することは、
システム情報を搬送する時間周波数リソースが第１の時間周波数リソースである場合、ネットワークデバイスは、同期信号に対応する系列が第１の系列であると決定し、あるいは、
システム情報を搬送する時間周波数リソースが第２の時間周波数リソースである場合、ネットワークデバイスは、同期信号に対応する系列が第２の系列であると決定することを含んでもよい。
【０２０７】
第１の時間周波数リソースと同期信号を搬送する時間周波数リソースとは、時分割多重の対象であり、第２の時間周波数リソースと同期信号を搬送する時間周波数リソースとは、周波数分割多重の対象である。
【０２０８】
第１の時間周波数リソース及び第２の時間周波数リソースの詳細な説明については前述の説明に対して参照が行われてもよく、詳細はここで再度説明されないことが留意されるべきである。端末は、無線フレーム内で同期信号を搬送するための時間ドメイン位置を決定し、それにより、端末は、マルチビーム送信の間にフレームタイミングを実行することにおいてサポートされて、サービングセルの無線フレームタイミングを決定することができる。
【０２０９】
この出願の実施例２で提供される情報送信方法において、同期信号に対応する系列に基づいて、システム情報を搬送する時間周波数リソースが第１の時間周波数リソース又は第２の時間周波数リソースであると決定され、それにより、システムは、実際の適用シナリオ及び実際の要件に依存して、システム情報を搬送するために第１の時間周波数リソース及び／又は第２の時間周波数リソースを柔軟に使用して、動的ＴＤＤをより良くサポートし、前方互換性をより良くサポートし、マルチビーム送信をより良くサポートすることができる。さらに、システム情報は、シンボル位置インジケータフィールドを含み、かつ／あるいは、システム情報に対応するスクランブリングコードは、システム情報を搬送するサブフレームを示し、それにより、端末は、マルチビーム送信の間にフレームタイミングを実行する、すなわち、無線フレーム内で同期信号を搬送するための時間ドメイン位置を決定することにおいてサポートされて、サービングセルの無線フレームタイミングを決定することができる。
【０２１０】
この出願の実施例３が情報送信方法をさらに提供する。図７は、この出願の実施例３による情報送信方法のフローチャートである。図７に示されるように、方法は以下のステップを含み得る。
【０２１１】
Ｓ７０１．端末が、同期信号に対応する系列を決定する。
【０２１２】
具体的に、例えば、端末は、前述の実施例におけるＳ１０４の方式又は別の同様の方式で、同期信号に対応する系列を決定してもよい。
【０２１３】
任意選択で、ステップＳ７０１は、
端末が、ネットワークデバイスにより送出された同期信号を受信し、
端末が、ネットワークデバイスにより送出された受信した同期信号に基づいて、同期信号に対応する系列を決定することをさらに含んでもよい。
【０２１４】
さらに、任意選択で、端末が、ネットワークデバイスにより送出された同期信号を受信することは、
端末が、ネットワークデバイスにより送出された情報を受信し、
端末が、ネットワークデバイスにより送出された受信した情報に基づいて、同期信号を検出することを含んでもよい。
【０２１５】
この場合、ネットワークデバイスにより送出された情報は同期信号を含んでもよく、あるいは同期信号を含まなくてもよいが、いずれの場合においても、端末は前述の動作を実行することが留意されるべきである。差は単に以下のとおりである。ネットワークデバイスにより送出された情報が同期信号を含まないとき、端末は同期信号を検出できない。ネットワークデバイスにより送出された情報が同期信号を含むとき、端末は同期信号を検出できる。
【０２１６】
Ｓ７０２．端末が、同期信号に対応する系列に基づいて、システム情報を搬送する時間周波数リソースを決定する。
【０２１７】
具体的に、Ｓ７０２の具体的な実現プロセスについてはＳ２０１の前述の説明を参照し、詳細はここで再度説明されない。
【０２１８】
任意選択で、Ｓ７０２において端末が、同期信号に対応する系列に基づいて、システム情報を搬送する時間周波数リソースを決定することは、
同期信号に対応する系列が第１の系列である場合、端末が、システム情報を搬送する時間周波数リソースは第１の時間周波数リソースであると決定し、あるいは、
同期信号に対応する系列が第２の系列である場合、端末が、システム情報を搬送する時間周波数リソースは第２の時間周波数リソースであると決定することを含んでもよい。
【０２１９】
第１の時間周波数リソースの周波数ドメイン位置は、同期信号を搬送する時間周波数リソースの周波数ドメイン位置と同じであり、あるいは、第１の時間周波数リソースに対応する周波数ドメイン位置は、同期信号を搬送する時間周波数リソースに対応する周波数ドメイン位置を含む。
【０２２０】
第２の時間周波数リソースの周波数ドメイン位置は、同期信号を搬送する時間周波数リソースの周波数ドメイン位置に隣接し、あるいは、第２の時間周波数リソースに対応する周波数ドメイン位置と、同期信号を搬送する時間周波数リソースに対応する周波数ドメイン位置とは、固定の周波数シフトにより離される。
【０２２１】
任意選択で、前述の情報送信方法において、第１の時間周波数リソースの開始シンボルは、同期信号を搬送する最後のシンボルに隣接し、あるいは、第１の時間周波数リソースの開始シンボルは、同期信号を搬送する最後のシンボルの次のシンボルであり、あるいは、同期信号を搬送する最後のシンボルがシンボルｌである場合、第１の時間周波数リソースの開始シンボルは、シンボル（ｌ＋１）又はシンボル（ｌ＋１）ｍｏｄ  Ｌであり、ｌ＝０，１，・・・Ｌ−１であり、Ｌは正の整数である。
【０２２２】
第２の時間周波数リソースのシンボルは、同期信号を搬送するシンボルと同じであり、あるいは、第２の時間周波数リソースの開始シンボルは、同期信号に含まれるプライマリ同期信号を搬送する開始シンボルと同じである。
【０２２３】
任意選択で、第１の系列は、２つの３１ビット長系列を使用することにより第１の組み合わせ方式で生成され、第２の系列は、２つの３１ビット長系列を使用することにより第２の組み合わせ方式で生成され、第１の組み合わせ方式は、第２の組み合わせ方式と異なる。
【０２２４】
情報送信方法において、端末は、同期信号に対応する系列を決定し、同期信号に対応する系列に基づいて、システム情報を搬送する時間周波数リソースを決定してもよい。システム情報を搬送する異なる時間周波数リソースが異なる適用シナリオに対応してもよく、それにより、同期信号に対応する異なる系列が異なる適用シナリオに対応してもよく、ゆえに、端末とネットワークデバイスとの間の情報送信方法は異なる適用シナリオに柔軟に適用できる。
【０２２５】
この出願の実施例３は情報送信方法をさらに提供する。図８は、この出願の実施例３による別の情報送信方法のフローチャートである。図８に示されるように、方法は以下のステップを含み得る。
【０２２６】
Ｓ８０１．ネットワークデバイスが、システム情報を搬送する時間周波数リソースを決定する。
【０２２７】
具体的に、Ｓ８０１の具体的な実現プロセスについてはＳ６０１の前述の説明を参照し、詳細はここで再度説明されない。
【０２２８】
Ｓ８０２．ネットワークデバイスが、システム情報を搬送する時間周波数リソースに基づいて、同期信号に対応する系列を決定する。
【０２２９】
具体的に、Ｓ８０２の具体的な実現プロセスについてはＳ６０２の前述の説明を参照し、詳細はここで再度説明されない。
【０２３０】
任意選択で、Ｓ８０２においてネットワークデバイスが、システム情報を搬送する時間周波数リソースに基づいて、同期信号に対応する系列を決定することは、
システム情報を搬送する時間周波数リソースが第１の時間周波数リソースである場合、ネットワークデバイスは、同期信号に対応する系列が第１の系列であると決定し、あるいは、
システム情報を搬送する時間周波数リソースが第２の時間周波数リソースである場合、ネットワークデバイスは、同期信号に対応する系列が第２の系列であると決定することを含んでもよい。
【０２３１】
第１の時間周波数リソースの周波数ドメイン位置は、同期信号を搬送する時間周波数リソースの周波数ドメイン位置と同じであり、あるいは、第１の時間周波数リソースの周波数ドメイン位置は、同期信号を搬送する時間周波数リソースの周波数ドメイン位置を含む。
【０２３２】
第２の時間周波数リソースの周波数ドメイン位置は、同期信号を搬送する時間周波数リソースの周波数ドメイン位置に隣接し、あるいは、第２の時間周波数リソースの周波数ドメイン位置と、同期信号を搬送する時間周波数リソースの周波数ドメイン位置とは、固定の周波数シフトにより離される。
【０２３３】
任意選択で、第１の時間周波数リソースの開始シンボルは、同期信号を搬送する最後のシンボルに隣接し、あるいは、第１の時間周波数リソースの開始シンボルは、同期信号を搬送する最後のシンボルの次のシンボルであり、あるいは、同期信号を搬送する最後のシンボルがシンボルｌである場合、第１の時間周波数リソースの開始シンボルは、シンボル（ｌ＋１）又はシンボル（ｌ＋１）ｍｏｄ  Ｌであり、ｌ＝０，１，・・・Ｌ−１であり、Ｌは正の整数である。
【０２３４】
第２の時間周波数リソースのシンボルは、同期信号を搬送するシンボルと同じであり、あるいは、第２の時間周波数リソースの開始シンボルは、同期信号に含まれるプライマリ同期信号を搬送する開始シンボルと同じである。
【０２３５】
別法として、Ｓ８０２においてネットワークデバイスが、システム情報を搬送する時間周波数リソースに基づいて、同期信号に対応する系列を決定することは、
システム情報を搬送する時間周波数リソースが第１の時間周波数リソースである場合、ネットワークデバイスは、同期信号に対応する系列が第１の系列であると決定し、あるいは、
システム情報を搬送する時間周波数リソースが第２の時間周波数リソースである場合、ネットワークデバイスは、同期信号に対応する系列が第２の系列であると決定することを含んでもよい。
【０２３６】
第１の時間周波数リソースと同期信号を搬送する時間周波数リソースとは、時分割多重の対象であり、第２の時間周波数リソースと同期信号を搬送する時間周波数リソースとは、周波数分割多重の対象である。
【０２３７】
任意選択で、第１の系列は、２つの３１ビット長系列を使用することにより第１の組み合わせ方式で生成され、第２の系列は、２つの３１ビット長系列を使用することにより第２の組み合わせ方式で生成され、第１の組み合わせ方式は、第２の組み合わせ方式と異なる。
【０２３８】
情報送信方法において、ネットワークデバイスは、システム情報を搬送する時間周波数リソースを決定し、システム情報を搬送する時間周波数リソースに基づいて、同期信号に対応する系列を決定してもよい。システム情報を搬送する異なる時間周波数リソースが異なる適用シナリオに対応してもよく、それにより、同期信号に対応する異なる系列が異なる適用シナリオに対応してもよく、ゆえに、端末とネットワークデバイスとの間の情報送信方法は、異なる適用シナリオに柔軟に適用できる。
【０２３９】
この出願の実施例４が端末をさらに提供する。図９は、この出願の実施例４による端末の概略構成図である。図９に示されるように、端末９００は、受信ユニット９０１及び処理ユニット９０２を含み得る。受信ユニット９０１は、端末９００の受信機により実現されてもよい。
【０２４０】
例えば、処理ユニット９０２は、ハードウェア及び／又はソフトウェアを使用することにより端末９００のプロセッサにより実現されてもよい。
【０２４１】
端末９００のプロセッサは、中央処理ユニット（Central  Processing  Unit、ＣＰＵ）でもよい。別法として、プロセッサは、別の汎用プロセッサ、デジタルシグナルプロセッサ（Digital  Signal  Processor、ＤＳＰ）、特定用途向け集積回路（Application-specific  Integrated  Circuit、ＡＳＩＣ）、フィールドプログラマブルゲートアレイ（Field-Programmable  Gate  Array、ＦＰＧＡ）又は別のプログラム可能論理デバイス、ディスクリートゲート又はトランジスタ論理デバイス、ディスクリートハードウェアコンポーネント等でもよい。汎用プロセッサはマイクロプロセッサでもよく、あるいは、プロセッサは任意の従来のプロセッサ等でもよい。
【０２４２】
受信機は、信号を受信するように構成された受信インターフェース回路でもよい。さらに、受信機は、無線通信を通して別のネットワーク及び／又は端末と通信してもよい。
【０２４３】
処理ユニット９０２は、前述の実施例における情報送信方法のＳ１０３を実行して、同期信号に対応するサブキャリア間隔を決定し、同期信号に対応するサブキャリア間隔は、同期信号を搬送するサービングセルに対応するサブキャリア間隔セット内の最も大きいサブキャリア間隔であり；Ｓ１０４を実行して、同期信号に対応するサブキャリア間隔とネットワークデバイスにより送出された受信した情報とに基づいて同期信号を検出するように構成されてもよい。
【０２４４】
任意選択で、同期信号を搬送するシンボルに対応するサイクリックプレフィックスは、同期信号に対応するサブキャリア間隔に対応するサイクリックプレフィックスにおいて最も長いサイクリックプレフィックスである。
【０２４５】
任意選択で、処理ユニット９０２は、前述の情報送信方法におけるＳ２０１を実行して、同期信号に対応する系列に基づいて、システム情報を搬送する時間周波数リソースを決定するようにさらに構成される。
【０２４６】
任意選択で、処理ユニット９０２は、同期信号に対応する系列が第１の系列である場合、システム情報を搬送する時間周波数リソースが第１の時間周波数リソースであると決定し、あるいは、同期信号に対応する系列が第２の系列である場合、システム情報を搬送する時間周波数リソースが第２の時間周波数リソースであると決定するように具体的に構成される。
【０２４７】
第１の時間周波数リソースの周波数ドメイン位置は、同期信号を搬送する時間周波数リソースの周波数ドメイン位置と同じであり、あるいは、第１の時間周波数リソースに対応する周波数ドメイン位置は、同期信号を搬送する時間周波数リソースに対応する周波数ドメイン位置を含む。第２の時間周波数リソースの周波数ドメイン位置は、同期信号を搬送する時間周波数リソースの周波数ドメイン位置に隣接し、あるいは、第２の時間周波数リソースに対応する周波数ドメイン位置と、同期信号を搬送する時間周波数リソースに対応する周波数ドメイン位置とは、固定の周波数シフトにより離される。
【０２４８】
任意選択で、第１の時間周波数リソースの開始シンボルは、同期信号を搬送する最後のシンボルに隣接し、あるいは、
第１の時間周波数リソースの開始シンボルは、同期信号を搬送する最後のシンボルの次のシンボルであり、あるいは、
同期信号を搬送する最後のシンボルがシンボルｌである場合、第１の時間周波数リソースの開始シンボルは、シンボル（ｌ＋１）又はシンボル（ｌ＋１）ｍｏｄ  Ｌであり、ｌ＝０，１，・・・Ｌ−１であり、Ｌは正の整数である。
【０２４９】
第２の時間周波数リソースのシンボルは、同期信号を搬送するシンボルと同じであり、あるいは、第２の時間周波数リソースの開始シンボルは、同期信号に含まれるプライマリ同期信号を搬送する開始シンボルと同じである。
【０２５０】
任意選択で、第２の時間周波数リソースの周波数ドメイン位置は、同期信号を搬送する時間周波数リソースの周波数ドメイン位置に隣接し、同期信号を搬送する時間周波数リソースの周波数ドメイン位置の両側に分散される。
【０２５１】
任意選択で、第１の系列は、２つの３１ビット長系列を使用することにより第１の組み合わせ方式で生成され、第２の系列は、２つの３１ビット長系列を使用することにより第２の組み合わせ方式で生成され、第１の組み合わせ方式は、第２の組み合わせ方式と異なる。
【０２５２】
任意選択で、システム情報はシンボル位置インジケータフィールドを含む。
【０２５３】
シンボル位置インジケータフィールドは、同期信号を搬送する開始シンボルの位置を示すために使用され、あるいは、
シンボル位置インジケータフィールドは、同期信号を搬送する開始シンボルのインデックスを示すために使用され、あるいは、
シンボル位置インジケータフィールドは、同期信号を搬送する開始シンボルと同期信号を搬送するサブフレームの第１のシンボルとの間の時間ドメインシフトを示すために使用され、あるいは、
シンボル位置インジケータフィールドは、プライマリ同期信号を搬送する開始シンボルの位置を示すために使用され、あるいは、
シンボル位置インジケータフィールドは、プライマリ同期信号を搬送する開始シンボルのインデックスを示すために使用され、あるいは、
シンボル位置インジケータフィールドは、プライマリ同期信号を搬送する開始シンボルとプライマリ同期信号を搬送するサブフレームの第１のシンボルとの間の時間ドメインシフトを示すために使用される。
【０２５４】
任意選択で、システム情報に対応するスクランブリングコードが、システム情報を搬送するサブフレームを示すために使用される。
【０２５５】
任意選択で、同期信号はセカンダリ同期信号である。
【０２５６】
この出願の実施例４で提供される端末は、同期信号を搬送するサービングセルに対応するサブキャリア間隔セット内の最も大きいサブキャリア間隔を、同期信号に対応するサブキャリア間隔として決定し、同期信号に対応するサブキャリア間隔に基づいて同期信号を検出してもよい。サービングセルに対応するサブキャリア間隔セット内の異なるサブキャリア間隔が異なる適用シナリオに対応してもよく、それにより、端末とネットワークデバイスとの間の情報送信方法は異なる適用シナリオに柔軟に適用できる。
【０２５７】
この出願の実施例５が端末をさらに提供する。図１０は、この出願の実施例５による端末の概略構成図である。図１０に示されるように、端末１０００は、プロセッサ１００１及び受信機１００２を含み得る。任意選択で、プロセッサ１００１は、実施例４における処理ユニット９０２の機能を実現でき、受信機１００２は、実施例４における受信ユニット９０１の機能を実現できる。
【０２５８】
任意選択で、端末１０００は、メモリ１００３をさらに含んでもよい。メモリ１００３は、プロセッサ１００１により実行されるコード等を記憶するように構成されてもよい。
【０２５９】
端末１０００のプロセッサはＣＰＵでもよい。別法として、プロセッサ１００１は、別の汎用プロセッサ、ＤＳＰ、ＡＳＩＣ、ＦＰＧＡ又は別のプログラム可能論理デバイス、ディスクリートゲート又はトランジスタ論理デバイス、ディスクリートハードウェアコンポーネント等でもよい。汎用プロセッサはマイクロプロセッサでもよく、あるいは、プロセッサは任意の従来のプロセッサ等でもよい。
【０２６０】
この出願の実施例５における端末は、図１、図２、及び図７のうちいずれか１つにおける端末により実行される情報送信方法を実行でき、その有益な効果は前述の実施例におけるものと同様であり、詳細はここで再度説明されない。
【０２６１】
この出願の実施例６がネットワークデバイスをさらに提供する。図１１は、この出願の実施例６によるネットワークデバイスの概略構成図である。図１１に示されるように、ネットワークデバイス１１００は、処理ユニット１１０１及び送出ユニット１１０２を含み得る。
【０２６２】
例えば、処理ユニット１１０１は、ハードウェア及び／又はソフトウェアを使用することによりネットワークデバイス１１００のプロセッサにより実現されてもよく、送出ユニット１１０２は、ネットワークデバイス１１００の送信機により実現されてもよい。
【０２６３】
プロセッサはＣＰＵでもよい。別法として、プロセッサは、別の汎用プロセッサ、ＤＳＰ、ＡＳＩＣ、ＦＰＧＡ又は別のプログラム可能論理デバイス、ディスクリートゲート又はトランジスタ論理デバイス、ディスクリートハードウェアコンポーネント等でもよい。汎用プロセッサはマイクロプロセッサでもよく、あるいは、プロセッサは任意の従来のプロセッサ等でもよい。
【０２６４】
送信機は、信号を送出するように構成された送信インターフェース回路でもよい。さらに、送信機は、無線通信を通して別のネットワーク及び／又は端末と通信してもよい。
【０２６５】
処理ユニット１１０１は、前述の実施例における情報送信方法のＳ１０１を実行して、同期信号に対応するサブキャリア間隔を決定するように構成され、同期信号に対応するサブキャリア間隔は、同期信号を搬送するサービングセルに対応するサブキャリア間隔セット内の最も大きいサブキャリア間隔である。
【０２６６】
送出ユニット１１０２は、前述の実施例における情報送信方法のＳ１０２を実行して、同期信号に対応するサブキャリア間隔に基づいて同期信号を送出するように構成される。
【０２６７】
任意選択で、処理ユニット１１０１は、前述の実施例における情報送信方法のＳ５０１を実行して、同期信号に対応するサブキャリア間隔に基づいて、サブキャリア間隔に対応するサイクリックプレフィックスセットを決定し、前述の実施例における情報送信方法のＳ５０２を実行して、サイクリックプレフィックスセットに基づいて、同期信号を搬送するシンボルに対応するサイクリックプレフィックスがサイクリックプレフィックスセット内の最も長いサイクリックプレフィックスであると決定するようにさらに構成される。
【０２６８】
任意選択で、送出ユニット１１０２は、前述の実施例における情報送信方法のＳ５０３を実行して、同期信号に対応するサブキャリア間隔と同期信号を搬送するシンボルに対応するサイクリックプレフィックスとに基づいて同期信号を送出するように具体的に構成される。
【０２６９】
任意選択で、処理ユニット１１０１は、前述の実施例における情報送信方法のＳ６０１を実行して、システム情報を搬送する時間周波数リソースを決定し、前述の実施例における情報送信方法のＳ６０２を実行して、システム情報を搬送する時間周波数リソースに基づいて、同期信号に対応する系列を決定するようにさらに構成される。
【０２７０】
別法として、処理ユニット１１０１は、システム情報を搬送する時間周波数リソースが第１の時間周波数リソースである場合、同期信号に対応する系列が第１の系列であると決定し、あるいは、システム情報を搬送する時間周波数リソースが第２の時間周波数リソースである場合、同期信号に対応する系列が第２の系列であると決定するように具体的に構成される。
【０２７１】
第１の時間周波数リソースの周波数ドメイン位置は、同期信号を搬送する時間周波数リソースの周波数ドメイン位置と同じであり、あるいは、第１の時間周波数リソースの周波数ドメイン位置は、同期信号を搬送する時間周波数リソースの周波数ドメイン位置を含む。
【０２７２】
第２の時間周波数リソースの周波数ドメイン位置は、同期信号を搬送する時間周波数リソースの周波数ドメイン位置に隣接し、あるいは、第２の時間周波数リソースの周波数ドメイン位置と、同期信号を搬送する時間周波数リソースの周波数ドメイン位置とは、固定の周波数シフトにより離される。
【０２７３】
任意選択で、第１の時間周波数リソースの開始シンボルは、同期信号を搬送する最後のシンボルに隣接し、あるいは、
第１の時間周波数リソースの開始シンボルは、同期信号を搬送する最後のシンボルの次のシンボルであり、あるいは、
同期信号を搬送する最後のシンボルがシンボルｌである場合、第１の時間周波数リソースの開始シンボルは、シンボル（ｌ＋１）又はシンボル（ｌ＋１）ｍｏｄ  Ｌであり、ｌ＝０，１，・・・Ｌ−１であり、Ｌは正の整数である。
【０２７４】
第２の時間周波数リソースのシンボルは、同期信号を搬送するシンボルと同じであり、あるいは、第２の時間周波数リソースの開始シンボルは、同期信号に含まれるプライマリ同期信号を搬送する開始シンボルと同じである。
【０２７５】
任意選択で、第２の時間周波数リソースの周波数ドメイン位置は、同期信号を搬送する時間周波数リソースの周波数ドメイン位置に隣接し、同期信号を搬送する時間周波数リソースの周波数ドメイン位置の両側に分散される。
【０２７６】
任意選択で、処理ユニット１１０１は、システム情報を搬送する時間周波数リソースが第１の時間周波数リソースである場合、同期信号に対応する系列が第１の系列であると決定し、あるいは、システム情報を搬送する時間周波数リソースが第２の時間周波数リソースである場合、同期信号に対応する系列が第２の系列であると決定するように具体的に構成される。
【０２７７】
第１の時間周波数リソースと同期信号を搬送する時間周波数リソースとは、時分割多重の対象であり、第２の時間周波数リソースと同期信号を搬送する時間周波数リソースとは、周波数分割多重の対象である。
【０２７８】
任意選択で、第１の系列は、２つの３１ビット長系列を使用することにより第１の組み合わせ方式で生成され、第２の系列は、２つの３１ビット長系列を使用することにより第２の組み合わせ方式で生成され、第１の組み合わせ方式は、第２の組み合わせ方式と異なる。
【０２７９】
任意選択で、システム情報はシンボル位置インジケータフィールドを含む。
【０２８０】
シンボル位置インジケータフィールドは、同期信号を搬送する開始シンボルの位置を示すために使用され、あるいは、
シンボル位置インジケータフィールドは、同期信号を搬送する開始シンボルのインデックスを示すために使用され、あるいは、
シンボル位置インジケータフィールドは、同期信号を搬送する開始シンボルと同期信号を搬送するサブフレームの第１のシンボルとの間の時間ドメインシフトを示すために使用され、あるいは、
シンボル位置インジケータフィールドは、プライマリ同期信号を搬送する開始シンボルの位置を示すために使用され、あるいは、
シンボル位置インジケータフィールドは、プライマリ同期信号を搬送する開始シンボルのインデックスを示すために使用され、あるいは、
シンボル位置インジケータフィールドは、プライマリ同期信号を搬送する開始シンボルとプライマリ同期信号を搬送するサブフレームの第１のシンボルとの間の時間ドメインシフトを示すために使用される。
【０２８１】
任意選択で、システム情報に対応するスクランブリングコードが、システム情報を搬送するサブフレームを示すために使用される。
【０２８２】
任意選択で、同期信号はセカンダリ同期信号である。
【０２８３】
この出願の実施例６で提供されるネットワークデバイスは、同期信号を搬送するサービングセルに対応するサブキャリア間隔セット内の最も大きいサブキャリア間隔を、同期信号に対応するサブキャリア間隔として決定し、同期信号に対応するサブキャリア間隔に基づいて同期信号を送出してもよい。サービングセルに対応するサブキャリア間隔セット内の異なるサブキャリア間隔が異なる適用シナリオに対応してもよく、それにより、端末とネットワークデバイスとの間の情報送信方法は異なる適用シナリオに柔軟に適用できる。
【０２８４】
この出願の実施例７がネットワークデバイスをさらに提供する。図１２は、この出願の実施例７によるネットワークデバイスの概略構成図である。図１２に示されるように、ネットワークデバイス１２００は、プロセッサ１２０１及び送信機１２０２を含み得る。任意選択で、プロセッサ１２０１は、実施例６における処理ユニット１１０１の機能を実現でき、送信機１２０２は、実施例６における送出ユニット１１０２の機能を実現できる。
【０２８５】
任意選択で、ネットワークデバイス１２００は、メモリ１２０３をさらに含んでもよい。メモリ１２０３は、プロセッサ１２０１により実行されるコード等を記憶するように構成されてもよい。
【０２８６】
ネットワークデバイス１２００のプロセッサ１２０１はＣＰＵでもよい。別法として、プロセッサ１２０１は、別の汎用プロセッサ、ＤＳＰ、ＡＳＩＣ、ＦＰＧＡ又は別のプログラム可能論理デバイス、ディスクリートゲート又はトランジスタ論理デバイス、ディスクリートハードウェアコンポーネント等でもよい。汎用プロセッサはマイクロプロセッサでもよく、あるいは、プロセッサは任意の従来のプロセッサ等でもよい。
【０２８７】
この出願の実施例７におけるネットワークデバイスは、図１、図５、図６、及び図８のうちいずれか１つにおけるネットワークデバイスにより実行される情報送信方法を実行でき、その有益な効果は前述の実施例におけるものと同様であり、詳細はここで再度説明されない。
【０２８８】
さらに、この出願の実施例における機能ユニットは１つの処理ユニットに統合されてもよく、あるいは、ユニットの各々は物理的に単体で存在してもよく、あるいは、２つ以上のユニットが１つのユニットに統合されてもよい。統合されたユニットは、ハードウェアの形式で実現されてもよく、あるいはソフトウェア機能ユニットの形式で実現されてもよい。
【０２８９】
統合されたユニットがソフトウェア機能ユニットの形式で実現され、独立した製品として販売又は使用されるとき、統合されたユニットはコンピュータ読取可能記憶媒体に記憶されてもよい。こうした理解に基づき、本質的にこの出願の技術的解決策、又は従来技術に貢献する部分、又は技術的解決策の全部若しくは一部は、ソフトウェア製品の形式で実現されてもよい。コンピュータソフトウェア製品は記憶媒体に記憶され、コンピュータデバイス（これはパーソナルコンピュータ、サーバ、ネットワークデバイス等でもよい）又はプロセッサ（processor）にこの出願の実施例で説明された方法のステップの全部又は一部を実行するよう命令する１つ以上の命令を含む。前述の記憶媒体は、ＵＳＢフラッシュドライブ、取外し可能ハードディスク、読取専用メモリ（ＲＯＭ、Read-Only  Memory）、ランダムアクセスメモリ（ＲＡＭ、Random  Access  Memory）、磁気ディスク、又は光ディスクのようなプログラムコードを記憶できる様々な媒体を含む。
【国際調査報告】
2019530287.tif 000017
2019530287.tif 000018
2019530287.tif 000019
2019530287.tif 000020